(57)【要約】  本開示は、基地局は、多重ダウンリンク制御情報（ＤＣＩ）に異なるタイプの端末ＵＥに動作を行うように指示するための指示情報を設定することと、基地局は、多重ＤＣＩをＵＥに送信することと、を含み、多重ＤＣＩは、物理下り共有チャネル（ＰＤＳＣＨ）のＤＣＩを多重化したＤＣＩであり、多重ＤＣＩがプリセットの無線ネットワーク一時的識別子（ＲＮＴＩ）を使用してスクランブルされる場合、ＰＤＳＣＨのＤＣＩであり、ページング無線ネットワーク一時的識別子（Ｐ−ＲＮＴＩ）を使用してスクランブルされる場合、ページングＤＣＩであり、プリセットＲＮＴＩは、Ｐ−ＲＮＴＩ以外のＲＮＴＩである、情報伝送方法および装置を開示した。本開示実施例から分かるように、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。【選択図】図１
2021513240.tif 000002
【特許請求の範囲】
【請求項１】
基地局は、多重ダウンリンク制御情報ＤＣＩにおいて異なるタイプの端末ＵＥに動作を行うように指示するための指示情報を設定することと、
前記基地局は、前記多重ＤＣＩをＵＥに送信することと、を含み、
多重ＤＣＩは、物理下り共有チャネルＰＤＳＣＨのＤＣＩを多重化したＤＣＩであり、前記多重ＤＣＩがプリセットの無線ネットワーク一時的識別子ＲＮＴＩを使用してスクランブルされる場合、ＰＤＳＣＨのＤＣＩであり、ページング無線ネットワーク一時的識別子Ｐ−ＲＮＴＩを使用してスクランブルされる場合、ページングＤＣＩであり、前記プリセットＲＮＴＩは、前記Ｐ−ＲＮＴＩ以外のＲＮＴＩである、情報伝送方法。
【請求項２】
前記基地局が多重ＤＣＩにおいて異なるタイプのＵＥに動作を行うように指示するための指示情報を設定することは、
前記基地局は、前記ＵＥに動作を行うように指示するために、前記多重ＤＣＩにＡビットを追加して前記Ａビットの意味を定義し、ここで、前記多重ＤＣＩ自体は、Ｘビットを含み、前記ＵＥは、第１タイプＵＥと第２タイプＵＥとを含み、前記第１タイプＵＥは、第３世代パートナシッププロジェクト３ＧＰＰの第１５バージョンＲｅｌ−１５のＵＥであり、前記第２タイプＵＥは、前記Ｒｅｌ−１５の後続バージョンのＵＥであり、
または、
前記基地局は、前記ＵＥに動作を行うように指示するために、前記多重ＤＣＩからＲビットを選択して前記Ｒビットの意味を定義し、ＲはＸ未満であり、
または、
前記基地局は、前記第１タイプＵＥと前記第２タイプＵＥに動作を行うように指示するために、前記Ｐ−ＲＮＴＩを２つのタイプに分けて２つのタイプのＰ−ＲＮＴＩの意味を定義することを含む、請求項１に記載の情報伝送方法。
【請求項３】
前記基地局が多重ＤＣＩにＡビットを追加してＡビットの意味を定義することは、
前記基地局は、前記多重ＤＣＩが前記プリセットＲＮＴＩを使用してスクランブルされる場合、前記Ａビットの状態の意味が、前記第１タイプＵＥと第２タイプＵＥに前記Ａビットを廃棄するように指示することであると定義することと、前記多重ＤＣＩが前記Ｐ−ＲＮＴＩを使用してスクランブルされ、かつ前記Ａビットの状態がプリセット状態である場合、前記Ａビットの状態の意味が、前記第１タイプＵＥと前記第２タイプＵＥに掃引モードで送信されたページングメッセージを検出するように指示することであると定義することと、前記多重ＤＣＩが前記Ｐ−ＲＮＴＩを使用してスクランブルされ、かつ前記Ａビットの状態が前記プリセット状態以外の他の状態である場合、前記Ａビットの意味が、前記第１タイプＵＥに前記多重ＤＣＩを廃棄するように指示し、前記第２タイプＵＥに、対応する非掃引モードと、ページング指示と、の少なくとも１つに切り替えるように指示することであると定義することと、を含み、前記ページング指示は、単一のページング指示またはページング指示グループであり、前記プリセット状態は、前記第１タイプＵＥと前記第２タイプＵＥに掃引モードで送信されたページングメッセージを検出するように指示する状態とするために、事前に前記Ａビットに対応するすべての状態から任意に選択した１つである、請求項２に記載の情報伝送方法。
【請求項４】
前記基地局が多重ＤＣＩにＡビットを追加してＡビットの意味を定義することは、
前記基地局は、前記多重ＤＣＩが前記プリセットＲＮＴＩを使用してスクランブルされる場合、前記Ａビットの状態の意味が、前記第１タイプＵＥと第２タイプＵＥに前記Ａビットを廃棄するように指示することであると定義することと、前記多重ＤＣＩが前記Ｐ−ＲＮＴＩを使用してスクランブルされる場合、前記Ａビットの状態の意味が、前記第１タイプＵＥに前記Ａビットを廃棄して掃引モードで送信されたページングメッセージを検出するように指示し、前記第２タイプＵＥに、対応する非掃引モードと、ページング指示と、の少なくとも１つに切り替えるように指示することであると定義することと、を含み、前記ページング指示は、単一のページング指示またはページング指示グループである、請求項２に記載の情報伝送方法。
【請求項５】
前記基地局が多重ＤＣＩからＲビットを選択して前記Ｒビットの意味を定義することは、
前記基地局は、前記多重ＤＣＩが前記Ｐ−ＲＮＴＩを使用してスクランブルされ、かつ前記Ｒビットの状態がプリセット状態である場合、前記Ｒビットの状態の意味が、前記第１タイプＵＥと前記第２タイプＵＥに掃引モードで送信されたページングメッセージを検出するように指示することであると定義することと、前記多重ＤＣＩが前記Ｐ−ＲＮＴＩを使用してスクランブルされ、かつＲビットの状態が前記プリセット状態以外の他の状態である場合、前記Ｒビットの意味が、前記第１タイプＵＥに前記多重ＤＣＩを廃棄するように指示し、第２タイプＵＥに、対応する非掃引モードと、ページング指示と、の少なくとも１つに切り替えるように指示することであると定義することと、を含み、前記ページング指示は、単一のページング指示またはページング指示グループであり、前記プリセット状態は、前記第１タイプＵＥと前記第２タイプＵＥに掃引モードで送信されたページングメッセージを検出するように指示する状態とするために、事前に前記Ｒビットに対応するすべての状態から任意に選択した１つである、請求項２に記載の情報伝送方法。
【請求項６】
前記基地局が多重ＤＣＩからＲビットを選択してＲビットの意味を定義することは、
前記基地局は、前記多重ＤＣＩが前記Ｐ−ＲＮＴＩを使用してスクランブルされる場合、前記Ｒビットの状態の意味が、前記第１タイプＵＥに掃引モードで送信されたページングメッセージを検出するように指示し、前記第２タイプＵＥに、対応する非掃引モードと、ページング指示と、の少なくとも１つに切り替えるように指示することであると定義すること、を含み、前記ページング指示は、単一のページング指示またはページング指示グループである、請求項２に記載の情報伝送方法。
【請求項７】
前記基地局がＰ−ＲＮＴＩを２つのタイプに分けて２つのタイプのＰ−ＲＮＴＩの意味を定義することは、
前記基地局は、前記多重ＤＣＩが第１タイプＰ−ＲＮＴＩを使用してスクランブルされる場合、前記第１タイプＰ−ＲＮＴＩの意味が、前記第１タイプＵＥと前記第２タイプＵＥに掃引モードで送信されたページングメッセージを検出するように指示することであると定義することと、前記多重ＤＣＩが第２タイプＰ−ＲＮＴＩを使用してスクランブルされる場合、前記第２タイプＰ−ＲＮＴＩの意味が、前記第１タイプＵＥに前記多重ＤＣＩを廃棄し、または、前記第２タイプＰ−ＲＮＴＩを使用してデスクランブルした後に前記多重ＤＣＩを廃棄するように指示し、前記第２タイプＵＥに、対応する非掃引モードと、ページング指示と、の少なくとも１つに切り替えるように指示することであると定義することと、を含み、前記ページング指示は、単一のページング指示またはページング指示グループである、請求項２に記載の情報伝送方法。
【請求項８】
基地局は、多重ＤＣＩにおいて異なるタイプのＵＥに動作を行うように指示するための指示情報を設定することと、
前記基地局は、前記多重ＤＣＩを前記ＵＥに送信することと、を含み、
多重ＤＣＩは、直接指示のＤＣＩの多重化されたＤＣＩであり、前記多重ＤＣＩのプリセットビットが直接指示を示す場合、直接指示のＤＣＩであり、ページングを示す場合、ページングのＤＣＩである、情報伝送方法。
【請求項９】
前記基地局が、多重ＤＣＩにおいて異なるタイプのＵＥに動作を行うように指示するための指示情報を設定することは、
前記基地局は、前記ＵＥに動作を行うように指示するために、前記多重ＤＣＩにＢビットを追加して前記Ｂビットの意味を定義し、ここで、前記多重ＤＣＩ自体は、Ｙビットを含み、前記ＵＥは、第１タイプＵＥと第２タイプＵＥとを含み、前記第１タイプＵＥは、３ＧＰＰのＲｅｌ−１５のＵＥであり、前記第２タイプＵＥは、前記Ｒｅｌ−１５の後続バージョンのＵＥであり、
または、
前記基地局は、前記ＵＥに動作を行うように指示するために、前記多重ＤＣＩからＳビットを選択して前記Ｓビットの意味を定義し、ＳはＹ未満であり、
または、
前記基地局は、前記第１タイプＵＥと前記第２タイプＵＥに動作を行うように指示するために、前記Ｐ−ＲＮＴＩを２つのタイプに分けて２つのタイプのＰ−ＲＮＴＩの意味を定義することを含む、請求項８に記載の情報伝送方法。
【請求項１０】
前記基地局が多重ＤＣＩにＢビットを追加してＢビットの意味を定義することは、
前記基地局は、前記多重ＤＣＩのプリセットビットが直接指示を示す場合、前記Ｂビットの状態の意味が、前記第１タイプＵＥと第２タイプＵＥに前記Ｂビットを廃棄するように指示することであると定義することと、前記多重ＤＣＩのプリセットビットがページングを示し、かつ前記Ｂビットの状態がプリセット状態である場合、前記Ｂビットの状態の意味が、前記第１タイプＵＥと前記第２タイプＵＥに掃引モードで送信されたページングメッセージを検出するように指示することであると定義することと、前記多重ＤＣＩのプリセットビットがページングを示し、かつ前記Ｂビットの状態が前記プリセット状態以外の他の状態である場合、前記Ｂビットの意味が、前記第１タイプＵＥに前記多重ＤＣＩを廃棄するように指示し、前記第２タイプＵＥに、対応する非掃引モードと、ページング指示と、の少なくとも１つに切り替えるように指示することであると定義することと、を含み、前記ページング指示は、単一のページング指示またはページング指示グループであり、前記プリセット状態は、前記第１タイプＵＥと前記第２タイプＵＥに掃引モードで送信されたページングメッセージを検出するように指示する状態とするために、事前に前記Ｂビットに対応するすべての状態から任意に選択した１つである、請求項９に記載の情報伝送方法。
【請求項１１】
前記基地局が多重ＤＣＩにＢビットを追加してＢビットの意味を定義することは、
前記基地局は、前記多重ＤＣＩのプリセットビットが直接指示を示す場合、前記Ｂビットの状態の意味が、前記第１タイプＵＥと第２タイプＵＥに前記Ｂビットを廃棄するように指示することであると定義することと、前記多重ＤＣＩのプリセットビットがページングを示す場合、前記Ｂビットの状態の意味が、前記第１タイプＵＥに前記Ｂビットを廃棄して掃引モードで送信されたページングメッセージを検出するように指示し、前記第２タイプＵＥに、対応する非掃引モードと、ページング指示と、の少なくとも１つに切り替えるように指示することであると定義すること、を含み、前記ページング指示は、単一のページング指示またはページング指示グループである、請求項９に記載の情報伝送方法。
【請求項１２】
前記基地局が多重ＤＣＩからＳビットを選択して前記Ｓビットの意味を定義することは、
前記基地局は、前記多重ＤＣＩのプリセットビットがページングを示し、かつ前記Ｓビットの状態がプリセット状態である場合、前記Ｓビットの状態の意味が、前記第１タイプＵＥと前記第２タイプＵＥに掃引モードで送信されたページングメッセージを検出するように指示することであると定義することと、前記多重ＤＣＩのプリセットビットがページングを示し、かつＳビットの状態が前記プリセット状態以外の他の状態である場合、前記Ｓビットの意味が、前記第１タイプＵＥに前記多重ＤＣＩを廃棄するように指示し、第２タイプＵＥに、対応する非掃引モードと、ページング指示と、の少なくとも１つに切り替えるように指示することであると定義することと、を含み、前記ページング指示は、単一のページング指示またはページング指示グループであり、前記プリセット状態は、前記第１タイプＵＥと前記第２タイプＵＥに掃引モードで送信されたページングメッセージを検出するように指示する状態とするために、事前に前記Ｓビットに対応するすべての状態から任意に選択した１つである、請求項９に記載の情報伝送方法。
【請求項１３】
前記基地局が多重ＤＣＩからＳビットを選択してＳビットの意味を定義することは、
前記基地局は、前記多重ＤＣＩのプリセットビットがページングを示す場合、前記Ｓビットの状態の意味が、前記第１タイプＵＥに掃引モードで送信されたページングメッセージを検出するように指示し、前記第２タイプＵＥに、対応する非掃引モードと、ページング指示と、の少なくとも１つに切り替えるように指示することであると定義すること、を含み、前記ページング指示は、単一のページング指示またはページング指示グループである、請求項９に記載の情報伝送方法。
【請求項１４】
前記基地局がＰ−ＲＮＴＩを２つのタイプに分けて２つのタイプのＰ−ＲＮＴＩの意味を定義することは、
前記基地局は、前記多重ＤＣＩが第１タイプＰ−ＲＮＴＩを使用してスクランブルされる場合、前記第１タイプＰ−ＲＮＴＩの意味が、前記第１タイプＵＥと前記第２タイプＵＥに掃引モードで送信されたページングメッセージを検出するように指示することであると定義することと、前記多重ＤＣＩが第２タイプＰ−ＲＮＴＩを使用してスクランブルされる場合、前記第２タイプＰ−ＲＮＴＩの意味が、前記第１タイプＵＥに前記多重ＤＣＩを廃棄し、または、前記第２タイプＰ−ＲＮＴＩを使用してデスクランブルした後に前記多重ＤＣＩを廃棄するように指示し、前記第２タイプＵＥに、対応する非掃引モードと、ページング指示と、の少なくとも１つに切り替えるように指示することであると定義することと、を含み、前記ページング指示は、単一のページング指示またはページング指示グループである、請求項９に記載の情報伝送方法。
【請求項１５】
基地局は、ＵＥのページング時刻を計算することと、
前記基地局は、取得されたページング時刻に対応するページング制御リソースセットまたはページング検索空間位置で、ページングＤＣＩの位置を決定することと、
前記基地局は、決定された位置で前記ページングＤＣＩを前記ＵＥに送信することと、を含む、情報伝送方法。
【請求項１６】
前記基地局がＵＥのページング時刻を計算することは、
非連続受信ＤＲＸ周期がＰ個の時間領域方向のページング時刻を含む場合、前記基地局は、ＵＥ＿ＩＤｍｏｄ  （Ｐ）によって前記ＵＥのページング時刻を計算することと、前記ＤＲＸ周期がＮ個のページングフレームを含み、かつ各ページングフレームがＰ個の時間領域方向のページング時刻を含む場合、前記基地局は、ｆｌｏｏｒ  （ＵＥ＿ＩＤ／Ｎ）ｍｏｄ  （Ｐ）によって前記ＵＥのページング時刻を計算することと、を含み、前記ＵＥ＿ＩＤは、ページングメッセージ内の一時的移動局識別番号Ｓ−ＴＭＳＩまたは国際移動体加入者識別子ＩＭＳＩであり、前記時間領域方向のページング時刻に対応する周波数領域方向のページング制御リソースセットまたはページング検索空間の数は、帯域幅パートＢＷＰの数以下である、請求項１５に記載の情報伝送方法。
【請求項１７】
前記基地局が決定された位置でページングＤＣＩをＵＥに送信することは、
前記基地局は、時間領域方向のページング時刻に対応する周波数領域方向の各ページング制御リソースセットまたはページング検索空間位置で、前記時間領域方向のページング時刻のすべてのページングされるＵＥに対応するページングＤＣＩを送信することと、
前記基地局は、ページングＤＣＩに基づいてページングメッセージのリソース位置でページングメッセージを送信することと、を含む、請求項１６に記載の情報伝送方法。
【請求項１８】
前記基地局がページングＤＣＩに基づいてページングメッセージのリソース位置でページングメッセージを送信することは、
前記ページングＤＣＩにページングメッセージの時間領域位置の指示フィールドが含まれている場合、前記基地局は、前記時間領域位置の指示フィールドに対応する時間領域リソースで前記ページングメッセージを送信することと、ページングＤＣＩにページングメッセージのＢＷＰインデックスが含まれている場合、前記基地局は、ＢＷＰインデックスに対応するＢＷＰリソースで前記ページングメッセージを送信することと、ページングＤＣＩに前記ページングメッセージの時間領域位置の指示フィールドとＢＷＰインデックスが含まれている場合、前記基地局は、前記時間領域位置の指示フィールドに対応する時間領域リソースと前記ＢＷＰインデックスに対応するＢＷＰリソースでページングメッセージを検出することと、を含む、請求項１７に記載の情報伝送方法。
【請求項１９】
前記基地局がＵＥのページング時刻を計算することは、
ＤＲＸ周期がＰ個の時間領域方向のページング時刻とＱ個の周波数領域方向のページング時刻を含む場合、前記基地局は、第１プリセット計算方式によって前記ＵＥのページング時刻を計算することと、前記ＤＲＸ周期がＮ個のページングフレームを含み、かつ各ページングフレームがＰ個の時間領域方向のページング時刻とＱ個の周波数領域方向のページング時刻を含む場合、前記基地局は、第２プリセット方式によって前記ＵＥのページング時刻を計算することと、を含み、前記第１プリセット計算方式は、ＵＥ＿ＩＤ  ｍｏｄ  （Ｐ＊Ｑ）と、ＵＥ＿ＩＤ  ｍｏｄ  （Ｐ）  ｍｏｄ  （Ｑ）と、ＵＥ＿ＩＤ  ｍｏｄ  （Ｑ）  ｍｏｄ  （Ｐ）と、のいずれか１つの計算方式であり、前記第２プリセット計算方式は、ｆｌｏｏｒ  （ＵＥ＿ＩＤ／Ｎ）  ｍｏｄ  （Ｐ＊Ｑ）と、ｆｌｏｏｒ  （ＵＥ＿ＩＤ／Ｎ）  ｍｏｄ  （Ｐ）  ｍｏｄ  （Ｑ）と、ｆｌｏｏｒ  （ＵＥ＿ＩＤ／Ｎ）  ｍｏｄ  （Ｑ）  ｍｏｄ（Ｐ）と、のいずれか１つの計算方式であり、前記ＵＥ＿ＩＤは、ページングメッセージ内のＳ−ＴＭＳＩまたはＩＭＳＩであり、前記Ｑ個の周波数領域方向のページング時刻は、Ｑ個のページング制御リソースセットまたはページング検索空間に対応し、Ｑは、ＢＷＰの数以下である、請求項１５に記載の情報伝送方法。
【請求項２０】
前記基地局が決定された位置でページングＤＣＩをＵＥに送信することは、
前記基地局は、時間領域方向のページング時刻に対応する１つの周波数領域方向のページング時刻のページング制御リソースセットまたはページング検索空間位置で、前記時間領域方向のページング時刻に対応する周波数領域方向のページング時刻のすべてのページングされるＵＥに対応するページングＤＣＩを送信することと、
前記基地局は、ページングＤＣＩに基づいてページングメッセージのリソース位置でページングメッセージを送信することと、を含む、請求項１９に記載の情報伝送方法。
【請求項２１】
前記基地局がページングＤＣＩに基づいてページングメッセージのリソース位置でページングメッセージを送信することは、
前記ページングＤＣＩにページングメッセージの時間領域位置の指示フィールドが含まれている場合、前記基地局は、前記時間領域位置の指示フィールドに対応する時間領域リソースで前記ページングメッセージを送信することと、ページングＤＣＩにページングメッセージのＢＷＰインデックスが含まれている場合、前記基地局は、ＢＷＰインデックスに対応するＢＷＰリソースで前記ページングメッセージを送信することと、ページングＤＣＩに前記ページングメッセージの時間領域位置の指示フィールドとＢＷＰインデックスが含まれている場合、前記基地局は、前記時間領域位置の指示フィールドに対応する時間領域リソースと前記ＢＷＰインデックスに対応するＢＷＰリソースでページングメッセージを検出することと、を含む、請求項２０に記載の情報伝送方法。
【請求項２２】
ＢＷＰインデックスによって示されるＢＷＰには、前記ページング制御リソースセットと前記ページング検索空間が割り当てられない、請求項１６または１９に記載の情報伝送方法。
【請求項２３】
前記ＢＷＰで同期信号ブロックＳＳＢが存在せず、かつ前記ページング制御リソースセットと、他のシステム情報ＯＳＩセットと、残り最小システム情報ＲＭＳＩセットと、のうちの少なくとも１つが構成されている場合、前記基地局は、前記ＳＳＢが存在する方式に従って構成されたセットに対してリソースマッピングし、前記セットの時間・周波数リソース構成と、初期アクセスＢＷＰでのＲＭＳＩセットの時間・周波数リソース構成とは、同じであり、前記ＳＳＢの１つ目のリソースブロックインデックスは、前記ＵＥによって検出され、または前記基地局によって構成され、または、前記セットの時間・周波数リソース構成と、初期アクセスＢＷＰでのＲＭＳＩセットの時間・周波数リソース構成とは、同じであり、前記セットの１つ目のリソースブロックインデックスは、前記基地局によって構成される、請求項１６または１９に記載の情報伝送方法。
【請求項２４】
前記ＢＷＰでページング制御リソースセットと、ＯＳＩセットと、ＲＭＳＩセットと、のうちの少なくとも１つが構成されている場合、前記ＢＷＰでＳＳＢが存在するか否かにかかわらず、前記基地局は、前記ＳＳＢが存在する方式に従って構成されたセットに対してリソースマッピングし、前記セットの時間・周波数リソース構成と、初期アクセスＢＷＰでのＲＭＳＩセットの時間・周波数リソース構成とは、同じであり、前記ＳＳＢの１つ目のリソースブロックインデックスは、前記ＵＥによって検出され、または前記基地局によって構成され、または、前記セットの時間・周波数リソース構成と、初期アクセスＢＷＰでのＲＭＳＩセットの時間・周波数リソース構成とは、同じであり、前記セットの１つ目のリソースブロックインデックスは、前記基地局によって構成される、請求項１６または１９に記載の情報伝送方法。
【請求項２５】
基地局は、構成またはプリセットの方式で、実際に送信するＳＳＢの数Ｅに基づいてＢＷＰで構成されたセットに対してリソースの関連付けを行うことを含み、前記構成されたセットは、ページング制御リソースセットと、ＯＳＩセットと、のうちの少なくとも１つを含む、情報伝送方法。
【請求項２６】
前記基地局が、構成またはプリセットの方式で、実際に送信するＳＳＢの数Ｅに基づいてＢＷＰで構成されたセットに対してリソースの関連付けを行うことは、
前記基地局は、構成またはプリセットの方式で、実際に送信するＳＳＢの数Ｅに基づき、関連するＳＳＢインデックスを調整し、調整後の関連するＳＳＢインデックスｉを取得することと、
前記基地局は、ｉに基づいてＢＷＰで構成されたセットの１つ目のスロットインデックスを計算することと、を含み、ｉ＝ｊ＋ｏｆｆｓｅｔであり、ｊは実際に送信するＳＳＢの論理インデックスを表し、ｊと実際に送信するＳＳＢの実際のインデックスとは昇順で１対１で対応し、ｊの値の範囲は｛０，１，２…Ｅ−１｝であり、ｏｆｆｓｅｔはオフセットである、請求項２５に記載の情報伝送方法。
【請求項２７】
前記基地局が、構成またはプリセットの方式で、実際に送信するＳＳＢの数Ｅに基づいてＢＷＰで構成されたセットに対してリソースの関連付けを行うことは、
前記基地局が、プリセットの方式で、実際に送信するＳＳＢの数Ｅに基づき、関連するＳＳＢインデックスｉを調整する場合、前記基地局は、ｉに基づいてＢＷＰで構成されたセットの１つ目のスロットインデックスを計算すること、を含み、前記ｉは、ＳＳＢを送信するための１つ目の位置を開始位置とし、実際に送信するＳＳＢの論理インデックスｊに１対１で対応し、または、前記ｉは、ＳＳＢを実際に送信する１つ目の位置を開始位置とし、実際に送信するＳＳＢの論理インデックスｊに１対１で対応し、または、前記ｉは、ＳＳＢを送信するための（Ｆ−Ｅ＋１）個目の位置を開始位置とし、実際に送信するＳＳＢの論理インデックスｊに１対１で対応し、ｊの値の範囲は、｛０，１，２…Ｅ−１｝である、請求項２５に記載の情報伝送方法。
【請求項２８】
前記基地局が、構成またはプリセットの方式で、実際に送信するＳＳＢの数Ｅに基づいてＢＷＰで構成されたセットに対してリソースの関連付けを行うことは、
前記基地局が、構成の方式で、実際に送信するＳＳＢの数Ｅに基づき、関連するＳＳＢインデックスを調整すること、を含む、請求項２５に記載の情報伝送方法。
【請求項２９】
前記ＳＳＢインデックスに関連する構成されたリソースセットの検索ウィンドウは、前記ＳＳＢインデックスに関連するＲＭＳＩの検索ウィンドウであり、または実際に前記ＳＳＢインデックスに関連するＲＭＳＩの検索ウィンドウ以外の検索ウィンドウである、請求項２６〜２８のいずれか１項に記載の情報伝送方法。
【請求項３０】
ＵＥは、基地局が送信した多重ＤＣＩを受信することと、前記ＵＥは、前記多重ＤＣＩに設定された指示情報に基づいて動作を行うことと、を含み、前記多重ＤＣＩには、異なるタイプのＵＥに動作を行うように指示するための指示情報が設定されており、前記多重ＤＣＩは基地局がＰＤＳＣＨのＤＣＩを多重化したＤＣＩであり、前記多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、前記プリセットＲＮＴＩは、前記Ｐ−ＲＮＴＩ以外のＲＮＴＩである、情報伝送方法。
【請求項３１】
前記ＵＥが多重ＤＣＩに設定された指示情報に基づいて動作を行うことは、
前記基地局が前記多重ＤＣＩにＡビットを追加して前記Ａビットの意味を定義した場合、前記ＵＥは、前記Ａビットに基づいて動作を行い、前記多重ＤＣＩ自体は、Ｘビットを含み、前記ＵＥは、第１タイプＵＥと第２タイプＵＥとを含み、前記第１タイプＵＥは、３ＧＰＰのＲｅｌ−１５のＵＥであり、前記第２タイプＵＥは、前記Ｒｅｌ−１５の後続バージョンのＵＥであり、
または、
前記基地局は、前記多重ＤＣＩからＲビットを選択して前記Ｒビットの意味を定義した場合、前記ＵＥは、前記Ｒビットに基づいて動作を行い、ＲはＸ未満であり、
または、
前記基地局が前記Ｐ−ＲＮＴＩを２つのタイプに分けて２つのタイプのＰ−ＲＮＴＩの意味を定義した場合、前記ＵＥは、第１タイプＰ−ＲＮＴＩの意味と第２タイプＰ−ＲＮＴＩの意味に基づいて動作を行うこと、を含む、請求項３０に記載の情報伝送方法。
【請求項３２】
前記ＵＥが前記第１タイプＵＥであり、かつ前記Ｒｅｌ−１５にある場合、または前記ＵＥが前記第１タイプＵＥであり、かつ前記Ｒｅｌ−１５の後続バージョンにある場合、前記ＵＥがＡビットに基づいて動作を行うことは、
前記第１タイプＵＥが、前記多重ＤＣＩが前記プリセットＲＮＴＩを使用してスクランブルされたことを検出すると、前記第１タイプＵＥは、前記Ａビットを破棄し、前記Ｘビットに基づいて対応するＰＤＳＣＨを検出することと、前記第１タイプＵＥが、前記多重ＤＣＩが前記Ｐ−ＲＮＴＩを使用してスクランブルされ、かつ前記Ａビットの状態がプリセット状態であることを検出すると、前記第１タイプＵＥは、前記Ｘビットまたは前記Ｘビットのページング指示ビットフィールド以外のビットに基づいて掃引モードで送信されたページングメッセージを検出することと、前記第１タイプＵＥが、前記多重ＤＣＩが前記Ｐ−ＲＮＴＩを使用してスクランブルされ、かつ前記Ａビットが前記プリセット状態以外の他の状態であることを検出すると、前記第１タイプＵＥは、前記多重ＤＣＩを廃棄することと、を含み、前記Ａビットの状態は前記Ａビットに対応する状態であり、前記プリセット状態は、前記第１タイプＵＥと前記第２タイプＵＥに掃引モードで送信されたページングメッセージを検出するように指示する状態とするために、事前に前記Ａビットに対応するすべての状態から任意に選択した１つであり、前記ページング指示ビットフィールドは、ハイブリッド自動再送要求ＨＡＲＱプロセス番号のビットフィールドと、下り割り当てインデックスのビットフィールドと、の少なくとも１つを含み、
前記ＵＥが前記第２タイプＵＥであり、かつ前記Ｒｅｌ−１５の後続バージョンにある場合、前記ＵＥがＡビットに基づいて動作を行うことは、
前記第２タイプＵＥが、前記多重ＤＣＩが前記プリセットＲＮＴＩを使用してスクランブルされたことを検出すると、前記第２タイプＵＥは、前記Ａビットを破棄し、前記Ｘビットに基づいて対応するＰＤＳＣＨを検出することと、前記第２タイプＵＥが、前記多重ＤＣＩが前記Ｐ−ＲＮＴＩを使用してスクランブルされ、かつ前記Ａビットの状態がプリセット状態であることを検出すると、前記第２タイプＵＥは、前記Ｘビットまたは前記Ｘビットのページング指示ビットフィールド以外のビットに基づいて掃引モードで送信されたページングメッセージを検出することと、前記第２タイプＵＥが、前記多重ＤＣＩが前記Ｐ−ＲＮＴＩを使用してスクランブルされ、かつ前記Ａビットの状態が前記プリセット状態以外の他の状態であることを検出すると、前記第２タイプＵＥは、前記Ｘビットまたは前記Ｘビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３１に記載の情報伝送方法。
【請求項３３】
前記ＵＥが前記第１タイプＵＥであり、かつ前記Ｒｅｌ−１５にある場合、または前記ＵＥが前記第１タイプＵＥであり、かつ前記Ｒｅｌ−１５の後続バージョンにある場合、前記ＵＥがＡビットに基づいて動作を行うことは、
前記第１タイプＵＥが、前記多重ＤＣＩが前記プリセットＲＮＴＩを使用してスクランブルされたことを検出すると、前記第１タイプＵＥは、前記Ａビットを破棄し、前記Ｘビットに基づいて対応するＰＤＳＣＨを検出することと、前記第１タイプＵＥが、前記多重ＤＣＩが前記Ｐ−ＲＮＴＩを使用してスクランブルされたことを検出すると、前記第１タイプＵＥは、前記Ａビットを破棄し、前記Ｘビットまたは前記Ｘビットのページング指示ビットフィールド以外のビットに基づいて掃引モードで送信されたページングメッセージを検出することと、を含み、前記ページング指示は、単一のページング指示またはページング指示グループであり、前記ページング指示ビットフィールドは、ＨＡＲＱプロセス番号のビットフィールドと、下り割り当てインデックスのビットフィールドと、の少なくとも１つを含み、
前記ＵＥが前記第２タイプＵＥであり、かつ前記Ｒｅｌ−１５の後続バージョンにある場合、前記ＵＥがＡビットに基づいて動作を行うことは、
前記第２タイプＵＥが、前記多重ＤＣＩが前記プリセットＲＮＴＩを使用してスクランブルされたことを検出すると、前記第２タイプＵＥは、前記Ａビットを破棄し、前記Ｘビットに基づいて対応するＰＤＳＣＨを検出することと、前記第２タイプＵＥが、前記多重ＤＣＩが前記Ｐ−ＲＮＴＩを使用してスクランブルされたことを検出すると、前記第２タイプＵＥは、前記Ｘビットまたは前記Ｘビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３１に記載の情報伝送方法。
【請求項３４】
前記ＵＥが前記第１タイプＵＥであり、かつ前記Ｒｅｌ−１５にある場合、または前記ＵＥが前記第１タイプＵＥであり、かつ前記Ｒｅｌ−１５の後続バージョンにある場合、前記ＵＥがＲビットに基づいて動作を行うことは、
前記第１タイプＵＥが、前記多重ＤＣＩが前記プリセットＲＮＴＩを使用してスクランブルされたことを検出すると、前記第１タイプＵＥは、前記Ｘビットに基づいて対応するＰＤＳＣＨを検出することと、前記第１タイプＵＥが、前記多重ＤＣＩが前記Ｐ−ＲＮＴＩを使用してスクランブルされ、かつ前記Ｒビットの状態がプリセット状態であることを検出すると、前記第１タイプＵＥは、（Ｘ−Ｒ）ビットまたは前記（Ｘ−Ｒ）ビットのページング指示ビットフィールド以外のビットに基づいて掃引モードで送信されたページングメッセージを検出することと、前記第１タイプＵＥが、前記多重ＤＣＩが前記Ｐ−ＲＮＴＩを使用してスクランブルされ、かつ前記Ｒビットが前記プリセット状態以外の他の状態であることを検出すると、前記第１タイプＵＥは、前記多重ＤＣＩを廃棄することと、を含み、前記Ｒビットの状態は前記Ｒビットに対応する状態であり、前記プリセット状態は、前記第１タイプＵＥと前記第２タイプＵＥに掃引モードで送信されたページングメッセージを検出するように指示する状態とするために、事前にＲビットに対応するすべての状態から任意に選択した１つであり、前記ページング指示ビットフィールドは、ＨＡＲＱプロセス番号のビットフィールドと、下り割り当てインデックスのビットフィールドと、の少なくとも１つを含み、
前記ＵＥが前記第２タイプＵＥであり、かつ前記Ｒｅｌ−１５の後続バージョンにある場合、前記ＵＥがＲビットに基づいて動作を行うことは、
前記第２タイプＵＥが、前記多重ＤＣＩが前記プリセットＲＮＴＩを使用してスクランブルされたことを検出すると、前記第２タイプＵＥは、前記Ｘビットに基づいて対応するＰＤＳＣＨを検出することと、前記第２タイプＵＥが、前記多重ＤＣＩが前記Ｐ−ＲＮＴＩを使用してスクランブルされ、かつ前記Ｒビットの状態がプリセット状態であることを検出すると、前記第２タイプＵＥは、前記（Ｘ−Ｒ）ビットまたは前記（Ｘ−Ｒ）ビットのページング指示ビットフィールド以外のビットに基づいて掃引モードで送信されたページングメッセージを検出することと、前記第２タイプＵＥが、前記多重ＤＣＩが前記Ｐ−ＲＮＴＩを使用してスクランブルされ、かつ前記Ｒビットの状態が前記プリセット状態以外の他の状態であることを検出すると、前記第２タイプＵＥは、前記（Ｘ−Ｒ）ビットまたは前記（Ｘ−Ｒ）ビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３１に記載の情報伝送方法。
【請求項３５】
前記ＵＥが前記第１タイプＵＥであり、かつＲｅｌ−１５にある場合、または前記ＵＥが前記第１タイプＵＥであり、かつ前記Ｒｅｌ−１５の後続バージョンにある場合、前記ＵＥがＲビットに基づいて動作を行うことは、
前記第１タイプＵＥが、前記多重ＤＣＩが前記プリセットＲＮＴＩを使用してスクランブルされたことを検出すると、前記第１タイプＵＥは、前記Ｘビットに基づいて対応するＰＤＳＣＨを検出することと、前記第１タイプＵＥが、前記多重ＤＣＩが前記Ｐ−ＲＮＴＩを使用してスクランブルされたことを検出すると、前記第１タイプＵＥは、（Ｘ−Ｒ）ビットまたは前記（Ｘ−Ｒ）ビットのページング指示ビットフィールド以外のビットに基づいて掃引モードで送信されたページングメッセージを検出することと、を含み、前記Ｒビットの状態は前記Ｒビットに対応する状態であり、前記プリセット状態は、前記第１タイプＵＥと前記第２タイプＵＥに掃引モードで送信されたページングメッセージを検出するように指示する状態とするために、事前にＲビットに対応するすべての状態から任意に選択した１つであり、前記ページング指示ビットフィールドは、ＨＡＲＱプロセス番号のビットフィールドと、下り割り当てインデックスのビットフィールドと、の少なくとも１つを含み、
前記ＵＥが前記第２タイプＵＥであり、かつ前記Ｒｅｌ−１５の後続バージョンにある場合、前記ＵＥがＲビットに基づいて動作を行うことは、
前記第２タイプＵＥが、前記多重ＤＣＩが前記プリセットＲＮＴＩを使用してスクランブルされたことを検出すると、前記第２タイプＵＥは、前記Ｘビットに基づいて対応するＰＤＳＣＨを検出することと、前記第２タイプＵＥが、前記多重ＤＣＩが前記Ｐ−ＲＮＴＩを使用してスクランブルされたことを検出すると、前記第２タイプＵＥは、前記（Ｘ−Ｒ）ビットまたは前記（Ｘ−Ｒ）ビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３１に記載の情報伝送方法。
【請求項３６】
前記ＵＥが前記第１タイプＵＥであり、かつＲｅｌ−１５にある場合、または前記ＵＥが前記第１タイプＵＥであり、かつ前記Ｒｅｌ−１５の後続バージョンにある場合、前記ＵＥが第１タイプＰ−ＲＮＴＩの意味と第２タイプＰ−ＲＮＴＩの意味に基づいて動作を行うことは、
前記第１タイプＵＥが、前記多重ＤＣＩが前記プリセットＲＮＴＩを使用してスクランブルされたことを検出すると、前記第１タイプＵＥは、前記Ｘビットに基づいて対応するＰＤＳＣＨを検出することと、前記第１タイプＵＥが、前記多重ＤＣＩが前記第１タイプＰ−ＲＮＴＩを使用してスクランブルされたことを検出すると、前記第１タイプＵＥは、前記Ｘビットまたは前記Ｘビットのページング指示ビットフィールド以外のビットに基づいて掃引モードで送信されたページングメッセージを検出することと、前記第１タイプＵＥが、前記多重ＤＣＩが前記第２タイプＰ−ＲＮＴＩを使用してスクランブルされたことを検出すると、前記第１タイプＵＥは、前記多重ＤＣＩを廃棄し、または、前記第２タイプＰ−ＲＮＴＩを使用してデスクランブルした後に前記多重ＤＣＩを廃棄することと、を含み、
前記ＵＥが前記第２タイプＵＥであり、かつ前記Ｒｅｌ−１５の後続バージョンにある場合、前記ＵＥが第１タイプＰ−ＲＮＴＩの意味と第２タイプＰ−ＲＮＴＩの意味に基づいて動作を行うことは、
前記第２タイプＵＥが、前記多重ＤＣＩが前記プリセットＲＮＴＩを使用してスクランブルされたことを検出すると、前記第２タイプＵＥは、前記Ｘビットに基づいて対応するＰＤＳＣＨを検出することと、前記第２タイプＵＥが、前記多重ＤＣＩが前記第１タイプＰ−ＲＮＴＩを使用してスクランブルされたことを検出すると、前記第２タイプＵＥは、前記Ｘビットまたは前記Ｘビットのページング指示ビットフィールド以外のビットに基づいて掃引モードで送信されたページングメッセージを検出することと、前記第２タイプＵＥが、前記多重ＤＣＩが前記第２タイプＰ−ＲＮＴＩを使用してスクランブルされたことを検出すると、前記第２タイプＵＥは、前記Ｘビットまたは前記Ｘビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３１に記載の情報伝送方法。
【請求項３７】
ＵＥは、基地局が送信した多重ＤＣＩを受信することと、前記ＵＥは、前記多重ＤＣＩに設定された指示情報に基づいて動作を行うことと、を含み、前記多重ＤＣＩは、基地局が直接指示のＤＣＩを多重化したＤＣＩであり、その中のプリセットビットが直接指示を示す場合、直接指示のＤＣＩであり、ページングを示す場合、ページングのＤＣＩである、情報伝送方法。
【請求項３８】
前記ＵＥが多重ＤＣＩに設定された指示情報に基づいて動作を行うことは、
前記基地局が前記多重ＤＣＩにＢビットを追加して前記Ｂビットの意味を定義した場合、前記ＵＥは、前記Ｂビットに基づいて動作を行い、前記多重ＤＣＩ自体は、Ｙビットを含み、前記ＵＥは、第１タイプＵＥと第２タイプＵＥとを含み、前記第１タイプＵＥは、３ＧＰＰのＲｅｌ−１５のＵＥであり、前記第２タイプＵＥは、前記Ｒｅｌ−１５の後続バージョンのＵＥであり、
または、
前記基地局は、前記多重ＤＣＩからＳビットを選択して前記Ｓビットの意味を定義した場合、前記ＵＥは、前記Ｓビットに基づいて動作を行い、ＳはＹ未満であり、
または、
前記基地局が前記Ｐ−ＲＮＴＩを２つのタイプに分けて２つのタイプのＰ−ＲＮＴＩの意味を定義した場合、前記ＵＥは、第１タイプＰ−ＲＮＴＩの意味と第２タイプＰ−ＲＮＴＩの意味に基づいて動作を行うこと、を含む、請求項３７に記載の情報伝送方法。
【請求項３９】
前記ＵＥが前記第１タイプＵＥであり、かつ前記Ｒｅｌ−１５にある場合、または前記ＵＥが前記第１タイプＵＥであり、かつ前記Ｒｅｌ−１５の後続バージョンにある場合、前記ＵＥがＢビットに基づいて動作を行うことは、
前記第１タイプＵＥが、前記多重ＤＣＩのプリセットビットが直接指示を示すことを検出すると、前記第１タイプＵＥは、前記Ｂビットを破棄し、前記Ｙビットに基づいて対応するＰＤＳＣＨを検出することと、前記第１タイプＵＥが、前記多重ＤＣＩのプリセットビットがページングを示し、かつ前記Ｂビットの状態がプリセット状態であることを検出すると、前記第１タイプＵＥは、前記Ｙビットまたは前記Ｙビットのページング指示ビットフィールド以外のビットに基づいて掃引モードで送信されたページングメッセージを検出することと、前記第１タイプＵＥが、前記多重ＤＣＩのプリセットビットがページングを示し、かつ前記Ｂビットが前記プリセット状態以外の他の状態であることを検出すると、前記第１タイプＵＥは、前記多重ＤＣＩを廃棄することと、を含み、前記Ｂビットの状態は前記Ｂビットに対応する状態であり、前記プリセット状態は、前記第１タイプＵＥと前記第２タイプＵＥに掃引モードで送信されたページングメッセージを検出するように指示する状態とするために、事前に前記Ｂビットに対応するすべての状態から任意に選択した１つであり、前記ページング指示ビットフィールドは、ＨＡＲＱプロセス番号のビットフィールドと、下り割り当てインデックスのビットフィールドと、の少なくとも１つを含み、
前記ＵＥが前記第２タイプＵＥであり、かつ前記Ｒｅｌ−１５の後続バージョンにある場合、前記ＵＥがＢビットに基づいて動作を行うことは、
前記第２タイプＵＥが、前記多重ＤＣＩのプリセットビットが直接指示を示すことを検出すると、前記第２タイプＵＥは、前記Ｂビットを破棄し、前記Ｙビットに基づいて対応するＰＤＳＣＨを検出することと、前記第２タイプＵＥが、前記多重ＤＣＩのプリセットビットがページングを示し、かつ前記Ｂビットの状態がプリセット状態であることを検出すると、前記第２タイプＵＥは、前記Ｙビットまたは前記Ｙビットのページング指示ビットフィールド以外のビットに基づいて掃引モードで送信されたページングメッセージを検出することと、前記第２タイプＵＥが、前記多重ＤＣＩのプリセットビットがページングを示し、かつ前記Ｂビットの状態が前記プリセット状態以外の他の状態であることを検出すると、前記第２タイプＵＥは、前記Ｙビットまたは前記Ｙビットのページング指示ビットフィールド以外のビットに基づき、前記Ｂビットに対応するページングメカニズムであると認識し、前記Ｂビットを対応する非掃引モードと、ページング指示と、の少なくとも１つに切り替えることと、を含み、前記ページング指示は、単一のページング指示またはページング指示グループである、請求項３７に記載の情報伝送方法。
【請求項４０】
前記ＵＥが前記第１タイプＵＥであり、かつ前記Ｒｅｌ−１５にある場合、または前記ＵＥが前記第１タイプＵＥであり、かつ前記Ｒｅｌ−１５の後続バージョンにある場合、前記ＵＥがＢビットに基づいて動作を行うことは、
前記第１タイプＵＥが、前記多重ＤＣＩのプリセットビットが直接指示を示すことを検出すると、前記第１タイプＵＥは、前記Ｂビットを破棄し、前記Ｙビットに基づいて対応するＰＤＳＣＨを検出することと、前記第１タイプＵＥが、前記多重ＤＣＩのプリセットビットがページングを示すことを検出すると、前記第１タイプＵＥは、前記Ｂビットを破棄し、前記Ｙビットまたは前記Ｙビットのページング指示ビットフィールド以外のビットに基づいて掃引モードで送信されたページングメッセージを検出することと、を含み、前記ページング指示は、単一のページング指示またはページング指示グループであり、前記ページング指示ビットフィールドは、ＨＡＲＱプロセス番号のビットフィールドと、下り割り当てインデックスのビットフィールドと、の少なくとも１つを含み、
前記ＵＥが前記第２タイプＵＥであり、かつ前記Ｒｅｌ−１５の後続バージョンにある場合、前記ＵＥがＢビットに基づいて動作を行うことは、
前記第２タイプＵＥが、前記多重ＤＣＩのプリセットビットが直接指示を示すことを検出すると、前記第２タイプＵＥは、前記Ｂビットを破棄し、前記Ｙビットに基づいて対応するＰＤＳＣＨを検出することと、前記第２タイプＵＥが、前記多重ＤＣＩのプリセットビットがページングを示すことを検出すると、前記第２タイプＵＥは、前記Ｙビットまたは前記Ｙビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３８に記載の情報伝送方法。
【請求項４１】
前記ＵＥが前記第１タイプＵＥであり、かつ前記Ｒｅｌ−１５にある場合、または前記ＵＥが前記第１タイプＵＥであり、かつ前記Ｒｅｌ−１５の後続バージョンにある場合、前記ＵＥがＳビットに基づいて動作を行うことは、
前記第１タイプＵＥが、前記多重ＤＣＩのプリセットビットが直接指示を示すことを検出すると、前記第１タイプＵＥは、前記Ｙビットに基づいて対応するＰＤＳＣＨを検出することと、前記第１タイプＵＥが、前記多重ＤＣＩのプリセットビットがページングを示し、かつ前記Ｓビットの状態がプリセット状態であることを検出すると、前記第１タイプＵＥは、前記（Ｙ−Ｓ）ビットまたは前記（Ｙ−Ｓ）ビットのページング指示ビットフィールド以外のビットに基づいて掃引モードで送信されたページングメッセージを検出することと、前記第１タイプＵＥが、前記多重ＤＣＩのプリセットビットがページングを示し、かつ前記Ｓビットが前記プリセット状態以外の他の状態であることを検出すると、前記第１タイプＵＥは、前記多重ＤＣＩを廃棄することと、を含み、前記Ｓビットの状態は前記Ｓビットに対応する状態であり、前記プリセット状態は、前記第１タイプＵＥと前記第２タイプＵＥに掃引モードで送信されたページングメッセージを検出するように指示する状態とするために、事前にＳビットに対応するすべての状態から任意に選択した１つであり、前記ページング指示ビットフィールドは、ＨＡＲＱプロセス番号のビットフィールドと、下り割り当てインデックスのビットフィールドと、の少なくとも１つを含み、
前記ＵＥが前記第２タイプＵＥであり、かつ前記Ｒｅｌ−１５の後続バージョンにある場合、前記ＵＥがＳビットに基づいて動作を行うことは、
前記第２タイプＵＥが、前記多重ＤＣＩのプリセットビットが直接指示を示すことを検出すると、前記第２タイプＵＥは、前記Ｙビットに基づいて対応するＰＤＳＣＨを検出することと、前記第２タイプＵＥが、前記多重ＤＣＩのプリセットビットがページングを示し、かつ前記Ｓビットの状態がプリセット状態であることを検出すると、前記第２タイプＵＥは、前記（Ｙ−Ｓ）ビットまたは前記（Ｙ−Ｓ）ビットのページング指示ビットフィールド以外のビットに基づいて掃引モードで送信されたページングメッセージを検出することと、前記第２タイプＵＥが、前記多重ＤＣＩのプリセットビットがページングを示し、かつ前記Ｓビットの状態が前記プリセット状態以外の他の状態であることを検出すると、前記第２タイプＵＥは、前記（Ｙ−Ｓ）ビットまたは前記（Ｙ−Ｓ）ビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３８に記載の情報伝送方法。
【請求項４２】
前記ＵＥが前記第１タイプＵＥであり、かつＲｅｌ−１５にある場合、または前記ＵＥが前記第１タイプＵＥであり、かつ前記Ｒｅｌ−１５の後続バージョンにある場合、前記ＵＥがＳビットに基づいて動作を行うことは、
前記第１タイプＵＥが、前記多重ＤＣＩのプリセットビットが直接指示を示すことを検出すると、前記第１タイプＵＥは、前記Ｙビットに基づいて対応するＰＤＳＣＨを検出することと、前記第１タイプＵＥが、前記多重ＤＣＩのプリセットビットがページングを示すことを検出すると、前記第１タイプＵＥは、（Ｙ−Ｓ）ビットまたは前記（Ｙ−Ｓ）ビットのページング指示ビットフィールド以外のビットに基づいて掃引モードで送信されたページングメッセージを検出することと、を含み、前記Ｓビットの状態は前記Ｓビットに対応する状態であり、前記プリセット状態は、前記第１タイプＵＥと前記第２タイプＵＥに掃引モードで送信されたページングメッセージを検出するように指示する状態とするために、事前にＳビットに対応するすべての状態から任意に選択した１つであり、前記ページング指示ビットフィールドは、ＨＡＲＱプロセス番号のビットフィールドと、下り割り当てインデックスのビットフィールドと、の少なくとも１つを含み、
前記ＵＥが前記第２タイプＵＥであり、かつ前記Ｒｅｌ−１５の後続バージョンにある場合、前記ＵＥがＳビットに基づいて動作を行うことは、
前記第２タイプＵＥが、前記多重ＤＣＩのプリセットビットが直接指示を示すことを検出すると、前記第２タイプＵＥは、前記Ｙビットに基づいて対応するＰＤＳＣＨを検出することと、前記第２タイプＵＥが、前記多重ＤＣＩのプリセットビットがページングを示すことを検出すると、前記第２タイプＵＥは、前記（Ｙ−Ｓ）ビットまたは前記（Ｙ−Ｓ）ビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３８に記載の情報伝送方法。
【請求項４３】
前記ＵＥが前記第１タイプＵＥであり、かつＲｅｌ−１５にある場合、または前記ＵＥが前記第１タイプＵＥであり、かつ前記Ｒｅｌ−１５の後続バージョンにある場合、前記ＵＥが第１タイプＰ−ＲＮＴＩの意味と第２タイプＰ−ＲＮＴＩの意味に基づいて動作を行うことは、
前記第１タイプＵＥが、前記多重ＤＣＩが前記プリセットＲＮＴＩを使用してスクランブルされたことを検出すると、前記第１タイプＵＥは、前記Ｙビットに基づいて対応するＰＤＳＣＨを検出することと、前記第１タイプＵＥが、前記多重ＤＣＩが前記第１タイプＰ−ＲＮＴＩを使用してスクランブルされたことを検出すると、前記第１タイプＵＥは、前記Ｙビットまたは前記Ｙビットのページング指示ビットフィールド以外のビットに基づいて掃引モードで送信されたページングメッセージを検出することと、前記第１タイプＵＥが、前記多重ＤＣＩが前記第２タイプＰ−ＲＮＴＩを使用してスクランブルされたことを検出すると、前記第１タイプＵＥは、前記多重ＤＣＩを廃棄し、または、前記第２タイプＰ−ＲＮＴＩを使用してデスクランブルした後に前記多重ＤＣＩを廃棄することと、を含み、
前記ＵＥが前記第２タイプＵＥであり、かつ前記Ｒｅｌ−１５の後続バージョンにある場合、前記ＵＥが第１タイプＰ−ＲＮＴＩの意味と第２タイプＰ−ＲＮＴＩの意味に基づいて動作を行うことは、
前記第２タイプＵＥが、前記多重ＤＣＩが前記プリセットＲＮＴＩを使用してスクランブルされたことを検出すると、前記第２タイプＵＥは、前記Ｙビットに基づいて対応するＰＤＳＣＨを検出することと、前記第２タイプＵＥが、前記多重ＤＣＩが前記第１タイプＰ−ＲＮＴＩを使用してスクランブルされたことを検出すると、前記第２タイプＵＥは、前記Ｙビットまたは前記Ｙビットのページング指示ビットフィールド以外のビットに基づいて掃引モードで送信されたページングメッセージを検出することと、前記第２タイプＵＥが、前記多重ＤＣＩが前記第２タイプＰ−ＲＮＴＩを使用してスクランブルされたことを検出すると、前記第２タイプＵＥは、前記Ｙビットまたは前記Ｙビットのページング指示ビットフィールド以外のビットに基づいて対応する非掃引モードと、ページング指示と、の少なくとも１つに切り替えることと、を含み、前記ページング指示は、単一のページング指示またはページング指示グループである、請求項３８に記載の情報伝送方法。
【請求項４４】
ＵＥは、自身のページング時刻を計算することと、
前記ＵＥは、取得されたページング時刻に対応するページング制御リソースセットまたはページング検索空間位置で、ページングＤＣＩの位置を決定することと、
前記ＵＥは、決定された位置で基地局が送信したページングＤＣＩを受信することと、を含む、情報伝送方法。
【請求項４５】
前記ＵＥが自身のページング時刻を計算することは、
ＤＲＸ周期がＰ個の時間領域方向のページング時刻を含む場合、前記ＵＥは、ＵＥ＿ＩＤｍｏｄ  （Ｐ）によって自身のページング時刻を計算することと、前記ＤＲＸ周期がＮ個のページングフレームを含み、かつ各ページングフレームがＰ個の時間領域方向のページング時刻を含む場合、前記ＵＥは、ｆｌｏｏｒ  （ＵＥ＿ＩＤ／Ｎ）ｍｏｄ  （Ｐ）によって自身のページング時刻を計算することと、を含み、前記ＵＥ＿ＩＤは、ページングメッセージ内のＳ−ＴＭＳＩまたはＩＭＳＩであり、前記時間領域方向のページング時刻に対応する周波数領域方向のページング制御リソースセットまたはページング検索空間の数は、ＢＷＰの数以下である、請求項４４に記載の情報伝送方法。
【請求項４６】
前記ＵＥが、決定された位置で基地局が送信したページングＤＣＩを受信することは、
前記ＵＥは、時間領域方向のページング時刻に対応する周波数領域方向の各ページング制御リソースセットまたはページング検索空間位置で、前記時間領域方向のページング時刻に対応するページングＤＣＩを検出することと、
前記ＵＥは、ページングＤＣＩに基づいてページングメッセージのリソース位置でページングメッセージを検出することと、を含む、請求項４５に記載の情報伝送方法。
【請求項４７】
前記ＵＥがページングＤＣＩに基づいてページングメッセージのリソース位置でページングメッセージを検出することは、
前記ページングＤＣＩにページングメッセージの時間領域位置の指示フィールドが含まれている場合、前記ＵＥは、前記時間領域位置の指示フィールドに対応する時間領域リソースで前記ページングメッセージを検出することと、ページングＤＣＩにページングメッセージのＢＷＰインデックスが含まれている場合、前記ＵＥは、ＢＷＰインデックスに対応するＢＷＰリソースで前記ページングメッセージを検出することと、ページングＤＣＩに前記ページングメッセージの時間領域位置の指示フィールドとＢＷＰインデックスが含まれている場合、前記ＵＥは、前記時間領域位置の指示フィールドに対応する時間領域リソースと前記ＢＷＰインデックスに対応するＢＷＰリソースでページングメッセージを検出することと、を含む、請求項４６に記載の情報伝送方法。
【請求項４８】
前記ＵＥが自身のページング時刻を計算することは、
ＤＲＸ周期がＰ個の時間領域方向のページング時刻とＱ個の周波数領域方向のページング時刻を含む場合、前記ＵＥは、第１プリセット計算方式によって自身のページング時刻を計算することと、前記ＤＲＸ周期がＮ個のページングフレームを含み、かつ各ページングフレームがＰ個の時間領域方向のページング時刻とＱ個の周波数領域方向のページング時刻を含む場合、前記ＵＥは、第２プリセット方式によって自身のページング時刻を計算することと、を含み、前記第１プリセット計算方式は、ＵＥ＿ＩＤ  ｍｏｄ  （Ｐ＊Ｑ）と、ＵＥ＿ＩＤ  ｍｏｄ  （Ｐ）  ｍｏｄ  （Ｑ）と、ＵＥ＿ＩＤ  ｍｏｄ  （Ｑ）  ｍｏｄ  （Ｐ）と、のいずれか１つの計算方式であり、前記第２プリセット計算方式は、ｆｌｏｏｒ  （ＵＥ＿ＩＤ／Ｎ）  ｍｏｄ  （Ｐ＊Ｑ）と、ｆｌｏｏｒ  （ＵＥ＿ＩＤ／Ｎ）  ｍｏｄ  （Ｐ）  ｍｏｄ  （Ｑ）と、ｆｌｏｏｒ  （ＵＥ＿ＩＤ／Ｎ）  ｍｏｄ  （Ｑ）  ｍｏｄ（Ｐ）と、のいずれか１つの計算方式であり、前記ＵＥ＿ＩＤは、ページングメッセージ内のＳ−ＴＭＳＩまたはＩＭＳＩであり、前記Ｑ個の周波数領域方向のページング時刻は、Ｑ個のページング制御リソースセットまたはページング検索空間に対応し、Ｑは、ＢＷＰの数以下である、請求項４４に記載の情報伝送方法。
【請求項４９】
前記ＵＥが、決定された位置で基地局が送信したページングＤＣＩを受信することは、
前記ＵＥは、時間領域方向のページング時刻に対応する１つの周波数領域方向のページング時刻のページング制御リソースセットまたはページング検索空間位置で、前記時間領域方向のページング時刻に対応する前記周波数領域方向のページング時刻に対応するページングＤＣＩを検出することと、
前記ＵＥは、ページングＤＣＩに基づいてページングメッセージのリソース位置でページングメッセージを検出することと、を含む、請求項４８に記載の情報伝送方法。
【請求項５０】
前記ＵＥがページングＤＣＩに基づいてページングメッセージのリソース位置でページングメッセージを検出することは、
前記ページングＤＣＩにページングメッセージの時間領域位置の指示フィールドが含まれている場合、前記ＵＥは、前記時間領域位置の指示フィールドに対応する時間領域リソースで前記ページングメッセージを検出することと、ページングＤＣＩにページングメッセージのＢＷＰインデックスが含まれている場合、前記ＵＥは、ＢＷＰインデックスに対応するＢＷＰリソースで前記ページングメッセージを検出することと、ページングＤＣＩに前記ページングメッセージの時間領域位置の指示フィールドとＢＷＰインデックスが含まれている場合、前記ＵＥは、前記時間領域位置の指示フィールドに対応する時間領域リソースと前記ＢＷＰインデックスに対応するＢＷＰリソースでページングメッセージを検出することと、を含む、請求項４９に記載の情報伝送方法。
【請求項５１】
ＢＷＰインデックスによって示されるＢＷＰには、前記ページング制御リソースセットと前記ページング検索空間が割り当てられない、請求項４５または４８に記載の情報伝送方法。
【請求項５２】
前記ＢＷＰでＳＳＢが存在せず、かつ前記ページング制御リソースセットと、ＯＳＩセットと、ＲＭＳＩセットと、のうちの少なくとも１つが構成されている場合、前記ＵＥは、前記ＳＳＢが存在する方式に従って構成されたセットに対してリソースマッピングし、前記セットの時間・周波数リソース構成と、初期アクセスＢＷＰでのＲＭＳＩセットの時間・周波数リソース構成とは、同じであり、前記ＳＳＢの１つ目のリソースブロックインデックスは、前記ＵＥによって検出され、または前記基地局によって構成され、または、前記セットの時間・周波数リソース構成と、初期アクセスＢＷＰでのＲＭＳＩセットの時間・周波数リソース構成とは、同じであり、前記セットの１つ目のリソースブロックインデックスは、前記基地局によって構成される、請求項４５または４８に記載の情報伝送方法。
【請求項５３】
前記ＢＷＰでページング制御リソースセットと、ＯＳＩセットと、ＲＭＳＩセットと、のうちの少なくとも１つが構成されている場合、前記ＢＷＰでＳＳＢが存在するか否かにかかわらず、前記ＵＥは、前記ＳＳＢが存在する方式に従って構成されたセットに対してリソースマッピングし、前記セットの時間・周波数リソース構成と、初期アクセスＢＷＰでのＲＭＳＩセットの時間・周波数リソース構成とは、同じであり、前記ＳＳＢの１つ目のリソースブロックインデックスは、前記ＵＥによって検出され、または前記基地局によって構成され、または、前記セットの時間・周波数リソース構成と、初期アクセスＢＷＰでのＲＭＳＩセットの時間・周波数リソース構成とは、同じであり、前記セットの１つ目のリソースブロックインデックスは、前記基地局によって構成される、請求項４５または４８に記載の情報伝送方法。
【請求項５４】
ＵＥは、構成されるかまたはプリセットされた方式で、実際に送信するＳＳＢの数Ｅに基づいてＢＷＰで構成されたセットに対してリソースの関連付けを行うことを含み、前記構成されたセットは、ページング制御リソースセットと、ＯＳＩセットと、のうちの少なくとも１つを含む、情報伝送方法。
【請求項５５】
前記ＵＥが、構成されるかまたはプリセットされた方式で、実際に送信するＳＳＢの数Ｅに基づいてＢＷＰで構成されたセットに対してリソースの関連付けを行うことは、
前記ＵＥが、構成されるかまたはプリセットされた方式で、実際に送信するＳＳＢの数Ｅに基づき、関連するＳＳＢインデックスを調整し、調整後の関連するＳＳＢインデックスｉを取得することと、
前記ＵＥは、ｉに基づいてＢＷＰで構成されたセットの１つ目のスロットインデックスを計算することと、を含み、ｉ＝ｊ＋ｏｆｆｓｅｔであり、ｊは実際に送信するＳＳＢの論理インデックスを表し、ｊと実際に送信するＳＳＢの実際のインデックスとは昇順で１対１で対応し、ｊの値の範囲は｛０，１，２…Ｅ−１｝であり、ｏｆｆｓｅｔはオフセットである、請求項５４に記載の情報伝送方法。
【請求項５６】
前記ＵＥが、構成されるかまたはプリセットされた方式で、実際に送信するＳＳＢの数Ｅに基づいてＢＷＰで構成されたセットに対してリソースの関連付けを行うことは、
前記ＵＥが、プリセットされた方式で、実際に送信するＳＳＢの数Ｅに基づき、関連するＳＳＢインデックスｉを調整する場合、前記ＵＥは、ｉに基づいてＢＷＰで構成されたセットの１つ目のスロットインデックスを計算すること、を含み、前記ｉは、ＳＳＢを送信するための１つ目の位置を開始位置とし、実際に送信するＳＳＢの論理インデックスｊに１対１で対応し、または、前記ｉは、ＳＳＢを実際に送信する１つ目の位置を開始位置とし、実際に送信するＳＳＢの論理インデックスｊに１対１で対応し、または、前記ｉは、ＳＳＢを送信するための（Ｆ−Ｅ＋１）個目の位置を開始位置とし、実際に送信するＳＳＢの論理インデックスｊに１対１で対応し、ｊの値の範囲は、｛０，１，２…Ｅ−１｝である、請求項５４に記載の情報伝送方法。
【請求項５７】
前記ＵＥが、構成されるかまたはプリセットされた方式で、実際に送信するＳＳＢの数Ｅに基づいてＢＷＰで構成されたセットに対してリソースの関連付けを行うことは、
前記ＵＥが、構成される方式で、実際に送信するＳＳＢの数Ｅに基づき、関連するＳＳＢインデックスを調整すること、を含む、請求項５４に記載の情報伝送方法。
【請求項５８】
前記ＳＳＢインデックスに関連する構成されたリソースセットの検索ウィンドウは、前記ＳＳＢインデックスに関連するＲＭＳＩの検索ウィンドウであり、または実際に前記ＳＳＢインデックスに関連するＲＭＳＩの検索ウィンドウ以外の検索ウィンドウである、請求項５５〜５７のいずれか１項に記載の情報伝送方法。
【請求項５９】
多重ＤＣＩにおいて異なるタイプのＵＥに動作を行うように指示するための指示情報を設定するように設定される第１処理モジュールと、
前記多重ＤＣＩを前記ＵＥに送信するように設定される第１送信モジュールと、を含み、
多重ＤＣＩは、ＰＤＳＣＨのＤＣＩを多重化したＤＣＩであり、前記多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、前記プリセットＲＮＴＩは、前記Ｐ−ＲＮＴＩ以外のＲＮＴＩである、基地局。
【請求項６０】
多重ＤＣＩにおいて異なるタイプのＵＥに動作を行うように指示するための指示情報を設定するように設定される第２処理モジュールと、
前記多重ＤＣＩを前記ＵＥに送信するように設定される第２送信モジュールと、を含み、
前記多重ＤＣＩは、直接指示のＤＣＩの多重化されたＤＣＩであり、前記多重ＤＣＩのプリセットビットが直接指示を示す場合、直接指示のＤＣＩであり、ページングを示す場合、ページングのＤＣＩである、基地局。
【請求項６１】
ＵＥのページング時刻を計算するように設定される第１計算モジュールと、
取得されたページング時刻に対応するページング制御リソースセットまたはページング検索空間位置で、ページングＤＣＩの位置を決定するように設定される第３処理モジュールと、
決定された位置で前記ページングＤＣＩを前記ＵＥに送信するように設定される第３送信モジュールと、を含む、基地局。
【請求項６２】
構成またはプリセットの方式で、実際に送信するＳＳＢの数Ｅに基づいてＢＷＰで構成されたセットに対してリソースの関連付けを行うように設定される第４処理モジュールを含み、前記構成されたセットは、ページング制御リソースセットと、ＯＳＩセットと、のうちの少なくとも１つを含む、基地局。
【請求項６３】
基地局が送信した多重ＤＣＩを受信するように設定される第１受信モジュールと、前記多重ＤＣＩに設定された指示情報に基づいて動作を行うように設定される第５処理モジュールと、を含み、前記多重ＤＣＩは、基地局がＰＤＳＣＨのＤＣＩを多重化したＤＣＩであり、前記多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、前記プリセットＲＮＴＩは、前記Ｐ−ＲＮＴＩ以外のＲＮＴＩである、端末。
【請求項６４】
基地局が送信した多重ＤＣＩを受信するように設定される第２受信モジュールと、前記多重ＤＣＩに設定された指示情報に基づいて動作を行うように設定される第６処理モジュールと、を含み、前記多重ＤＣＩには、異なるタイプのＵＥに動作を行うように指示するための指示情報が設定されており、前記多重ＤＣＩは、基地局が直接指示のＤＣＩを多重化したＤＣＩであり、その中のプリセットビットが直接指示を示す場合、直接指示のＤＣＩであり、ページングを示す場合、ページングのＤＣＩである、端末。
【請求項６５】
端末のページング時刻を計算するように設定される第２計算モジュールと、
取得されたページング時刻に対応するページング制御リソースセットまたはページング検索空間位置で、ページングＤＣＩの位置を決定するように設定される第７処理モジュールと、
決定された位置で基地局が送信したページングＤＣＩを受信するように設定される第３受信モジュールと、を含む、端末。
【請求項６６】
構成されるかまたはプリセットされた方式で、実際に送信するＳＳＢの数Ｅに基づいてＢＷＰで構成されたセットに対してリソースの関連付けを行うように設定される第８処理モジュールを含み、前記構成されたセットは、ページング制御リソースセットと、ＯＳＩセットと、のうちの少なくとも１つを含む、端末。
【発明の詳細な説明】
【技術分野】
【０００１】
本開示実施例は、通信技術分野に関し、特に情報伝送方法および装置を指す。
【背景技術】
【０００２】
従来の無線サービスは、主に３００ＭＨｚ〜３ＧＨｚのスペクトルリソースを使用し、これらのスペクトルリソースは限られているが、無線技術の絶え間ない進歩に伴い、さまざまな無線サービスが大量に登場し、人々の帯域幅へのニーズが増加し続けることに対し、これらのスペクトルソースの占用は極めて緊迫した状況を示しており、すでに将来の無線通信へのニーズを満たすことができなくなっている。次世代無線通信システム（Ｎｅｗ  Ｒａｄｉｏ，ＮＲ）（ＮＲは、第５世代無線通信（ｔｈｅ  ５ｔｈ  Ｇｅｎｅｒａｔｉｏｎ  Ｍｏｂｉｌｅ  Ｃｏｍｍｕｎｉｃａｔｉｏｎ、５Ｇ）システムおよび５Ｇシステムの後の通信システムを含む）において、例えば、２８  ＧＨｚ、４５  ＧＨｚ、７０  ＧＨｚなどの第４世代無線通信（ｔｈｅ  ４ｔｈ  Ｇｅｎｅｒａｔｉｏｎ  Ｍｏｂｉｌｅ  Ｃｏｍｍｕｎｉｃａｔｉｏｎ、４Ｇ）システムで採用されているキャリア周波数よりも高いキャリア周波数を採用して通信する予定であり、このような高周波チャネルは、自由伝搬損失が大きく、酸素に吸収されやすく、雨減衰の影響が大きいなどの欠点があり、高周波通信システムのカバレッジ性能に深刻な影響を与えるが、同時に、このような高周波通信に対応する搬送周波数は、より短い波長を有するため、単位面積においてより多くのアンテナ要素が収容できることを保証でき、より多くのアンテナ要素は、アンテナ利得を向上させて高周波通信のカバレッジ性能を保証するためにビームフォーミングの方法を採用してもよいことを意味し、したがって、アンテナ利得を向上させるためにビームフォーミングの方法を採用することは間違いなく５Ｇシステムに適用される。
【０００３】
しかし、ビームフォーミングの方法を採用する原因で、ページングメカニズムにおける掃引モードによって消費されるリソースが大きすぎるため、第３世代パートナシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）のバージョン１５（ｔｈｅ  １５ｔｈ  Ｒｅｌｅａｓｅｄ、Ｒｅｌ−１５）において、Ｒｅｌ−１５の後続バージョンでより多くのページングメカニズムを適用してトラフィックチャネルの大規模な混雑と多すぎる無効な上りアクセスプロセスを回避するために、ページングメカニズムの切り替えの問題を解決する必要がある。
【０００４】
しかし、従来技術は対応する解決方法を欠けている。
【発明の概要】
【発明が解決しようとする課題】
【０００５】
上述した技術問題を解決するために、本開示実施例は、端末（Ｕｓｅｒ  Ｅｑｕｉｐｍｅｎｔ、ＵＥ）を動作させてページングメカニズムを切り替えることにより、トラフィックチャネルの大規模な混雑と多すぎる無効な上りアクセスプロセスを回避する情報伝送方法および装置を提供する。
【課題を解決するための手段】
【０００６】
本開示の目的を達成するために、本開示実施例は、
基地局は、多重ダウンリンク制御情報（Ｄｏｗｎｌｉｎｋ  Ｃｏｎｔｒｏｌ  Ｉｎｆｏｒｍａｔｉｏｎ、ＤＣＩ）に異なるタイプのＵＥに動作を行うように指示するための指示情報を設定することと、
前記基地局は、前記多重ＤＣＩをＵＥに送信することと、を含み、
多重ＤＣＩは、物理下り共有チャネル（Ｐｈｙｓｉｃａｌ  Ｄｏｗｎｌｉｎｋ  Ｓｈａｒｅｄ  ｃｈａｎｎｅｌ、ＰＤＳＣＨ）のＤＣＩを多重化したＤＣＩであり、前記多重ＤＣＩがプリセットの無線ネットワーク一時的識別子（Ｒａｄｉｏ  Ｎｅｔｗｏｒｋ  Ｔｅｍｐｏｒａｒｙ  Ｉｄｅｎｔｉｆｉｅｒ、ＲＮＴＩ）を使用してスクランブルされる場合、ＰＤＳＣＨのＤＣＩであり、ページング無線ネットワーク一時的識別子（Ｐａｇｉｎｇ−Ｒａｄｉｏ  Ｎｅｔｗｏｒｋ  Ｔｅｍｐｏｒａｒｙ  Ｉｄｅｎｔｉｆｉｅｒ、Ｐ−ＲＮＴＩ）を使用してスクランブルされる場合、ページングＤＣＩであり、前記プリセットＲＮＴＩは、前記Ｐ−ＲＮＴＩ以外のＲＮＴＩである、情報伝送方法を提供する。
【０００７】
本開示実施例は、
ＵＥは、基地局が送信した多重ＤＣＩを受信することと、前記ＵＥは、前記多重ＤＣＩに設定された指示情報に基づいて動作を行うことと、を含み、前記多重ＤＣＩは、基地局がＰＤＳＣＨのＤＣＩを多重化したＤＣＩであり、前記多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、前記プリセットＲＮＴＩは、前記Ｐ−ＲＮＴＩ以外のＲＮＴＩである、
情報伝送方法をさらに提供する。
【０００８】
本開示実施例は、
多重ＤＣＩにおいて異なるタイプのＵＥに動作を行うように指示するための指示情報を設定するように設定される第１処理モジュールと、
前記多重ＤＣＩを前記ＵＥに送信するように設定される第１送信モジュールと、を含み、
多重ＤＣＩは、ＰＤＳＣＨのＤＣＩを多重化したＤＣＩであり、前記多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、前記プリセットＲＮＴＩは、前記Ｐ−ＲＮＴＩ以外のＲＮＴＩである、基地局をさらに提供する。
【０００９】
本開示実施例は、
基地局が送信した多重ＤＣＩを受信するように設定される第１受信モジュールと、前記多重ＤＣＩに設定された指示情報に基づいて動作を行うように設定される第３処理モジュールと、を含み、前記多重ＤＣＩは、基地局がＰＤＳＣＨのＤＣＩを多重化したＤＣＩであり、前記多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、前記プリセットＲＮＴＩは、前記Ｐ−ＲＮＴＩ以外のＲＮＴＩである、
ＵＥをさらに提供する。
【００１０】
従来技術と比べ、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【００１１】
本開示実施例は、
前記基地局は、前記多重ＤＣＩにおいて異なるタイプのＵＥに動作を行うように指示するための指示情報を設定することと、
前記基地局は、前記多重ＤＣＩを前記ＵＥに送信することと、を含み、
多重ＤＣＩは、直接指示のＤＣＩの多重化されたＤＣＩであり、前記多重ＤＣＩのプリセットビットが直接指示を示す場合、直接指示のＤＣＩであり、ページングを示す場合、ページングのＤＣＩである、情報伝送方法をさらに提供する。
【００１２】
本開示実施例は、
ＵＥは、基地局が送信した多重ＤＣＩを受信することと、前記ＵＥは、前記多重ＤＣＩに設定された指示情報に基づいて動作を行うことと、を含み、前記多重ＤＣＩは、基地局が直接指示のＤＣＩを多重化したＤＣＩであり、その中のプリセットビットが直接指示を示す場合、直接指示のＤＣＩであり、ページングを示す場合、ページングのＤＣＩである、
情報伝送方法をさらに提供する。
【００１３】
本開示実施例は、
多重ＤＣＩにおいて異なるサービスタイプの指示情報を多重化するように設定される第２処理モジュールと、
前記多重ＤＣＩを前記ＵＥに送信するように設定される第２送信モジュールと、を含み、
多重ＤＣＩは、直接指示のＤＣＩの多重化されたＤＣＩであり、前記多重ＤＣＩのプリセットビットが直接指示を示す場合、直接指示のＤＣＩであり、ページングを示す場合、ページングのＤＣＩである、基地局をさらに提供する。
【００１４】
本開示実施例は、
基地局が送信した多重ＤＣＩを受信するように設定される第２受信モジュールと、前記多重ＤＣＩに設定された指示情報に基づいて動作を行うように設定される第４処理モジュールと、を含み、前記多重ＤＣＩは、基地局が直接指示のＤＣＩを多重化したＤＣＩであり、その中のプリセットビットが直接指示を示す場合、直接指示のＤＣＩであり、ページングを示す場合、ページングのＤＣＩである、
ＵＥをさらに提供する。
【００１５】
従来技術と比べ、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【００１６】
本開示実施例は、
基地局は、ＵＥのページング時刻を計算することと、
前記基地局は、取得されたページング時刻に対応するページング制御リソースセットまたはページング検索空間位置で、ページングＤＣＩの位置を決定することと、
前記基地局は、決定された位置で前記ページングＤＣＩを前記ＵＥに送信することと、を含む、情報伝送方法をさらに提供する。
【００１７】
本開示実施例は、
ＵＥは、自身のページング時刻を計算することと、
前記ＵＥは、取得されたページング時刻に対応するページング制御リソースセットまたはページング検索空間位置で、ページングＤＣＩの位置を決定することと、
前記ＵＥは、決定された位置で基地局が送信したページングＤＣＩを受信することと、を含む、情報伝送方法をさらに提供する。
【００１８】
本開示実施例は、
ＵＥのページング時刻を計算するように設定される第１計算モジュールと、
取得されたページング時刻に対応するページング制御リソースセットまたはページング検索空間位置で、ページングＤＣＩの位置を決定するように設定される第３処理モジュールと、
決定された位置で前記ページングＤＣＩを前記ＵＥに送信するように設定される第３送信モジュールと、を含む、基地局をさらに提供する。
【００１９】
本開示実施例は、
ＵＥのページング時刻を計算するように設定される第２計算モジュールと、
取得されたページング時刻に対応するページング制御リソースセットまたはページング検索空間位置で、ページングＤＣＩの位置を決定するように設定される第７処理モジュールと、
決定された位置で基地局が送信したページングＤＣＩを受信するように設定される第３受信モジュールと、を含む、ＵＥをさらに提供する。
【００２０】
従来技術と比べ、ページング時刻を計算したため、基地局は、異なるページング時刻にページングＤＣＩを送信することができ、ページングＤＣＩの分散を実現し、時間領域リソースの混雑を回避した。
【００２１】
本開示実施例は、
基地局は、実際に送信する同期信号ブロック（Ｓｙｎｃｈｒｏｎｉｚａｔｉｏｎ  Ｓｉｇｎａｌ  Ｂｌｏｃｋ、ＳＳＢ）に基づいて帯域幅パート（Ｂａｎｄ  Ｗｉｄｔｈ  Ｐａｒｔ、ＢＷＰ）で構成されたセットに対してリソースの関連付けを行うことを含み、前記構成されたセットは、ページング制御リソースセットと、他のシステム情報（Ｏｔｈｅｒ  Ｓｙｓｔｅｍ  Ｉｎｆｏｒｍａｔｉｏｎ、ＯＳＩ）セットと、のうちの少なくとも１つを含む、情報伝送方法をさらに提供する。
【００２２】
本開示実施例は、
ＵＥは、構成されるかまたはプリセットされた方式で、実際に送信するＳＳＢに基づいてＢＷＰで構成されたセットに対してリソースの関連付けを行うことを含み、前記構成されたセットは、ページング制御リソースセットと、ＯＳＩセットと、のうちの少なくとも１つを含む、情報伝送方法をさらに提供する。
【００２３】
本開示実施例は、
基地局が、構成またはプリセットの方式で、実際に送信するＳＳＢの数Ｅに基づいて構成されたセットに対してリソースの関連付けを行う第４処理モジュールを含み、前記構成されたセットは、ページング制御リソースセットと、ＯＳＩセットと、のうちの少なくとも１つを含む、基地局をさらに提供する。
【００２４】
本開示実施例は、
構成されるかまたはプリセットされた方式で、実際に送信するＳＳＢに基づいて構成されたセットに対してリソースの関連付けを行うように設定される第８処理モジュールを含み、前記構成されたセットは、ページング制御リソースセットと、ＯＳＩセットと、のうちの少なくとも１つを含む、ＵＥをさらに提供する。
【００２５】
従来技術と比べ、ページング制御リソースセットとＳＳＢとの間の関連を確立したため、不必要な予約リソースを減少した。
【００２６】
本開示の他の特徴および利点は、後述する明細書において説明され、部分的には明細書から明らかになり、または本開示を実施することによって理解される。本開示の目的および他の利点は、明細書、特許請求の範囲および図面において特別に指摘された構造によって実現および獲得されてもよい。
【図面の簡単な説明】
【００２７】
図面は、本開示の技術案の更なる理解を提供するために用いられ、明細書の一部を構成し、本出願の実施例とともに本開示の技術案を解釈するためのものであり、本開示の技術案に対して制限するものではない。
【００２８】
【図１】本開示実施例に係る情報伝送方法のフローチャートの模式図である。
【図２】本開示実施例に係る他の情報伝送方法のフローチャートの模式図である。
【図３】本開示実施例に係る更なる情報伝送方法のフローチャートの模式図である。
【図４】本開示実施例に係るＤＲＸ周期がＰ個の時間領域方向のページング時刻を含む模式図である。
【図５】本開示実施例に係るＤＲＸ周期がＰ個の時間領域方向のページング時刻とＱ個の周波数領域方向のページング時刻を含む模式図である。
【図６】本開示実施例に係る更なる情報伝送方法のフローチャートの模式図である。
【図７】本開示実施例に係る更なる情報伝送方法のフローチャートの模式図である。
【図８】本開示実施例に係る更なる情報伝送方法のフローチャートの模式図である。
【図９】本開示実施例に係る更なる情報伝送方法のフローチャートの模式図である。
【図１０】本開示実施例に係る更なる情報伝送方法のフローチャートの模式図である。
【図１１】本開示実施例に係る基地局の構造模式図である。
【図１２】本開示実施例に係る他の基地局の構造模式図である。
【図１３】本開示実施例に係る更なる基地局の構造模式図である。
【図１４】本開示実施例に係る更なる基地局の構造模式図である。
【図１５】本開示実施例に係るＵＥの構造模式図である。
【図１６】本開示実施例に係る他のＵＥの構造模式図である。
【図１７】本開示実施例に係る更なるＵＥの構造模式図である。
【図１８】本開示実施例に係る更なるＵＥの構造模式図である。
【発明を実施するための形態】
【００２９】
本開示の目的、技術案および利点をより明確にするために、以下、図面に関連して本開示の実施例を詳細に説明する。なお、衝突しない場合、本出願の実施例および実施例の特徴を任意に組み合わせることができる。
【００３０】
図面のフローチャートで示されるステップは、コンピュータ実行可能命令のセットのようなコンピュータシステムにおいて実行されてもよい。また、フローチャートには論理順序が示されているが、場合によっては、こことは異なる順序で、示されたステップまたは説明されたステップを実行してもよい。
【００３１】
本開示実施例に係る情報伝送方法を説明する前に、関連する知識を先に説明する。
【００３２】
ページング関連情報は、ページングスケジューリング情報（ページングＤＣＩとも呼ばれる）とページングメッセージを含む。ページングスケジューリング情報は、ページングメッセージが所在するリソース位置のスケジューリング・割り当てを行うことに用いられ、ページングメッセージは、システム情報更新ｓｙｓｔｅｍＩｎｆｏＭｏｄｉｆｉｃａｔｉｏｎと、地震津波警報システム指示ｅｔｗｓ−Ｉｎｄｉｃａｔｉｏｎと、商用移動警報サービス指示ｃｍａｓ−Ｉｎｄｉｃａｔｉｏｎと、拡張されたアクセス制限パラメータ更新ｅａｂ−ＰａｒａｍＭｏｄｉｆｉｃａｔｉｏｎと、再割当指示ｒｅｄｉｓｔｒｉｂｕｔｉｏｎＩｎｄｉｃａｔｉｏｎと、増強された非連続受信システム情報更新ｓｙｓｔｅｍＩｎｆｏＭｏｄｉｆｉｃａｔｉｏｎ−ｅＤＲＸと、ページングレコードＰａｇｉｎｇＲｅｃｏｒｄ（一時的移動局識別番号（Ｓ−Ｔｅｍｐｏｒａｒｙ  Ｍｏｂｉｌｅ  Ｓｔａｔｉｏｎ  Ｉｄｅｎｔｉｆｉｅｒ、Ｓ−ＴＭＳＩ）または国際移動体加入者識別子（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）を含む）となどのメッセージを含む。ページングメッセージは、システムメッセージ更新のタイプのメッセージなど（例えば、ｓｙｓｔｅｍＩｎｆｏＭｏｄｉｆｉｃａｔｉｏｎ、ｅｔｗｓ−Ｉｎｄｉｃａｔｉｏｎ、ｃｍａｓ−Ｉｎｄｉｃａｔｉｏｎ、ｅａｂ−ＰａｒａｍＭｏｄｉｆｉｃａｔｉｏｎ、ｒｅｄｉｓｔｒｉｂｕｔｉｏｎＩｎｄｉｃａｔｉｏｎ、ｓｙｓｔｅｍＩｎｆｏＭｏｄｉｆｉｃａｔｉｏｎ−ｅＤＲＸ）のみを含む場合、このタイプのメッセージをＤＣＩで直接運んでもよく、この方法は直接指示（Ｄｉｒｅｃｔ  ｉｎｄｉｃａｔｉｏｎ）と呼ばれる。ＵＥは、対応するページングスケジューリング情報を異なるページング時刻で検出し、各ＵＥは、各自に対応するページング時刻を有し、各ページングフレームは、１つまたは複数のページング時刻に対応する。ＵＥが対応するページング時刻でページングスケジューリング情報を検出しなかった場合、ＵＥは後続のページングプロセスを行わない。ＵＥがページングスケジューリング情報を検出した場合、ＵＥはページングスケジューリング情報に基づいてページングメッセージを受信して復調し、ページングメッセージにＵＥが属するＳ−ＴＭＳＩまたはＩＭＳＩが含まれている場合、ＵＥは後続の接続確立プロセスを行い（ページングメッセージにあるＳ−ＴＭＳＩまたはＩＭＳＩは、一般的に通常の着信コールの接続のためであり、まとめてＵＥ＿ＩＤと呼ばれる）、ページングメッセージに他のＭｏｄｉｆｉｃａｔｉｏｎメッセージまたはＩｎｄｉｃａｔｉｏｎメッセージが含まれている場合、ＵＥは後続の対応するメッセージの受信プロセスを行い、例えば、ｓｙｓｔｅｍＩｎｆｏＭｏｄｉｆｉｃａｔｉｏｎである場合、ＵＥは、後続のシステムメッセージの受信プロセスを行う。
【００３３】
いくつかのＮＲ（Ｒｅｌ−１５バージョンのＮＲ）システムにおけるページングメカニズム（ｐａｇｉｎｇ  ｍｅｃｈａｎｉｓｍ）のモードを簡単に紹介する。掃引モード（ｓｗｅｅｐｉｎｇ  ｍｏｄｅ）において、ページングＤＣＩおよびページングメッセージは、いずれもビーム掃引送信が必要であり、トリガモード（ｔｒｉｇｇｅｒ  ｍｏｄｅ）において、ページング（グループ）指示（ｐａｇｉｎｇ  ｇｒｏｕｐ  ｉｎｄｉｃａｔｏｒ）は、ＵＥからの比較的に良い下り送信ビームのフィードバックをトリガし、その後、ネットワーク側はページングＤＣＩおよび／またはページングメッセージをＵＥからフィードバックされた下り送信ビームの方向にのみ送信し、節電モード（ｐｏｗｅｒ  ｓａｖｉｎｇ  ｍｏｄｅ）において、ページング（グループ）指示がない限り、ＵＥはページングＤＣＩを受信せず、圧縮モード（ｃｏｍｐｒｅｓｓｉｎｇ  ｍｏｄｅ）において、ページメッセージにおけるＵＥ＿ＩＤのオーバーヘッドを低減する。掃引モードはＮＲページングメカニズムの基本的なメカニズムであるが、掃引モードでは掃引オーバーヘッドが増えるため、如何にＲｅｌ−１５において従来と互換性のある方法でＲｅｌ−１５の後続バージョンでトリガモード、節電モード、圧縮モードなどを応用するかを検討する必要がある。  
【００３４】
本開示実施例は、情報伝送方法を提供し、図１に示すように、該方法は以下のステップを含む。
【００３５】
ステップ１０１において、基地局は、多重ＤＣＩにおいて異なるタイプのＵＥに動作を行うように指示するための指示情報を設定する。
【００３６】
ステップ１０２において、基地局は、多重ＤＣＩをＵＥに送信する。
【００３７】
多重ＤＣＩは、ＰＤＳＣＨのＤＣＩを多重化したＤＣＩであり、多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、プリセットＲＮＴＩは、Ｐ−ＲＮＴＩ以外のＲＮＴＩである。
【００３８】
本開示に係る情報伝送方法は、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【００３９】
好ましくは、基地局は、多重ＤＣＩにおいて異なるタイプのＵＥに動作を行うように指示するための指示情報を設定することは、
基地局は、ＵＥに動作を行うように指示するために、多重ＤＣＩにＡビットを追加してＡビットの意味を定義し、ここで、多重ＤＣＩ自体は、Ｘビットを含み、ＵＥは、第１タイプＵＥと第２タイプＵＥとを含み、第１タイプＵＥは、第３世代パートナシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）の第１５バージョンＲｅｌ−１５のＵＥであり、第２タイプＵＥは、Ｒｅｌ−１５の後続バージョンのＵＥであり、
または、
基地局は、ＵＥに動作を行うように指示するために、多重ＤＣＩからＲビットを選択してＲビットの意味を定義し、ＲはＸ未満であり、
または、
基地局は、第１タイプＵＥと第２タイプＵＥに動作を行うように指示するために、Ｐ−ＲＮＴＩを２つのタイプに分けて２つのタイプのＰ−ＲＮＴＩの意味を定義することを含む。
【００４０】
好ましくは、基地局が多重ＤＣＩにＡビットを追加してＡビットの意味を定義することは、
基地局は、多重ＤＣＩがプリセットＲＮＴＩを使用してスクランブルされる場合、Ａビットの状態の意味が、第１タイプＵＥと第２タイプＵＥにＡビットを廃棄するように指示することであると定義することと、多重ＤＣＩがＰ−ＲＮＴＩを使用してスクランブルされ、かつＡビットの状態がプリセット状態である場合、Ａビットの状態の意味が、第１タイプＵＥと第２タイプＵＥに掃引モードで送信されたページングメッセージを検出するように指示することであると定義することと、多重ＤＣＩがＰ−ＲＮＴＩを使用してスクランブルされ、かつＡビットの状態がプリセット状態以外の他の状態である場合、Ａビットの意味が、第１タイプＵＥに多重ＤＣＩを廃棄するように指示し、第２タイプＵＥに、対応する非掃引モードと、ページング指示と、の少なくとも１つに切り替えるように指示することであると定義することと、を含み、ページング指示は、単一のページング指示またはページング指示グループであり、プリセット状態は、第１タイプＵＥと第２タイプＵＥに掃引モードで送信されたページングメッセージを検出するように指示する状態とするために、事前にＡビットに対応するすべての状態から任意に選択した１つである。
【００４１】
好ましくは、基地局が多重ＤＣＩにＡビットを追加してＡビットの意味を定義することは、
基地局は、多重ＤＣＩがプリセットＲＮＴＩを使用してスクランブルされる場合、Ａビットの状態の意味が、第１タイプＵＥと第２タイプＵＥにＡビットを廃棄するように指示することであると定義することと、多重ＤＣＩがＰ−ＲＮＴＩを使用してスクランブルされる場合、Ａビットの状態の意味が、第１タイプＵＥにＡビットを廃棄して掃引モードで送信されたページングメッセージを検出するように指示し、第２タイプＵＥに、対応する非掃引モードと、ページング指示と、の少なくとも１つに切り替えるように指示することであると定義することと、を含み、ページング指示は、単一のページング指示またはページング指示グループである。
【００４２】
好ましくは、基地局が多重ＤＣＩからＲビットを選択してＲビットの意味を定義することは、
基地局は、多重ＤＣＩがＰ−ＲＮＴＩを使用してスクランブルされ、かつＲビットの状態がプリセット状態である場合、Ｒビットの状態の意味が、第１タイプＵＥと第２タイプＵＥに掃引モードで送信されたページングメッセージを検出するように指示することであると定義することと、多重ＤＣＩがＰ−ＲＮＴＩを使用してスクランブルされ、かつＲビットの状態がプリセット状態以外の他の状態である場合、Ｒビットの意味が、第１タイプＵＥに多重ＤＣＩを廃棄するように指示し、第２タイプＵＥに、対応する非掃引モードと、ページング指示と、の少なくとも１つに切り替えるように指示することであると定義することと、を含み、ページング指示は、単一のページング指示またはページング指示グループであり、プリセット状態は、第１タイプＵＥと第２タイプＵＥに掃引モードで送信されたページングメッセージを検出するように指示する状態とするために、事前にＲビットに対応するすべての状態から任意に選択した１つである。
【００４３】
好ましくは、基地局が多重ＤＣＩからＲビットを選択してＲビットの意味を定義することは、
基地局は、多重ＤＣＩがＰ−ＲＮＴＩを使用してスクランブルされる場合、Ｒビットの状態の意味が、第１タイプＵＥに掃引モードで送信されたページングメッセージを検出するように指示し、第２タイプＵＥに、対応する非掃引モードと、ページング指示と、の少なくとも１つに切り替えるように指示することであると定義すること、を含み、ページング指示は、単一のページング指示またはページング指示グループである。
【００４４】
好ましくは、基地局がＰ−ＲＮＴＩを２つのタイプに分けて２つのタイプのＰ−ＲＮＴＩの意味を定義することは、
基地局は、多重ＤＣＩが第１タイプＰ−ＲＮＴＩを使用してスクランブルされる場合、第１タイプＰ−ＲＮＴＩの意味が、第１タイプＵＥと第２タイプＵＥに掃引モードで送信されたページングメッセージを検出するように指示することであると定義することと、多重ＤＣＩが第２タイプＰ−ＲＮＴＩを使用してスクランブルされる場合、第２タイプＰ−ＲＮＴＩの意味が、第１タイプＵＥに多重ＤＣＩを廃棄し、または、第２タイプＰ−ＲＮＴＩを使用してデスクランブルした後に多重ＤＣＩを廃棄するように指示し、第２タイプＵＥに、対応する非掃引モードと、ページング指示と、の少なくとも１つに切り替えるように指示することであると定義することと、を含み、ページング指示は、単一のページング指示またはページング指示グループである。
【００４５】
なお、本開示実施例で言及された多重ＤＣＩは、いずれも多重化されたＰＳＣＤＨのＤＣＩを指す。
【００４６】
本開示実施例に係る情報伝送方法は、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【００４７】
本開示実施例は、さらに情報伝送方法を提供し、図２に示すように、該方法は以下のステップを含む。
【００４８】
ステップ２０１において、基地局は、多重ＤＣＩにおいて異なるタイプのＵＥに動作を行うように指示するための指示情報を設定する。
【００４９】
ステップ２０２において、基地局は、多重ＤＣＩをＵＥに送信する。
【００５０】
多重ＤＣＩは、直接指示のＤＣＩの多重化されたＤＣＩであり、多重ＤＣＩのプリセットビットが直接指示を示す場合、直接指示のＤＣＩであり、ページングを示す場合、ページングのＤＣＩである。
【００５１】
好ましくは、基地局は、多重ＤＣＩにおいて異なるタイプのＵＥに動作を行うように指示するための指示情報を設定することは、
基地局は、ＵＥに動作を行うように指示するために、多重ＤＣＩにＢビットを追加してＢビットの意味を定義し、ここで、多重ＤＣＩ自体は、Ｙビットを含み、ＵＥは、第１タイプＵＥと第２タイプＵＥとを含み、第１タイプＵＥは、３ＧＰＰのＲｅｌ−１５のＵＥであり、第２タイプＵＥは、Ｒｅｌ−１５の後続バージョンのＵＥであり、
または、
基地局は、ＵＥに動作を行うように指示するために、多重ＤＣＩからＳビットを選択してＳビットの意味を定義し、ＳはＹ未満であり、
または、
基地局は、第１タイプＵＥと第２タイプＵＥに動作を行うように指示するために、Ｐ−ＲＮＴＩを２つのタイプに分けて２つのタイプのＰ−ＲＮＴＩの意味を定義することを含む。
好ましくは、基地局が多重ＤＣＩにＢビットを追加してＢビットの意味を定義することは、
基地局は、多重ＤＣＩのプリセットビットが直接指示を示す場合、Ｂビットの状態の意味が、第１タイプＵＥと第２タイプＵＥにＢビットを廃棄するように指示することであると定義することと、多重ＤＣＩのプリセットビットがページングを示し、かつＢビットの状態がプリセット状態である場合、Ｂビットの状態の意味が、第１タイプＵＥと第２タイプＵＥに掃引モードで送信されたページングメッセージを検出するように指示することであると定義することと、多重ＤＣＩのプリセットビットがページングを示し、かつＢビットの状態がプリセット状態以外の他の状態である場合、Ｂビットの意味が、第１タイプＵＥに多重ＤＣＩを廃棄するように指示し、第２タイプＵＥに、対応する非掃引モードと、ページング指示と、の少なくとも１つに切り替えるように指示することであると定義することと、を含み、ページング指示は、単一のページング指示またはページング指示グループであり、プリセット状態は、第１タイプＵＥと第２タイプＵＥに掃引モードで送信されたページングメッセージを検出するように指示する状態とするために、事前にＢビットに対応するすべての状態から任意に選択した１つである。
【００５２】
好ましくは、基地局が多重ＤＣＩにＢビットを追加してＢビットの意味を定義することは、
基地局は、多重ＤＣＩのプリセットビットが直接指示を示す場合、Ｂビットの状態の意味が、第１タイプＵＥと第２タイプＵＥにＢビットを廃棄するように指示することであると定義することと、多重ＤＣＩのプリセットビットがページングを示す場合、Ｂビットの状態の意味が、第１タイプＵＥにＢビットを廃棄して掃引モードで送信されたページングメッセージを検出するように指示し、第２タイプＵＥに、対応する非掃引モードと、ページング指示と、の少なくとも１つに切り替えるように指示することであると定義すること、を含み、ページング指示は、単一のページング指示またはページング指示グループである。
【００５３】
好ましくは、基地局が多重ＤＣＩからＳビットを選択してＳビットの意味を定義することは、
基地局は、多重ＤＣＩのプリセットビットがページングを示し、かつＳビットの状態がプリセット状態である場合、Ｓビットの状態の意味が、第１タイプＵＥと第２タイプＵＥに掃引モードで送信されたページングメッセージを検出するように指示することであると定義することと、多重ＤＣＩのプリセットビットがページングを示し、かつＳビットの状態がプリセット状態以外の他の状態である場合、Ｓビットの意味が、第１タイプＵＥに多重ＤＣＩを廃棄するように指示し、第２タイプＵＥに、対応する非掃引モードと、ページング指示と、の少なくとも１つに切り替えるように指示することであると定義することと、を含み、ページング指示は、単一のページング指示またはページング指示グループであり、プリセット状態は、第１タイプＵＥと第２タイプＵＥに掃引モードで送信されたページングメッセージを検出するように指示する状態とするために、事前にＳビットに対応するすべての状態から任意に選択した１つである。
【００５４】
好ましくは、基地局が多重ＤＣＩからＳビットを選択してＳビットの意味を定義することは、
基地局は、多重ＤＣＩのプリセットビットがページングを示す場合、Ｓビットの状態の意味が、第１タイプＵＥに掃引モードで送信されたページングメッセージを検出するように指示し、第２タイプＵＥに、対応する非掃引モードと、ページング指示と、の少なくとも１つに切り替えるように指示することであると定義すること、を含み、ページング指示は、単一のページング指示またはページング指示グループである。
【００５５】
好ましくは、基地局がＰ−ＲＮＴＩを２つのタイプに分けて２つのタイプのＰ−ＲＮＴＩの意味を定義することは、
基地局は、多重ＤＣＩが第１タイプＰ−ＲＮＴＩを使用してスクランブルされる場合、第１タイプＰ−ＲＮＴＩの意味が、第１タイプＵＥと第２タイプＵＥに掃引モードで送信されたページングメッセージを検出するように指示することであると定義することと、多重ＤＣＩが第２タイプＰ−ＲＮＴＩを使用してスクランブルされる場合、第２タイプＰ−ＲＮＴＩの意味が、第１タイプＵＥに多重ＤＣＩを廃棄し、または、第２タイプＰ−ＲＮＴＩを使用してデスクランブルした後に多重ＤＣＩを廃棄するように指示し、第２タイプＵＥに、対応する非掃引モードと、ページング指示と、の少なくとも１つに切り替えるように指示することであると定義することと、を含み、ページング指示は、単一のページング指示またはページング指示グループである。
【００５６】
なお、本開示実施例で言及された多重ＤＣＩは、いずれも多重化された直接指示のＤＣＩを指す。
【００５７】
本開示実施例に係る情報伝送方法は、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【００５８】
本開示実施例は、さらに情報伝送方法を提供し、図３に示すように、該方法は以下のステップを含む。
【００５９】
ステップ３０１において、基地局は、ＵＥのページング時刻を計算する。
【００６０】
ステップ３０２において、基地局は、取得されたページング時刻に対応するページング制御リソースセットまたはページング検索空間位置で、ページングＤＣＩの位置を決定する。
【００６１】
ステップ３０３において、基地局は、決定された位置でページングＤＣＩをＵＥに送信する。
【００６２】
好ましくは、基地局がＵＥのページング時刻を計算することは、
非連続受信（Ｄｉｓｃｏｎｔｉｎｕｏｕｓ  Ｒｅｃｅｐｔｉｏｎ、ＤＲＸ）周期がＰ個の時間領域方向のページング時刻を含む場合、基地局は、ＵＥ＿ＩＤｍｏｄ  （Ｐ）によってＵＥのページング時刻を計算することと、ＤＲＸ周期がＮ個のページングフレームを含み、かつ各ページングフレームがＰ個の時間領域方向のページング時刻を含む場合、基地局は、ｆｌｏｏｒ  （ＵＥ＿ＩＤ／Ｎ）ｍｏｄ  （Ｐ）によってＵＥのページング時刻を計算することと、を含み、ＵＥ＿ＩＤは、ページングメッセージ内の一時的移動局識別番号Ｓ−Ｔｅｍｐｏｒａｒｙ  Ｍｏｂｉｌｅ  Ｓｔａｔｉｏｎ  Ｉｄｅｎｔｉｆｉｅｒ、Ｓ−ＴＭＳＩ）またはＩＭＳＩであり、時間領域方向のページング時刻に対応する周波数領域方向のページング制御リソースセットまたはページング検索空間の数は、ＢＷＰの数以下である。
【００６３】
なお、ＤＲＸ周期がＰ個の時間領域方向のページング時刻を含む模式図は、図４に示すようであってもよい。
【００６４】
好ましくは、基地局が決定された位置でページングＤＣＩをＵＥに送信することは、
基地局は、時間領域方向のページング時刻に対応する周波数領域方向の各ページング制御リソースセットまたはページング検索空間位置で、時間領域方向のページング時刻のすべてのページングされるＵＥに対応するページングＤＣＩを送信することと、
基地局は、ページングＤＣＩに基づいてページングメッセージのリソース位置でページングメッセージを送信することと、を含む。
【００６５】
好ましくは、基地局がページングＤＣＩに基づいてページングメッセージのリソース位置でページングメッセージを送信することは、
ページングＤＣＩにページングメッセージの時間領域位置の指示フィールドが含まれている場合、基地局は、時間領域位置の指示フィールドに対応する時間領域リソースでページングメッセージを送信することと、ページングＤＣＩにページングメッセージのＢＷＰインデックスが含まれている場合、基地局は、ＢＷＰインデックスに対応するＢＷＰリソースでページングメッセージを送信することと、ページングＤＣＩにページングメッセージの時間領域位置の指示フィールドとＢＷＰインデックスが含まれている場合、基地局は、時間領域位置の指示フィールドに対応する時間領域リソースとＢＷＰインデックスに対応するＢＷＰリソースでページングメッセージを検出することと、を含む。
【００６６】
好ましくは、基地局がＵＥのページング時刻を計算することは、
ＤＲＸ周期がＰ個の時間領域方向のページング時刻とＱ個の周波数領域方向のページング時刻を含む場合、基地局は、第１プリセット計算方式によってＵＥのページング時刻を計算することと、ＤＲＸ周期がＮ個のページングフレームを含み、かつ各ページングフレームがＰ個の時間領域方向のページング時刻とＱ個の周波数領域方向のページング時刻を含む場合、基地局は、第２プリセット方式によってＵＥのページング時刻を計算することと、を含み、第１プリセット計算方式は、ＵＥ＿ＩＤ  ｍｏｄ  （Ｐ＊Ｑ）と、ＵＥ＿ＩＤ  ｍｏｄ  （Ｐ）  ｍｏｄ  （Ｑ）と、ＵＥ＿ＩＤ  ｍｏｄ  （Ｑ）  ｍｏｄ  （Ｐ）と、のいずれか１つの計算方式であり、第２プリセット計算方式は、ｆｌｏｏｒ  （ＵＥ＿ＩＤ／Ｎ）  ｍｏｄ  （Ｐ＊Ｑ）と、ｆｌｏｏｒ  （ＵＥ＿ＩＤ／Ｎ）  ｍｏｄ  （Ｐ）  ｍｏｄ  （Ｑ）と、ｆｌｏｏｒ  （ＵＥ＿ＩＤ／Ｎ）  ｍｏｄ  （Ｑ）  ｍｏｄ（Ｐ）と、のいずれか１つの計算方式であり、ＵＥ＿ＩＤは、ページングメッセージ内のＳ−ＴＭＳＩまたはＩＭＳＩであり、Ｑ個の周波数領域方向のページング時刻は、Ｑ個のページング制御リソースセットまたはページング検索空間に対応し、Ｑは、ＢＷＰの数以下である。
【００６７】
なお、ＤＲＸ周期がＰ個の時間領域方向のページング時刻とＱ個の周波数領域方向のページング時刻を含む模式図は、図５に示すようであってもよい。
【００６８】
好ましくは、基地局が決定された位置でページングＤＣＩをＵＥに送信することは、
基地局は、時間領域方向のページング時刻に対応する１つの周波数領域方向のページング時刻のページング制御リソースセットまたはページング検索空間位置で、時間領域方向のページング時刻に対応する周波数領域方向のページング時刻のすべてのページングされるＵＥに対応するページングＤＣＩを送信することと、
基地局は、ページングＤＣＩに基づいてページングメッセージのリソース位置でページングメッセージを送信することと、を含む。
【００６９】
好ましくは、基地局がページングＤＣＩに基づいてページングメッセージのリソース位置でページングメッセージを送信することは、
ページングＤＣＩにページングメッセージの時間領域位置の指示フィールドが含まれている場合、基地局は、時間領域位置の指示フィールドに対応する時間領域リソースでページングメッセージを送信することと、ページングＤＣＩにページングメッセージのＢＷＰインデックスが含まれている場合、基地局は、ＢＷＰインデックスに対応するＢＷＰリソースでページングメッセージを送信することと、ページングＤＣＩにページングメッセージの時間領域位置の指示フィールドとＢＷＰインデックスが含まれている場合、基地局は、時間領域位置の指示フィールドに対応する時間領域リソースとＢＷＰインデックスに対応するＢＷＰリソースでページングメッセージを検出することと、を含む。
【００７０】
好ましくは、ＢＷＰインデックスによって示されるＢＷＰには、ページング制御リソースセットとページング検索空間が割り当てられない。
【００７１】
好ましくは、ＢＷＰでＳＳＢが存在せず、かつページング制御リソースセットと、ＯＳＩセットと、残り最小システム情報（Ｒｅｍａｉｎｉｎｇ  Ｍｉｎｉｍｕｍ  Ｓｙｓｔｅｍ  Ｉｎｆｏｒｍａｔｉｏｎ、ＲＭＳＩ）セットと、のうちの少なくとも１つが構成されている場合、基地局は、ＳＳＢが存在する方式に従って構成されたセットに対してリソースマッピングし、セットの時間・周波数リソース構成と、初期アクセスＢＷＰでのＲＭＳＩセットの時間・周波数リソース構成とは、同じであり、ＳＳＢの１つ目のリソースブロックインデックスは、ＵＥによって検出され、または基地局によって構成され、または、セットの時間・周波数リソース構成と、初期アクセスＢＷＰでのＲＭＳＩセットの時間・周波数リソース構成とは、同じであり、セットの１つ目のリソースブロックインデックスは、基地局によって構成される。
【００７２】
好ましくは、ＢＷＰでページング制御リソースセットと、ＯＳＩセットと、ＲＭＳＩセットと、のうちの少なくとも１つが構成されている場合、ＢＷＰでＳＳＢが存在するか否かにかかわらず、基地局は、ＳＳＢが存在する方式に従って構成されたセットに対してリソースマッピングし、セットの時間・周波数リソース構成と、初期アクセスＢＷＰでのＲＭＳＩセットの時間・周波数リソース構成とは、同じであり、ＳＳＢの１つ目のリソースブロックインデックスは、ＵＥによって検出され、または基地局によって構成され、または、セットの時間・周波数リソース構成と、初期アクセスＢＷＰでのＲＭＳＩセットの時間・周波数リソース構成とは、同じであり、セットの１つ目のリソースブロックインデックスは、基地局によって構成される。
【００７３】
本開示実施例に係る情報伝送方法は、ページング時刻を計算したため、基地局は、異なるページング時刻にページングＤＣＩを送信することができ、ページングＤＣＩの分散を実現し、時間領域リソースの混雑を回避した。
【００７４】
本開示実施例は、さらに情報伝送方法を提供し、図６に示すように、以下のステップをさらに含む。
【００７５】
ステップ４０１において、基地局は、構成またはプリセットの方式で、実際に送信するＳＳＢの数Ｅに基づいてＢＷＰで構成されたセットに対してリソースの関連付けを行う。
【００７６】
構成されたセットは、ページング制御リソースセットと、ＯＳＩセットと、のうちの少なくとも１つを含む。
【００７７】
好ましくは、基地局が、構成またはプリセットの方式で、実際に送信するＳＳＢの数Ｅに基づいてＢＷＰで構成されたセットに対してリソースの関連付けを行うことは、
基地局は、構成またはプリセットの方式で、実際に送信するＳＳＢの数Ｅに基づき、関連するＳＳＢインデックスを調整し、調整後の関連するＳＳＢインデックスｉを取得することと、
基地局は、ｉに基づいてＢＷＰで構成されたセットの１つ目のスロットインデックスを計算することと、を含み、ｉ＝ｊ＋ｏｆｆｓｅｔであり、ｊは実際に送信するＳＳＢの論理インデックスを表し、ｊと実際に送信するＳＳＢの実際のインデックスとは昇順で１対１で対応し、ｊの値の範囲は｛０，１，２…Ｅ−１｝であり、ｏｆｆｓｅｔはオフセットである。
【００７８】
好ましくは、基地局が、構成またはプリセットの方式で、実際に送信するＳＳＢの数Ｅに基づいてＢＷＰで構成されたセットに対してリソースの関連付けを行うことは、
基地局が、プリセットの方式で、実際に送信するＳＳＢの数Ｅに基づき、関連するＳＳＢインデックスｉを調整する場合、基地局は、ｉに基づいてＢＷＰで構成されたセットの１つ目のスロットインデックスを計算すること、を含み、ｉは、ＳＳＢを送信するための１つ目の位置を開始位置とし、実際に送信するＳＳＢの論理インデックスｊに１対１で対応し、または、ｉは、ＳＳＢを実際に送信する１つ目の位置を開始位置とし、実際に送信するＳＳＢの論理インデックスｊに１対１で対応し、または、ｉは、ＳＳＢを送信するための（Ｆ−Ｅ＋１）個目の位置を開始位置とし、実際に送信するＳＳＢの論理インデックスｊに１対１で対応し、ｊの値の範囲は、｛０，１，２…Ｅ−１｝である。
【００７９】
好ましくは、基地局が、構成またはプリセットの方式で、実際に送信するＳＳＢの数Ｅに基づいてＢＷＰで構成されたセットに対してリソースの関連付けを行うことは、
基地局が、構成の方式で、実際に送信するＳＳＢの数Ｅに基づき、関連するＳＳＢインデックスを調整すること、を含む。
【００８０】
好ましくは、ＳＳＢインデックスに関連する構成されたリソースセットの検索ウィンドウは、ＳＳＢインデックスに関連するＲＭＳＩの検索ウィンドウであり、または実際にＳＳＢインデックスに関連するＲＭＳＩの検索ウィンドウ以外の検索ウィンドウである。
【００８１】
本開示実施例に係る情報伝送方法は、ページング制御リソースセットとＳＳＢとの間の関連を確立したため、不必要な予約リソースを減少した。
【００８２】
本開示実施例は、さらに情報伝送方法を提供し、図７に示すように、該方法は以下のステップを含む。
【００８３】
ステップ５０１において、ＵＥは、基地局が送信した多重ＤＣＩを受信する。
【００８４】
多重ＤＣＩには、異なるタイプのＵＥに動作を行うように指示するための指示情報が設定されており、多重ＤＣＩは基地局がＰＤＳＣＨのＤＣＩを多重化したＤＣＩであり、多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、プリセットＲＮＴＩは、Ｐ−ＲＮＴＩ以外のＲＮＴＩである。
【００８５】
ステップ５０２において、ＵＥは、多重ＤＣＩに設定された指示情報に基づいて動作を行う。
【００８６】
好ましくは、ＵＥが多重ＤＣＩに設定された指示情報に基づいて動作を行うことは、
基地局が多重ＤＣＩにＡビットを追加してＡビットの意味を定義した場合、ＵＥは、Ａビットに基づいて動作を行い、多重ＤＣＩ自体は、Ｘビットを含み、ＵＥは、第１タイプＵＥと第２タイプＵＥとを含み、第１タイプＵＥは、３ＧＰＰのＲｅｌ−１５のＵＥであり、第２タイプＵＥは、Ｒｅｌ−１５の後続バージョンのＵＥであり、
または、
基地局は、多重ＤＣＩからＲビットを選択してＲビットの意味を定義した場合、ＵＥは、Ｒビットに基づいて動作を行い、ＲはＸ未満であり、
または、
基地局がＰ−ＲＮＴＩを２つのタイプに分けて２つのタイプのＰ−ＲＮＴＩの意味を定義した場合、ＵＥは、第１タイプＰ−ＲＮＴＩの意味と第２タイプＰ−ＲＮＴＩの意味に基づいて動作を行うこと、を含む。
【００８７】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥがＡビットに基づいて動作を行うことは、
第１タイプＵＥが、多重ＤＣＩがプリセットＲＮＴＩを使用してスクランブルされたことを検出すると、第１タイプＵＥは、Ａビットを破棄し、Ｘビットに基づいて対応するＰＤＳＣＨを検出することと、第１タイプＵＥが、多重ＤＣＩがＰ−ＲＮＴＩを使用してスクランブルされ、かつＡビットの状態がプリセット状態であることを検出すると、第１タイプＵＥは、ＸビットまたはＸビットのページング指示ビットフィールド以外のビットに基づいて掃引モードで送信されたページングメッセージを検出することと、第１タイプＵＥが、多重ＤＣＩがＰ−ＲＮＴＩを使用してスクランブルされ、かつＡビットがプリセット状態以外の他の状態であることを検出すると、第１タイプＵＥは、多重ＤＣＩを廃棄することと、を含み、Ａビットの状態はＡビットに対応する状態であり、プリセット状態は、第１タイプＵＥと第２タイプＵＥに掃引モードで送信されたページングメッセージを検出するように指示する状態とするために、事前にＡビットに対応するすべての状態から任意に選択した１つであり、ページング指示ビットフィールドは、ハイブリッド自動再送要求（Ｈｙｂｒｉｄ  Ａｕｔｏｍａｔｉｃ  Ｒｅｐｅａｔ  ｒｅＱｕｅｓｔ、ＨＡＲＱ）プロセス番号のビットフィールドと、下り割り当てインデックスのビットフィールドと、の少なくとも１つを含み、
ＵＥが第２タイプＵＥであり、かつＲｅｌ−１５の後続バージョンにある場合、ＵＥがＡビットに基づいて動作を行うことは、
第２タイプＵＥが、多重ＤＣＩがプリセットＲＮＴＩを使用してスクランブルされたことを検出すると、第２タイプＵＥは、Ａビットを破棄し、Ｘビットに基づいて対応するＰＤＳＣＨを検出することと、第２タイプＵＥが、多重ＤＣＩがＰ−ＲＮＴＩを使用してスクランブルされ、かつＡビットの状態がプリセット状態であることを検出すると、第２タイプＵＥは、ＸビットまたはＸビットのページング指示ビットフィールド以外のビットに基づいて掃引モードで送信されたページングメッセージを検出することと、第２タイプＵＥが、多重ＤＣＩがＰ−ＲＮＴＩを使用してスクランブルされ、かつＡビットの状態がプリセット状態以外の他の状態であることを検出すると、第２タイプＵＥは、ＸビットまたはＸビットのページング指示ビットフィールド以外のビットに基づいて対応する非掃引モードと、ページング指示と、の少なくとも１つに切り替えることと、を含み、ページング指示は、単一のページング指示またはページング指示グループである。
【００８８】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥがＡビットに基づいて動作を行うことは、
第１タイプＵＥが、多重ＤＣＩがプリセットＲＮＴＩを使用してスクランブルされたことを検出すると、第１タイプＵＥは、Ａビットを破棄し、Ｘビットに基づいて対応するＰＤＳＣＨを検出することと、第１タイプＵＥが、多重ＤＣＩがＰ−ＲＮＴＩを使用してスクランブルされたことを検出すると、第１タイプＵＥは、Ａビットを破棄し、ＸビットまたはＸビットのページング指示ビットフィールド以外のビットに基づいて掃引モードで送信されたページングメッセージを検出することと、を含み、ページング指示は、単一のページング指示またはページング指示グループであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、ＵＥがＡビットに基づいて動作を行うことは、
第２タイプＵＥが、多重ＤＣＩがプリセットＲＮＴＩを使用してスクランブルされたことを検出すると、第２タイプＵＥは、Ａビットを破棄し、Ｘビットに基づいて対応するＰＤＳＣＨを検出することと、第２タイプＵＥが、多重ＤＣＩがＰ−ＲＮＴＩを使用してスクランブルされたことを検出すると、第２タイプＵＥは、ＸビットまたはＸビットのページング指示ビットフィールド以外のビットに基づいて対応する非掃引モードと、ページング指示と、の少なくとも１つに切り替えることと、を含み、ページング指示は、単一のページング指示またはページング指示グループである。
【００８９】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥがＲビットに基づいて動作を行うことは、
第１タイプＵＥが、多重ＤＣＩがプリセットＲＮＴＩを使用してスクランブルされたことを検出すると、第１タイプＵＥは、Ｘビットに基づいて対応するＰＤＳＣＨを検出することと、第１タイプＵＥが、多重ＤＣＩがＰ−ＲＮＴＩを使用してスクランブルされ、かつＲビットの状態がプリセット状態であることを検出すると、第１タイプＵＥは、（Ｘ−Ｒ）ビットまたは（Ｘ−Ｒ）ビットのページング指示ビットフィールド以外のビットに基づいて掃引モードで送信されたページングメッセージを検出することと、第１タイプＵＥが、多重ＤＣＩがＰ−ＲＮＴＩを使用してスクランブルされ、かつＲビットがプリセット状態以外の他の状態であることを検出すると、第１タイプＵＥは、多重ＤＣＩを廃棄することと、を含み、Ｒビットの状態はＲビットに対応する状態であり、プリセット状態は、第１タイプＵＥと第２タイプＵＥに掃引モードで送信されたページングメッセージを検出するように指示する状態とするために、事前にＲビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、ＵＥがＲビットに基づいて動作を行うことは、
第２タイプＵＥが、多重ＤＣＩがプリセットＲＮＴＩを使用してスクランブルされたことを検出すると、第２タイプＵＥは、Ｘビットに基づいて対応するＰＤＳＣＨを検出することと、第２タイプＵＥが、多重ＤＣＩがＰ−ＲＮＴＩを使用してスクランブルされ、かつＲビットの状態がプリセット状態であることを検出すると、第２タイプＵＥは、（Ｘ−Ｒ）ビットまたは（Ｘ−Ｒ）ビットのページング指示ビットフィールド以外のビットに基づいて掃引モードで送信されたページングメッセージを検出することと、第２タイプＵＥが、多重ＤＣＩがＰ−ＲＮＴＩを使用してスクランブルされ、かつＲビットの状態がプリセット状態以外の他の状態であることを検出すると、第２タイプＵＥは、（Ｘ−Ｒ）ビットまたは（Ｘ−Ｒ）ビットのページング指示ビットフィールド以外のビットに基づいて対応する非掃引モードと、ページング指示と、の少なくとも１つに切り替えることと、を含み、ページング指示は、単一のページング指示またはページング指示グループである。
【００９０】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥがＲビットに基づいて動作を行うことは、
第１タイプＵＥが、多重ＤＣＩがプリセットＲＮＴＩを使用してスクランブルされたことを検出すると、第１タイプＵＥは、Ｘビットに基づいて対応するＰＤＳＣＨを検出することと、第１タイプＵＥが、多重ＤＣＩがＰ−ＲＮＴＩを使用してスクランブルされたことを検出すると、第１タイプＵＥは、（Ｘ−Ｒ）ビットまたは（Ｘ−Ｒ）ビットのページング指示ビットフィールド以外のビットに基づいて掃引モードで送信されたページングメッセージを検出することと、を含み、Ｒビットの状態はＲビットに対応する状態であり、プリセット状態は、第１タイプＵＥと第２タイプＵＥに掃引モードで送信されたページングメッセージを検出するように指示する状態とするために、事前にＲビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、ＵＥがＲビットに基づいて動作を行うことは、
第２タイプＵＥが、多重ＤＣＩがプリセットＲＮＴＩを使用してスクランブルされたことを検出すると、第２タイプＵＥは、Ｘビットに基づいて対応するＰＤＳＣＨを検出することと、第２タイプＵＥが、多重ＤＣＩがＰ−ＲＮＴＩを使用してスクランブルされたことを検出すると、第２タイプＵＥは、（Ｘ−Ｒ）ビットまたは（Ｘ−Ｒ）ビットのページング指示ビットフィールド以外のビットに基づいて対応する非掃引モードと、ページング指示と、の少なくとも１つに切り替えることと、を含み、ページング指示は、単一のページング指示またはページング指示グループである。
【００９１】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥが第１タイプＰ−ＲＮＴＩの意味と第２タイプＰ−ＲＮＴＩの意味に基づいて動作を行うことは、
第１タイプＵＥが、多重ＤＣＩがプリセットＲＮＴＩを使用してスクランブルされたことを検出すると、第１タイプＵＥは、Ｘビットに基づいて対応するＰＤＳＣＨを検出することと、第１タイプＵＥが、多重ＤＣＩが第１タイプＰ−ＲＮＴＩを使用してスクランブルされたことを検出すると、第１タイプＵＥは、ＸビットまたはＸビットのページング指示ビットフィールド以外のビットに基づいて掃引モードで送信されたページングメッセージを検出することと、第１タイプＵＥが、多重ＤＣＩが第２タイプＰ−ＲＮＴＩを使用してスクランブルされたことを検出すると、第１タイプＵＥは、多重ＤＣＩを廃棄し、または、第２タイプＰ−ＲＮＴＩを使用してデスクランブルした後に多重ＤＣＩを廃棄することと、を含み、
ＵＥが第２タイプＵＥであり、かつＲｅｌ−１５の後続バージョンにある場合、ＵＥが第１タイプＰ−ＲＮＴＩの意味と第２タイプＰ−ＲＮＴＩの意味に基づいて動作を行うことは、
第２タイプＵＥが、多重ＤＣＩがプリセットＲＮＴＩを使用してスクランブルされたことを検出すると、第２タイプＵＥは、Ｘビットに基づいて対応するＰＤＳＣＨを検出することと、第２タイプＵＥが、多重ＤＣＩが第１タイプＰ−ＲＮＴＩを使用してスクランブルされたことを検出すると、第２タイプＵＥは、ＸビットまたはＸビットのページング指示ビットフィールド以外のビットに基づいて掃引モードで送信されたページングメッセージを検出することと、第２タイプＵＥが、多重ＤＣＩが第２タイプＰ−ＲＮＴＩを使用してスクランブルされたことを検出すると、第２タイプＵＥは、ＸビットまたはＸビットのページング指示ビットフィールド以外のビットに基づいて対応する非掃引モードと、ページング指示と、の少なくとも１つに切り替えることと、を含み、ページング指示は、単一のページング指示またはページング指示グループである。
【００９２】
なお、本開示実施例で言及された多重ＤＣＩは、いずれも多重化されたＰＳＣＤＨのＤＣＩを指す。
【００９３】
本開示実施例に係る情報伝送方法は、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【００９４】
本開示実施例は、さらに情報伝送方法を提供し、図８に示すように、該方法は以下のステップを含む。
【００９５】
ステップ６０１において、ＵＥは、基地局が送信した多重ＤＣＩを受信する。
【００９６】
多重ＤＣＩは、基地局が直接指示のＤＣＩを多重化したＤＣＩであり、その中のプリセットビットが直接指示を示す場合、直接指示のＤＣＩであり、ページングを示す場合、ページングのＤＣＩである。
【００９７】
ステップ６０２において、ＵＥは、多重ＤＣＩに設定された指示情報に基づいて動作を行う。
【００９８】
好ましくは、ＵＥが多重ＤＣＩに設定された指示情報に基づいて動作を行うことは、
基地局が多重ＤＣＩにＢビットを追加してＢビットの意味を定義した場合、ＵＥは、Ｂビットに基づいて動作を行い、多重ＤＣＩ自体は、Ｙビットを含み、ＵＥは、第１タイプＵＥと第２タイプＵＥとを含み、第１タイプＵＥは、３ＧＰＰのＲｅｌ−１５のＵＥであり、第２タイプＵＥは、Ｒｅｌ−１５の後続バージョンのＵＥであり、
または、
基地局は、多重ＤＣＩからＳビットを選択してＳビットの意味を定義した場合、ＵＥは、Ｓビットに基づいて動作を行い、ＳはＹ未満であり、
または、
基地局がＰ−ＲＮＴＩを２つのタイプに分けて２つのタイプのＰ−ＲＮＴＩの意味を定義した場合、ＵＥは、第１タイプＰ−ＲＮＴＩの意味と第２タイプＰ−ＲＮＴＩの意味に基づいて動作を行うこと、を含む。
【００９９】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥがＢビットに基づいて動作を行うことは、
第１タイプＵＥが、多重ＤＣＩのプリセットビットが直接指示を示すことを検出すると、第１タイプＵＥは、Ｂビットを破棄し、Ｙビットに基づいて対応するＰＤＳＣＨを検出することと、第１タイプＵＥが、多重ＤＣＩのプリセットビットがページングを示し、かつＢビットの状態がプリセット状態であることを検出すると、第１タイプＵＥは、ＹビットまたはＹビットのページング指示ビットフィールド以外のビットに基づいて掃引モードで送信されたページングメッセージを検出することと、第１タイプＵＥが、多重ＤＣＩのプリセットビットがページングを示し、かつＢビットがプリセット状態以外の他の状態であることを検出すると、第１タイプＵＥは、多重ＤＣＩを廃棄することと、を含み、Ｂビットの状態はＢビットに対応する状態であり、プリセット状態は、第１タイプＵＥと第２タイプＵＥに掃引モードで送信されたページングメッセージを検出するように指示する状態とするために、事前にＢビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、ＵＥがＢビットに基づいて動作を行うことは、
第２タイプＵＥが、多重ＤＣＩのプリセットビットが直接指示を示すことを検出すると、第２タイプＵＥは、Ｂビットを破棄し、Ｙビットに基づいて対応するＰＤＳＣＨを検出することと、第２タイプＵＥが、多重ＤＣＩのプリセットビットがページングを示し、かつＢビットの状態がプリセット状態であることを検出すると、第２タイプＵＥは、ＹビットまたはＹビットのページング指示ビットフィールド以外のビットに基づいて掃引モードで送信されたページングメッセージを検出することと、第２タイプＵＥが、多重ＤＣＩのプリセットビットがページングを示し、かつＢビットの状態がプリセット状態以外の他の状態であることを検出すると、第２タイプＵＥは、ＹビットまたはＹビットのページング指示ビットフィールド以外のビットに基づき、Ｂビットに対応するページングメカニズムであると認識し、Ｂビットを対応する非掃引モードと、ページング指示と、の少なくとも１つに切り替えることと、を含み、ページング指示は、単一のページング指示またはページング指示グループである。
【０１００】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥがＢビットに基づいて動作を行うことは、
第１タイプＵＥが、多重ＤＣＩのプリセットビットが直接指示を示すことを検出すると、第１タイプＵＥは、Ｂビットを破棄し、Ｙビットに基づいて対応するＰＤＳＣＨを検出することと、第１タイプＵＥが、多重ＤＣＩのプリセットビットがページングを示すことを検出すると、第１タイプＵＥは、Ｂビットを破棄し、ＹビットまたはＹビットのページング指示ビットフィールド以外のビットに基づいて掃引モードで送信されたページングメッセージを検出することと、を含み、ページング指示は、単一のページング指示またはページング指示グループであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、ＵＥがＢビットに基づいて動作を行うことは、
第２タイプＵＥが、多重ＤＣＩのプリセットビットが直接指示を示すことを検出すると、第２タイプＵＥは、Ｂビットを破棄し、Ｙビットに基づいて対応するＰＤＳＣＨを検出することと、第２タイプＵＥが、多重ＤＣＩのプリセットビットがページングを示すことを検出すると、第２タイプＵＥは、ＹビットまたはＹビットのページング指示ビットフィールド以外のビットに基づいて対応する非掃引モードと、ページング指示と、の少なくとも１つに切り替えることと、を含み、ページング指示は、単一のページング指示またはページング指示グループである。
【０１０１】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥがＳビットに基づいて動作を行うことは、
第１タイプＵＥが、多重ＤＣＩのプリセットビットが直接指示を示すことを検出すると、第１タイプＵＥは、Ｙビットに基づいて対応するＰＤＳＣＨを検出することと、第１タイプＵＥが、多重ＤＣＩのプリセットビットがページングを示し、かつＳビットの状態がプリセット状態であることを検出すると、第１タイプＵＥは、（Ｙ−Ｓ）ビットまたは（Ｙ−Ｓ）ビットのページング指示ビットフィールド以外のビットに基づいて掃引モードで送信されたページングメッセージを検出することと、第１タイプＵＥが、多重ＤＣＩのプリセットビットがページングを示し、かつＳビットがプリセット状態以外の他の状態であることを検出すると、第１タイプＵＥは、多重ＤＣＩを廃棄することと、を含み、Ｓビットの状態はＳビットに対応する状態であり、プリセット状態は、第１タイプＵＥと第２タイプＵＥに掃引モードで送信されたページングメッセージを検出するように指示する状態とするために、事前にＳビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、ＵＥがＳビットに基づいて動作を行うことは、
第２タイプＵＥが、多重ＤＣＩのプリセットビットが直接指示を示すことを検出すると、第２タイプＵＥは、Ｙビットに基づいて対応するＰＤＳＣＨを検出することと、第２タイプＵＥが、多重ＤＣＩのプリセットビットがページングを示し、かつＳビットの状態がプリセット状態であることを検出すると、第２タイプＵＥは、（Ｙ−Ｓ）ビットまたは（Ｙ−Ｓ）ビットのページング指示ビットフィールド以外のビットに基づいて掃引モードで送信されたページングメッセージを検出することと、第２タイプＵＥが、多重ＤＣＩのプリセットビットがページングを示し、かつＳビットの状態がプリセット状態以外の他の状態であることを検出すると、第２タイプＵＥは、（Ｙ−Ｓ）ビットまたは（Ｙ−Ｓ）ビットのページング指示ビットフィールド以外のビットに基づいて対応する非掃引モードと、ページング指示と、の少なくとも１つに切り替えることと、を含み、ページング指示は、単一のページング指示またはページング指示グループである。
【０１０２】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥがＳビットに基づいて動作を行うことは、
第１タイプＵＥが、多重ＤＣＩのプリセットビットが直接指示を示すことを検出すると、第１タイプＵＥは、Ｙビットに基づいて対応するＰＤＳＣＨを検出することと、第１タイプＵＥが、多重ＤＣＩのプリセットビットがページングを示すことを検出すると、第１タイプＵＥは、（Ｙ−Ｓ）ビットまたは（Ｙ−Ｓ）ビットのページング指示ビットフィールド以外のビットに基づいて掃引モードで送信されたページングメッセージを検出することと、を含み、Ｓビットの状態はＳビットに対応する状態であり、プリセット状態は、第１タイプＵＥと第２タイプＵＥに掃引モードで送信されたページングメッセージを検出するように指示する状態とするために、事前にＳビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、ＵＥがＳビットに基づいて動作を行うことは、
第２タイプＵＥが、多重ＤＣＩのプリセットビットが直接指示を示すことを検出すると、第２タイプＵＥは、Ｙビットに基づいて対応するＰＤＳＣＨを検出することと、第２タイプＵＥが、多重ＤＣＩのプリセットビットがページングを示すことを検出すると、第２タイプＵＥは、（Ｙ−Ｓ）ビットまたは（Ｙ−Ｓ）ビットのページング指示ビットフィールド以外のビットに基づいて対応する非掃引モードと、ページング指示と、の少なくとも１つに切り替えることと、を含み、ページング指示は、単一のページング指示またはページング指示グループである。
【０１０３】
好ましくは、ＵＥが第１タイプＵＥであり、かつＲｅｌ−１５にある場合、またはＵＥが第１タイプＵＥであり、かつＲｅｌ−１５の後続バージョンにある場合、ＵＥが第１タイプＰ−ＲＮＴＩの意味と第２タイプＰ−ＲＮＴＩの意味に基づいて動作を行うことは、
第１タイプＵＥが、多重ＤＣＩがプリセットＲＮＴＩを使用してスクランブルされたことを検出すると、第１タイプＵＥは、Ｙビットに基づいて対応するＰＤＳＣＨを検出することと、第１タイプＵＥが、多重ＤＣＩが第１タイプＰ−ＲＮＴＩを使用してスクランブルされたことを検出すると、第１タイプＵＥは、ＹビットまたはＹビットのページング指示ビットフィールド以外のビットに基づいて掃引モードで送信されたページングメッセージを検出することと、第１タイプＵＥが、多重ＤＣＩが第２タイプＰ−ＲＮＴＩを使用してスクランブルされたことを検出すると、第１タイプＵＥは、多重ＤＣＩを廃棄し、または、第２タイプＰ−ＲＮＴＩを使用してデスクランブルした後に多重ＤＣＩを廃棄することと、を含み、
ＵＥが第２タイプＵＥであり、かつＲｅｌ−１５の後続バージョンにある場合、ＵＥが第１タイプＰ−ＲＮＴＩの意味と第２タイプＰ−ＲＮＴＩの意味に基づいて動作を行うことは、
第２タイプＵＥが、多重ＤＣＩがプリセットＲＮＴＩを使用してスクランブルされたことを検出すると、第２タイプＵＥは、Ｙビットに基づいて対応するＰＤＳＣＨを検出することと、第２タイプＵＥが、多重ＤＣＩが第１タイプＰ−ＲＮＴＩを使用してスクランブルされたことを検出すると、第２タイプＵＥは、ＹビットまたはＹビットのページング指示ビットフィールド以外のビットに基づいて掃引モードで送信されたページングメッセージを検出することと、第２タイプＵＥが、多重ＤＣＩが第２タイプＰ−ＲＮＴＩを使用してスクランブルされたことを検出すると、第２タイプＵＥは、ＹビットまたはＹビットのページング指示ビットフィールド以外のビットに基づいて対応する非掃引モードと、ページング指示と、の少なくとも１つに切り替えることと、を含み、ページング指示は、単一のページング指示またはページング指示グループである。
【０１０４】
なお、本開示実施例で言及された多重ＤＣＩは、いずれも多重化された直接指示のＤＣＩを指す。
【０１０５】
本開示実施例に係る情報伝送方法は、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【０１０６】
本開示実施例は、さらに情報伝送方法を提供し、図９に示すように、該方法は以下のステップを含む。
【０１０７】
ステップ７０１において、ＵＥは、自身のページング時刻を計算する。
【０１０８】
ステップ７０２において、ＵＥは、取得されたページング時刻に対応するページング制御リソースセットまたはページング検索空間位置で、ページングＤＣＩの位置を決定する。
【０１０９】
ステップ７０３において、ＵＥは、決定された位置で基地局が送信したページングＤＣＩを受信する。
【０１１０】
好ましくは、ＤＲＸ周期がＰ個の時間領域方向のページング時刻を含む場合、ＵＥは、ＵＥ＿ＩＤ  ｍｏｄ  （Ｐ）によって自身のページング時刻を計算することと、ＤＲＸ周期がＮ個のページングフレームを含み、かつ各ページングフレームがＰ個の時間領域方向のページング時刻を含む場合、ＵＥは、ｆｌｏｏｒ  （ＵＥ＿ＩＤ／Ｎ）ｍｏｄ  （Ｐ）によって自身のページング時刻を計算することと、を含み、ＵＥ＿ＩＤは、ページングメッセージ内のＳ−ＴＭＳＩまたはＩＭＳＩであり、時間領域方向のページング時刻に対応する周波数領域方向のページング制御リソースセットまたはページング検索空間の数は、ＢＷＰの数以下である。
【０１１１】
好ましくは、ＵＥが決定された位置で基地局が送信したページングＤＣＩを受信することは、
ＵＥは、時間領域方向のページング時刻に対応する周波数領域方向の各ページング制御リソースセットまたはページング検索空間位置で、時間領域方向のページング時刻に対応するページングＤＣＩを検出することと、
ＵＥは、ページングＤＣＩに基づいてページングメッセージのリソース位置でページングメッセージを検出することと、を含む。
【０１１２】
好ましくは、ＵＥがページングＤＣＩに基づいてページングメッセージのリソース位置でページングメッセージを検出することは、
ページングＤＣＩにページングメッセージの時間領域位置の指示フィールドが含まれている場合、ＵＥは、時間領域位置の指示フィールドに対応する時間領域リソースでページングメッセージを検出することと、ページングＤＣＩにページングメッセージのＢＷＰインデックスが含まれている場合、ＵＥは、ＢＷＰインデックスに対応するＢＷＰリソースでページングメッセージを検出することと、ページングＤＣＩにページングメッセージの時間領域位置の指示フィールドとＢＷＰインデックスが含まれている場合、ＵＥは、時間領域位置の指示フィールドに対応する時間領域リソースとＢＷＰインデックスに対応するＢＷＰリソースでページングメッセージを検出することと、を含む。
【０１１３】
好ましくは、ＵＥが自身のページング時刻を計算することは、
ＤＲＸ周期がＰ個の時間領域方向のページング時刻とＱ個の周波数領域方向のページング時刻を含む場合、ＵＥは、第１プリセット計算方式によって自身のページング時刻を計算することと、ＤＲＸ周期がＮ個のページングフレームを含み、かつ各ページングフレームがＰ個の時間領域方向のページング時刻とＱ個の周波数領域方向のページング時刻を含む場合、ＵＥは、第２プリセット方式によって自身のページング時刻を計算することと、を含み、第１プリセット計算方式は、ＵＥ＿ＩＤ  ｍｏｄ  （Ｐ＊Ｑ）と、ＵＥ＿ＩＤ  ｍｏｄ  （Ｐ）  ｍｏｄ  （Ｑ）と、ＵＥ＿ＩＤ  ｍｏｄ  （Ｑ）  ｍｏｄ  （Ｐ）と、のいずれか１つの計算方式であり、第２プリセット計算方式は、ｆｌｏｏｒ  （ＵＥ＿ＩＤ／Ｎ）  ｍｏｄ  （Ｐ＊Ｑ）と、ｆｌｏｏｒ  （ＵＥ＿ＩＤ／Ｎ）  ｍｏｄ  （Ｐ）  ｍｏｄ  （Ｑ）と、ｆｌｏｏｒ  （ＵＥ＿ＩＤ／Ｎ）  ｍｏｄ  （Ｑ）  ｍｏｄ（Ｐ）と、のいずれか１つの計算方式であり、ＵＥ＿ＩＤは、ページングメッセージ内のＳ−ＴＭＳＩまたはＩＭＳＩであり、Ｑ個の周波数領域方向のページング時刻は、Ｑ個のページング制御リソースセットまたはページング検索空間に対応し、Ｑは、ＢＷＰの数以下である。
【０１１４】
好ましくは、ＵＥが決定された位置で基地局が送信したページングＤＣＩを受信することは、
ＵＥは、時間領域方向のページング時刻に対応する１つの周波数領域方向のページング時刻のページング制御リソースセットまたはページング検索空間位置で、時間領域方向のページング時刻に対応する周波数領域方向のページング時刻に対応するページングＤＣＩを検出することと、
ＵＥは、ページングＤＣＩに基づいてページングメッセージのリソース位置でページングメッセージを検出することと、を含む。
【０１１５】
好ましくは、ＵＥがページングＤＣＩに基づいてページングメッセージのリソース位置でページングメッセージを検出することは、
ページングＤＣＩにページングメッセージの時間領域位置の指示フィールドが含まれている場合、ＵＥは、時間領域位置の指示フィールドに対応する時間領域リソースでページングメッセージを検出することと、ページングＤＣＩにページングメッセージのＢＷＰインデックスが含まれている場合、ＵＥは、ＢＷＰインデックスに対応するＢＷＰリソースでページングメッセージを検出することと、ページングＤＣＩにページングメッセージの時間領域位置の指示フィールドとＢＷＰインデックスが含まれている場合、ＵＥは、時間領域位置の指示フィールドに対応する時間領域リソースとＢＷＰインデックスに対応するＢＷＰリソースでページングメッセージを検出することと、を含む。
【０１１６】
好ましくは、ＢＷＰインデックスによって示されるＢＷＰには、ページング制御リソースセットとページング検索空間が割り当てられない。
【０１１７】
好ましくは、ＢＷＰでＳＳＢが存在せず、かつページング制御リソースセットと、ＯＳＩセットと、ＲＭＳＩセットと、のうちの少なくとも１つが構成されている場合、ＵＥは、ＳＳＢが存在する方式に従って構成されたセットに対してリソースマッピングし、セットの時間・周波数リソース構成と、初期アクセスＢＷＰでのＲＭＳＩセットの時間・周波数リソース構成とは、同じであり、ＳＳＢの１つ目のリソースブロックインデックスは、ＵＥによって検出され、または基地局によって構成され、または、セットの時間・周波数リソース構成と、初期アクセスＢＷＰでのＲＭＳＩセットの時間・周波数リソース構成とは、同じであり、セットの１つ目のリソースブロックインデックスは、基地局によって構成される。
【０１１８】
好ましくは、ＢＷＰでページング制御リソースセットと、ＯＳＩセットと、ＲＭＳＩセットと、のうちの少なくとも１つが構成されている場合、ＢＷＰでＳＳＢが存在するか否かにかかわらず、ＵＥは、ＳＳＢが存在する方式に従って構成されたセットに対してリソースマッピングし、セットの時間・周波数リソース構成と、初期アクセスＢＷＰでのＲＭＳＩセットの時間・周波数リソース構成とは、同じであり、ＳＳＢの１つ目のリソースブロックインデックスは、ＵＥによって検出され、または基地局によって構成され、または、セットの時間・周波数リソース構成と、初期アクセスＢＷＰでのＲＭＳＩセットの時間・周波数リソース構成とは、同じであり、セットの１つ目のリソースブロックインデックスは、基地局によって構成される。
【０１１９】
本開示実施例に係る情報伝送方法は、ページング時刻を計算したため、基地局は、異なるページング時刻にページングＤＣＩを送信することができ、ページングＤＣＩの分散を実現し、時間領域リソースの混雑を回避した。
【０１２０】
本開示実施例は、さらに情報伝送方法を提供し、図１０に示すように、該方法は以下のステップを含む。
【０１２１】
ステップ８０１において、ＵＥは、構成されるかまたはプリセットされた方式で、実際に送信するＳＳＢの数Ｅに基づいてＢＷＰで構成されたセットに対してリソースの関連付けを行う。
【０１２２】
構成されたセットは、ページング制御リソースセットと、ＯＳＩセットと、のうちの少なくとも１つを含む。
【０１２３】
好ましくは、ＵＥが、構成されるかまたはプリセットされた方式で、実際に送信するＳＳＢの数Ｅに基づいてＢＷＰで構成されたセットに対してリソースの関連付けを行うことは、
ＵＥが、構成されるかまたはプリセットされた方式で、実際に送信するＳＳＢの数Ｅに基づき、関連するＳＳＢインデックスを調整し、調整後の関連するＳＳＢインデックスｉを取得することと、
ＵＥは、ｉに基づいてＢＷＰで構成されたセットの１つ目のスロットインデックスを計算することと、を含み、ｉ＝ｊ＋ｏｆｆｓｅｔであり、ｊは実際に送信するＳＳＢの論理インデックスを表し、ｊと実際に送信するＳＳＢの実際のインデックスとは昇順で１対１で対応し、ｊの値の範囲は｛０，１，２…Ｅ−１｝であり、ｏｆｆｓｅｔはオフセットである。
【０１２４】
好ましくは、ＵＥが、構成されるかまたはプリセットされた方式で、実際に送信するＳＳＢの数Ｅに基づいてＢＷＰで構成されたセットに対してリソースの関連付けを行うことは、
ＵＥが、プリセットされた方式で、実際に送信するＳＳＢの数Ｅに基づき、関連するＳＳＢインデックスｉを調整する場合、ＵＥは、ｉに基づいてＢＷＰで構成されたセットの１つ目のスロットインデックスを計算すること、を含み、ｉは、ＳＳＢを送信するための１つ目の位置を開始位置とし、実際に送信するＳＳＢの論理インデックスｊに１対１で対応し、または、ｉは、ＳＳＢを実際に送信する１つ目の位置を開始位置とし、実際に送信するＳＳＢの論理インデックスｊに１対１で対応し、または、ｉは、ＳＳＢを送信するための（Ｆ−Ｅ＋１）個目の位置を開始位置とし、実際に送信するＳＳＢの論理インデックスｊに１対１で対応し、ｊの値の範囲は、｛０，１，２…Ｅ−１｝である。
【０１２５】
ＵＥが、構成されるかまたはプリセットされた方式で、実際に送信するＳＳＢの数Ｅに基づいてＢＷＰで構成されたセットに対してリソースの関連付けを行うことは、
ＵＥが、構成される方式で、実際に送信するＳＳＢの数Ｅに基づき、関連するＳＳＢインデックスを調整すること、を含む。
【０１２６】
好ましくは、ＳＳＢインデックスに関連する構成されたリソースセットの検索ウィンドウは、ＳＳＢインデックスに関連するＲＭＳＩの検索ウィンドウであり、または実際にＳＳＢインデックスに関連するＲＭＳＩの検索ウィンドウ以外の検索ウィンドウである。
【０１２７】
本開示実施例に係る情報伝送方法は、ページング制御リソースセットとＳＳＢとの間の関連を確立したため、不必要な予約リソースを減少した。
【０１２８】
本開示実施例は、基地局を提供し、図１１に示すように、該基地局９は、
多重ＤＣＩにおいて異なるタイプのＵＥに動作を行うように指示するための指示情報を設定することに用いられる第１処理モジュール９１と、
多重ＤＣＩをＵＥに送信することに用いられる第１送信モジュール９２と、を含み、
多重ＤＣＩは、ＰＤＳＣＨのＤＣＩを多重化したＤＣＩであり、多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、プリセットＲＮＴＩは、Ｐ−ＲＮＴＩ以外のＲＮＴＩである。
【０１２９】
好ましくは、第１処理モジュール９１は、具体的には、
ＵＥに動作を行うように指示するために、多重ＤＣＩにＡビットを追加してＡビットの意味を定義し、ここで、多重ＤＣＩ自体は、Ｘビットを含み、ＵＥは、第１タイプＵＥと第２タイプＵＥとを含み、第１タイプＵＥは、第３世代パートナシッププロジェクト３ＧＰＰの第１５バージョンＲｅｌ−１５のＵＥであり、第２タイプＵＥは、Ｒｅｌ−１５の後続バージョンのＵＥであり、
ＵＥに動作を行うように指示するために、多重ＤＣＩからＲビットを選択してＲビットの意味を定義し、ＲはＸ未満であり、
第１タイプＵＥと第２タイプＵＥに動作を行うように指示するために、Ｐ−ＲＮＴＩを２つのタイプに分けて２つのタイプのＰ−ＲＮＴＩの意味を定義することに用いられる。
【０１３０】
好ましくは、第１処理モジュール９１は、具体的には、
多重ＤＣＩがプリセットＲＮＴＩを使用してスクランブルされる場合、Ａビットの状態の意味が、第１タイプＵＥと第２タイプＵＥにＡビットを廃棄するように指示することであると定義することと、多重ＤＣＩがＰ−ＲＮＴＩを使用してスクランブルされ、かつＡビットの状態がプリセット状態である場合、Ａビットの状態の意味が、第１タイプＵＥと第２タイプＵＥに掃引モードで送信されたページングメッセージを検出するように指示することであると定義することと、多重ＤＣＩがＰ−ＲＮＴＩを使用してスクランブルされ、かつＡビットの状態がプリセット状態以外の他の状態である場合、Ａビットの意味が、第１タイプＵＥに多重ＤＣＩを廃棄するように指示し、第２タイプＵＥに、対応する非掃引モードと、ページング指示と、の少なくとも１つに切り替えるように指示することであると定義することとにさらに用いられ、ページング指示は、単一のページング指示またはページング指示グループであり、プリセット状態は、第１タイプＵＥと第２タイプＵＥに掃引モードで送信されたページングメッセージを検出するように指示する状態とするために、事前にＡビットに対応するすべての状態から任意に選択した１つである。
【０１３１】
好ましくは、第１処理モジュール９１は、具体的には、
多重ＤＣＩがプリセットＲＮＴＩを使用してスクランブルされる場合、Ａビットの状態の意味が、第１タイプＵＥと第２タイプＵＥにＡビットを廃棄するように指示することであると定義することと、多重ＤＣＩがＰ−ＲＮＴＩを使用してスクランブルされる場合、Ａビットの状態の意味が、第１タイプＵＥにＡビットを廃棄して掃引モードで送信されたページングメッセージを検出するように指示し、第２タイプＵＥに、対応する非掃引モードと、ページング指示と、の少なくとも１つに切り替えるように指示することであると定義することとにさらに用いられ、ページング指示は、単一のページング指示またはページング指示グループである。
【０１３２】
好ましくは、第１処理モジュール９１は、具体的には、
多重ＤＣＩがＰ−ＲＮＴＩを使用してスクランブルされ、かつＲビットの状態がプリセット状態である場合、Ｒビットの状態の意味が、第１タイプＵＥと第２タイプＵＥに掃引モードで送信されたページングメッセージを検出するように指示することであると定義することと、多重ＤＣＩがＰ−ＲＮＴＩを使用してスクランブルされ、かつＲビットの状態がプリセット状態以外の他の状態である場合、Ｒビットの意味が、第１タイプＵＥに多重ＤＣＩを廃棄するように指示し、第２タイプＵＥに、対応する非掃引モードと、ページング指示と、の少なくとも１つに切り替えるように指示することであると定義することとにさらに用いられ、ページング指示は、単一のページング指示またはページング指示グループであり、プリセット状態は、第１タイプＵＥと第２タイプＵＥに掃引モードで送信されたページングメッセージを検出するように指示する状態とするために、事前にＲビットに対応するすべての状態から任意に選択した１つである。
【０１３３】
好ましくは、第１処理モジュール９１は、具体的には、
多重ＤＣＩがＰ−ＲＮＴＩを使用してスクランブルされる場合、Ｒビットの状態の意味が、第１タイプＵＥに掃引モードで送信されたページングメッセージを検出するように指示し、第２タイプＵＥに、対応する非掃引モードと、ページング指示と、の少なくとも１つに切り替えるように指示することであると定義することにさらに用いられ、ページング指示は、単一のページング指示またはページング指示グループである。
【０１３４】
好ましくは、第１処理モジュール９１は、具体的には、
多重ＤＣＩが第１タイプＰ−ＲＮＴＩを使用してスクランブルされる場合、第１タイプＰ−ＲＮＴＩの意味が、第１タイプＵＥと第２タイプＵＥに掃引モードで送信されたページングメッセージを検出するように指示することであると定義することと、多重ＤＣＩが第２タイプＰ−ＲＮＴＩを使用してスクランブルされる場合、第２タイプＰ−ＲＮＴＩの意味が、第１タイプＵＥに多重ＤＣＩを廃棄し、または、第２タイプＰ−ＲＮＴＩを使用してデスクランブルした後に多重ＤＣＩを廃棄するように指示し、第２タイプＵＥに、対応する非掃引モードと、ページング指示と、の少なくとも１つに切り替えるように指示することであると定義することとにさらに用いられ、ページング指示は、単一のページング指示またはページング指示グループである。
【０１３５】
なお、本開示実施例で言及された多重ＤＣＩは、いずれも多重化されたＰＳＣＤＨのＤＣＩを指す。
【０１３６】
本開示実施例に係る基地局は、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【０１３７】
実際の応用において、第１処理モジュール９１および第１送信モジュール９２は、いずれも基地局９内に位置する中央プロセッサ（Ｃｅｎｔｒａｌ  Ｐｒｏｃｅｓｓｉｎｇ  Ｕｎｉｔ、ＣＰＵ）、マイクロプロセッサ（Ｍｉｃｒｏ  Ｐｒｏｃｅｓｓｏｒ  Ｕｎｉｔ、ＭＰＵ）、デジタル信号プロセッサ（Ｄｉｇｉｔａｌ  Ｓｉｇｎａｌ  Ｐｒｏｃｅｓｓｏｒ、ＤＳＰ）、またはフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）などによって実現されてもよい。
【０１３８】
本開示実施例は、基地局をさらに提供し、図１２に示すように、該基地局１０は、
多重ＤＣＩにおいて異なるタイプのＵＥに動作を行うように指示するための指示情報を設定することに用いられる第２処理モジュール１００１と、
多重ＤＣＩをＵＥに送信することに用いられる第２送信モジュール１００２と、を含み、
多重ＤＣＩは、直接指示のＤＣＩの多重化されたＤＣＩであり、多重ＤＣＩのプリセットビットが直接指示を示す場合、直接指示のＤＣＩであり、ページングを示す場合、ページングのＤＣＩである。
【０１３９】
好ましくは、第２処理モジュール１００１は、具体的には、
ＵＥに動作を行うように指示するために、多重ＤＣＩにＢビットを追加してＢビットの意味を定義し、ここで、多重ＤＣＩ自体は、Ｙビットを含み、ＵＥは、第１タイプＵＥと第２タイプＵＥとを含み、第１タイプＵＥは、３ＧＰＰのＲｅｌ−１５のＵＥであり、第２タイプＵＥは、Ｒｅｌ−１５の後続バージョンのＵＥであり、
ＵＥに動作を行うように指示するために、多重ＤＣＩからＳビットを選択してＳビットの意味を定義し、ＳはＹ未満であり、
第１タイプＵＥと第２タイプＵＥに動作を行うように指示するために、Ｐ−ＲＮＴＩを２つのタイプに分けて２つのタイプのＰ−ＲＮＴＩの意味を定義することに用いられる。
【０１４０】
好ましくは、第２処理モジュール１００１は、具体的には、
多重ＤＣＩのプリセットビットが直接指示を示す場合、Ｂビットの状態の意味が、第１タイプＵＥと第２タイプＵＥにＢビットを廃棄するように指示することであると定義することと、多重ＤＣＩのプリセットビットがページングを示し、かつＢビットの状態がプリセット状態である場合、Ｂビットの状態の意味が、第１タイプＵＥと第２タイプＵＥに掃引モードで送信されたページングメッセージを検出するように指示することであると定義することと、多重ＤＣＩのプリセットビットがページングを示し、かつＢビットの状態がプリセット状態以外の他の状態である場合、Ｂビットの意味が、第１タイプＵＥに多重ＤＣＩを廃棄するように指示し、第２タイプＵＥに、対応する非掃引モードと、ページング指示と、の少なくとも１つに切り替えるように指示することであると定義することとにさらに用いられ、ページング指示は、単一のページング指示またはページング指示グループであり、プリセット状態は、第１タイプＵＥと第２タイプＵＥに掃引モードで送信されたページングメッセージを検出するように指示する状態とするために、事前にＢビットに対応するすべての状態から任意に選択した１つである。
【０１４１】
好ましくは、第２処理モジュール１００１は、具体的には、
多重ＤＣＩのプリセットビットが直接指示を示す場合、Ｂビットの状態の意味が、第１タイプＵＥと第２タイプＵＥにＢビットを廃棄するように指示することであると定義することと、多重ＤＣＩのプリセットビットがページングを示す場合、Ｂビットの状態の意味が、第１タイプＵＥにＢビットを廃棄して掃引モードで送信されたページングメッセージを検出するように指示し、第２タイプＵＥに、対応する非掃引モードと、ページング指示と、の少なくとも１つに切り替えるように指示することであると定義することにさらに用いられ、ページング指示は、単一のページング指示またはページング指示グループである。
【０１４２】
好ましくは、第２処理モジュール１００１は、具体的には、
多重ＤＣＩのプリセットビットがページングを示し、かつＳビットの状態がプリセット状態である場合、Ｓビットの状態の意味が、第１タイプＵＥと第２タイプＵＥに掃引モードで送信されたページングメッセージを検出するように指示することであると定義することと、多重ＤＣＩのプリセットビットがページングを示し、かつＳビットの状態がプリセット状態以外の他の状態である場合、Ｓビットの意味が、第１タイプＵＥに多重ＤＣＩを廃棄するように指示し、第２タイプＵＥに、対応する非掃引モードと、ページング指示と、の少なくとも１つに切り替えるように指示することであると定義することとにさらに用いられ、ページング指示は、単一のページング指示またはページング指示グループであり、プリセット状態は、第１タイプＵＥと第２タイプＵＥに掃引モードで送信されたページングメッセージを検出するように指示する状態とするために、事前にＳビットに対応するすべての状態から任意に選択した１つである。
【０１４３】
好ましくは、第２処理モジュール１００１は、具体的には、
多重ＤＣＩのプリセットビットがページングを示す場合、Ｓビットの状態の意味が、第１タイプＵＥに掃引モードで送信されたページングメッセージを検出するように指示し、第２タイプＵＥに、対応する非掃引モードと、ページング指示と、の少なくとも１つに切り替えるように指示することであると定義することにさらに用いられ、ページング指示は、単一のページング指示またはページング指示グループである。
【０１４４】
好ましくは、第２処理モジュール１００１は、具体的には、
多重ＤＣＩが第１タイプＰ−ＲＮＴＩを使用してスクランブルされる場合、第１タイプＰ−ＲＮＴＩの意味が、第１タイプＵＥと第２タイプＵＥに掃引モードで送信されたページングメッセージを検出するように指示することであると定義することと、多重ＤＣＩが第２タイプＰ−ＲＮＴＩを使用してスクランブルされる場合、第２タイプＰ−ＲＮＴＩの意味が、第１タイプＵＥに多重ＤＣＩを廃棄し、または、第２タイプＰ−ＲＮＴＩを使用してデスクランブルした後に多重ＤＣＩを廃棄するように指示し、第２タイプＵＥに、対応する非掃引モードと、ページング指示と、の少なくとも１つに切り替えるように指示することであると定義することとにさらに用いられ、ページング指示は、単一のページング指示またはページング指示グループである。
【０１４５】
なお、本開示実施例で言及された多重ＤＣＩは、いずれも多重化された直接指示のＤＣＩを指す。
【０１４６】
本開示実施例に係る基地局は、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【０１４７】
実際の応用において、第２処理モジュール１００１および第２送信モジュール１００２は、いずれも基地局１０内に位置するＣＰＵ、ＭＰＵ、ＤＳＰ、またはＦＰＧＡなどによって実現されてもよい。
【０１４８】
本開示実施例は、基地局をさらに提供し、図１３に示すように、該基地局１１は、
ＵＥのページング時刻を計算することに用いられる第１計算モジュール１１０１と、
取得されたページング時刻に対応するページング制御リソースセットまたはページング検索空間位置で、ページングＤＣＩの位置を決定することに用いられる第３処理モジュール１１０２と、
決定された位置でページングＤＣＩをＵＥに送信することに用いられる第３送信モジュール１１０３と、を含む。
【０１４９】
好ましくは、第１計算モジュール１１０１は、具体的には、
ＤＲＸ周期がＰ個の時間領域方向のページング時刻を含む場合、ＵＥ＿ＩＤｍｏｄ  （Ｐ）によってＵＥのページング時刻を計算することと、ＤＲＸ周期がＮ個のページングフレームを含み、かつ各ページングフレームがＰ個の時間領域方向のページング時刻を含む場合、ｆｌｏｏｒ  （ＵＥ＿ＩＤ／Ｎ）ｍｏｄ  （Ｐ）によってＵＥのページング時刻を計算することとに用いられ、ＵＥ＿ＩＤは、ページングメッセージ内のＳ−ＴＭＳＩまたはＩＭＳＩであり、時間領域方向のページング時刻に対応する周波数領域方向のページング制御リソースセットまたはページング検索空間の数は、ＢＷＰの数以下である。
【０１５０】
好ましくは、第３送信モジュール１１０３は、具体的には、
時間領域方向のページング時刻に対応する周波数領域方向の各ページング制御リソースセットまたはページング検索空間位置で、時間領域方向のページング時刻のすべてのページングされるＵＥに対応するページングＤＣＩを送信することと、ページングＤＣＩに基づいてページングメッセージのリソース位置でページングメッセージを送信することとに用いられる。
【０１５１】
好ましくは、第３送信モジュール１１０３は、具体的には、
ページングＤＣＩにページングメッセージの時間領域位置の指示フィールドが含まれている場合、時間領域位置の指示フィールドに対応する時間領域リソースでページングメッセージを送信することと、ページングＤＣＩにページングメッセージのＢＷＰインデックスが含まれている場合、ＢＷＰインデックスに対応するＢＷＰリソースでページングメッセージを送信することと、ページングＤＣＩにページングメッセージの時間領域位置の指示フィールドとＢＷＰインデックスが含まれている場合、時間領域位置の指示フィールドに対応する時間領域リソースとＢＷＰインデックスに対応するＢＷＰリソースでページングメッセージを検出することとにさらに用いられる。
【０１５２】
好ましくは、第１計算モジュール１１０１は、具体的には、
ＤＲＸ周期がＰ個の時間領域方向のページング時刻とＱ個の周波数領域方向のページング時刻を含む場合、第１プリセット計算方式によってＵＥのページング時刻を計算することと、ＤＲＸ周期がＮ個のページングフレームを含み、かつ各ページングフレームがＰ個の時間領域方向のページング時刻とＱ個の周波数領域方向のページング時刻を含む場合、第２プリセット方式によってＵＥのページング時刻を計算することとにさらに用いられ、第１プリセット計算方式は、ＵＥ＿ＩＤ  ｍｏｄ  （Ｐ＊Ｑ）と、ＵＥ＿ＩＤ  ｍｏｄ  （Ｐ）  ｍｏｄ  （Ｑ）と、ＵＥ＿ＩＤ  ｍｏｄ  （Ｑ）  ｍｏｄ  （Ｐ）と、のいずれか１つの計算方式であり、第２プリセット計算方式は、ｆｌｏｏｒ  （ＵＥ＿ＩＤ／Ｎ）  ｍｏｄ  （Ｐ＊Ｑ）と、ｆｌｏｏｒ  （ＵＥ＿ＩＤ／Ｎ）  ｍｏｄ  （Ｐ）  ｍｏｄ  （Ｑ）と、ｆｌｏｏｒ  （ＵＥ＿ＩＤ／Ｎ）  ｍｏｄ  （Ｑ）  ｍｏｄ（Ｐ）と、のいずれか１つの計算方式であり、ＵＥ＿ＩＤは、ページングメッセージ内のＳ−ＴＭＳＩまたはＩＭＳＩであり、Ｑ個の周波数領域方向のページング時刻は、Ｑ個のページング制御リソースセットまたはページング検索空間に対応し、Ｑは、ＢＷＰの数以下である。
【０１５３】
好ましくは、第３送信モジュール１１０３は、具体的には、
時間領域方向のページング時刻に対応する１つの周波数領域方向のページング時刻のページング制御リソースセットまたはページング検索空間位置で、時間領域方向のページング時刻に対応する周波数領域方向のページング時刻のすべてのページングされるＵＥに対応するページングＤＣＩを送信することと、ページングＤＣＩに基づいてページングメッセージのリソース位置でページングメッセージを送信することとにさらに用いられる。
【０１５４】
好ましくは、第３送信モジュール１１０３は、具体的には、
ページングＤＣＩにページングメッセージの時間領域位置の指示フィールドが含まれている場合、時間領域位置の指示フィールドに対応する時間領域リソースでページングメッセージを送信することと、ページングＤＣＩにページングメッセージのＢＷＰインデックスが含まれている場合、ＢＷＰインデックスに対応するＢＷＰリソースでページングメッセージを送信することと、ページングＤＣＩにページングメッセージの時間領域位置の指示フィールドとＢＷＰインデックスが含まれている場合、時間領域位置の指示フィールドに対応する時間領域リソースとＢＷＰインデックスに対応するＢＷＰリソースでページングメッセージを検出することとにさらに用いられる。
【０１５５】
好ましくは、ＢＷＰインデックスによって示されるＢＷＰには、ページング制御リソースセットとページング検索空間が割り当てられない。
【０１５６】
好ましくは、第３処理モジュール１１０２は、具体的には、
ＢＷＰでＳＳＢが存在せず、かつページング制御リソースセットと、ＯＳＩセットと、ＲＭＳＩセットと、のうちの少なくとも１つが構成されている場合、ＳＳＢが存在する方式に従って構成されたセットに対してリソースマッピングすることにさらに用いられ、セットの時間・周波数リソース構成と、初期アクセスＢＷＰでのＲＭＳＩセットの時間・周波数リソース構成とは、同じであり、ＳＳＢの１つ目のリソースブロックインデックスは、ＵＥによって検出され、または基地局によって構成され、または、セットの時間・周波数リソース構成と、初期アクセスＢＷＰでのＲＭＳＩセットの時間・周波数リソース構成とは、同じであり、セットの１つ目のリソースブロックインデックスは、基地局によって構成される。
【０１５７】
好ましくは、第３処理モジュール１１０２は、具体的には、
ＢＷＰでページング制御リソースセットと、ＯＳＩセットと、ＲＭＳＩセットと、のうちの少なくとも１つが構成されている場合、ＢＷＰでＳＳＢが存在するか否かにかかわらず、ＳＳＢが存在する方式に従って構成されたセットに対してリソースマッピングすることにさらに用いられ、セットの時間・周波数リソース構成と、初期アクセスＢＷＰでのＲＭＳＩセットの時間・周波数リソース構成とは、同じであり、ＳＳＢの１つ目のリソースブロックインデックスは、ＵＥによって検出され、または基地局によって構成され、または、セットの時間・周波数リソース構成と、初期アクセスＢＷＰでのＲＭＳＩセットの時間・周波数リソース構成とは、同じであり、セットの１つ目のリソースブロックインデックスは、基地局によって構成される。
【０１５８】
本開示実施例に係る基地局は、ページング時刻を計算したため、基地局は、異なるページング時刻にページングＤＣＩを送信することができ、ページングＤＣＩの分散を実現し、時間領域リソースの混雑を回避した。
【０１５９】
実際の応用において、第１計算モジュール１１０１、第３処理モジュール１１０２、および第３送信モジュール１１０３は、いずれも基地局１１内に位置するＣＰＵ、ＭＰＵ、ＤＳＰ、またはＦＰＧＡなどによって実現されてもよい。
【０１６０】
本開示実施例は、基地局をさらに提供し、図１４に示すように、該基地局１２は、
構成またはプリセットの方式で、実際に送信するＳＳＢの数Ｅに基づいてＢＷＰで構成されたセットに対してリソースの関連付けを行うことに用いられる第４処理モジュール１２０１を含み、
構成されたセットは、ページング制御リソースセットと、ＯＳＩセットと、のうちの少なくとも１つを含む。
【０１６１】
好ましくは、第４処理モジュール１２０１は、具体的には、
構成またはプリセットの方式で、実際に送信するＳＳＢの数Ｅに基づき、関連するＳＳＢインデックスを調整し、調整後の関連するＳＳＢインデックスｉを取得することと、
ｉに基づいてＢＷＰで構成されたセットの１つ目のスロットインデックスを計算することとに用いられ、ｉ＝ｊ＋ｏｆｆｓｅｔであり、ｊは実際に送信するＳＳＢの論理インデックスを表し、ｊと実際に送信するＳＳＢの実際のインデックスとは昇順で１対１で対応し、ｊの値の範囲は｛０，１，２…Ｅ−１｝であり、ｏｆｆｓｅｔはオフセットである。
【０１６２】
好ましくは、第４処理モジュール１２０１は、具体的には、
基地局が、プリセットの方式で、実際に送信するＳＳＢの数Ｅに基づき、関連するＳＳＢインデックスｉを調整する場合、ｉに基づいてＢＷＰで構成されたセットの１つ目のスロットインデックスを計算することにさらに用いられ、ｉは、ＳＳＢを送信するための１つ目の位置を開始位置とし、実際に送信するＳＳＢの論理インデックスｊに１対１で対応し、または、ｉは、ＳＳＢを実際に送信する１つ目の位置を開始位置とし、実際に送信するＳＳＢの論理インデックスｊに１対１で対応し、または、ｉは、ＳＳＢを送信するための（Ｆ−Ｅ＋１）個目の位置を開始位置とし、実際に送信するＳＳＢの論理インデックスｊに１対１で対応し、ｊの値の範囲は、｛０，１，２…Ｅ−１｝である。
【０１６３】
好ましくは、第４処理モジュール１２０１は、具体的には、
構成の方式で、実際に送信するＳＳＢの数Ｅに基づき、関連するＳＳＢインデックスを調整することにさらに用いられる。
【０１６４】
好ましくは、ＳＳＢインデックスに関連する構成されたリソースセットの検索ウィンドウは、ＳＳＢインデックスに関連するＲＭＳＩの検索ウィンドウであり、または実際にＳＳＢインデックスに関連するＲＭＳＩの検索ウィンドウ以外の検索ウィンドウである。
【０１６５】
本開示実施例に係る基地局は、ページング制御リソースセットとＳＳＢとの間の関連を確立したため、不必要な予約リソースを減少した。
【０１６６】
実際の応用において、第４処理モジュール１２０１は、基地局１２内に位置するＣＰＵ、ＭＰＵ、ＤＳＰ、またはＦＰＧＡなどによって実現されてもよい。
【０１６７】
本開示実施例は、ＵＥをさらに提供し、図１５に示すように、該ＵＥ  １３は、
基地局が送信した多重ＤＣＩを受信することに用いられる第１受信モジュール１３０１と、多重ＤＣＩに設定された指示情報に基づいて動作を行うことに用いられる第５処理モジュール１３０２と、を含み、多重ＤＣＩは、基地局がＰＤＳＣＨのＤＣＩを多重化したＤＣＩであり、多重ＤＣＩがプリセットＲＮＴＩを使用してスクランブルされる場合、ＰＤＳＣＨのＤＣＩであり、Ｐ−ＲＮＴＩを使用してスクランブルされる場合、ページングＤＣＩであり、プリセットＲＮＴＩは、Ｐ−ＲＮＴＩ以外のＲＮＴＩである。
【０１６８】
好ましくは、第５処理モジュール１３０２は、具体的には、
基地局が多重ＤＣＩにＡビットを追加してＡビットの意味を定義した場合、Ａビットに基づいて動作を行い、多重ＤＣＩ自体は、Ｘビットを含み、ＵＥは、第１タイプＵＥと第２タイプＵＥとを含み、第１タイプＵＥは、３ＧＰＰのＲｅｌ−１５のＵＥであり、第２タイプＵＥは、Ｒｅｌ−１５の後続バージョンのＵＥであり、
基地局は、多重ＤＣＩからＲビットを選択してＲビットの意味を定義した場合、Ｒビットに基づいて動作を行い、ＲはＸ未満であり、
基地局がＰ−ＲＮＴＩを２つのタイプに分けて２つのタイプのＰ−ＲＮＴＩの意味を定義した場合、第１タイプＰ−ＲＮＴＩの意味と第２タイプＰ−ＲＮＴＩの意味に基づいて動作を行うことに用いられる。
【０１６９】
好ましくは、ＵＥが第１タイプＵＥであり、かつＲｅｌ−１５にある場合、またはＵＥが第１タイプＵＥであり、かつＲｅｌ−１５の後続バージョンにある場合、第５処理モジュール１３０２は、具体的には、
第１タイプＵＥが、多重ＤＣＩがプリセットＲＮＴＩを使用してスクランブルされたことを検出すると、Ａビットを破棄し、Ｘビットに基づいて対応するＰＤＳＣＨを検出することと、第１タイプＵＥが、多重ＤＣＩがＰ−ＲＮＴＩを使用してスクランブルされ、かつＡビットの状態がプリセット状態であることを検出すると、ＸビットまたはＸビットのページング指示ビットフィールド以外のビットに基づいて掃引モードで送信されたページングメッセージを検出することと、第１タイプＵＥが、多重ＤＣＩがＰ−ＲＮＴＩを使用してスクランブルされ、かつＡビットがプリセット状態以外の他の状態であることを検出すると、多重ＤＣＩを廃棄することとにさらに用いられ、Ａビットの状態はＡビットに対応する状態であり、プリセット状態は、第１タイプＵＥと第２タイプＵＥに掃引モードで送信されたページングメッセージを検出するように指示する状態とするために、事前にＡビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、第５処理モジュール１３０２は、具体的には、
第２タイプＵＥが、多重ＤＣＩがプリセットＲＮＴＩを使用してスクランブルされたことを検出すると、Ａビットを破棄し、Ｘビットに基づいて対応するＰＤＳＣＨを検出することと、第２タイプＵＥが、多重ＤＣＩがＰ−ＲＮＴＩを使用してスクランブルされ、かつＡビットの状態がプリセット状態であることを検出すると、ＸビットまたはＸビットのページング指示ビットフィールド以外のビットに基づいて掃引モードで送信されたページングメッセージを検出することと、第２タイプＵＥが、多重ＤＣＩがＰ−ＲＮＴＩを使用してスクランブルされ、かつＡビットの状態がプリセット状態以外の他の状態であることを検出すると、ＸビットまたはＸビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１７０】
好ましくは、ＵＥが第１タイプＵＥであり、かつＲｅｌ−１５にある場合、またはＵＥが第１タイプＵＥであり、かつＲｅｌ−１５の後続バージョンにある場合、第５処理モジュール１３０２は、具体的には、
第１タイプＵＥが、多重ＤＣＩがプリセットＲＮＴＩを使用してスクランブルされたことを検出すると、ＵＥは、Ａビットを破棄し、Ｘビットに基づいて対応するＰＤＳＣＨを検出することと、第１タイプＵＥが、多重ＤＣＩがＰ−ＲＮＴＩを使用してスクランブルされたことを検出すると、Ａビットを破棄し、ＸビットまたはＸビットのページング指示ビットフィールド以外のビットに基づいて掃引モードで送信されたページングメッセージを検出することとにさらに用いられ、ページング指示は、単一のページング指示またはページング指示グループであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、第５処理モジュール１３０２は、具体的には、
第２タイプＵＥが、多重ＤＣＩがプリセットＲＮＴＩを使用してスクランブルされたことを検出すると、Ａビットを破棄し、Ｘビットに基づいて対応するＰＤＳＣＨを検出することと、第２タイプＵＥが、多重ＤＣＩがＰ−ＲＮＴＩを使用してスクランブルされたことを検出すると、ＸビットまたはＸビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１７１】
好ましくは、ＵＥが第１タイプＵＥであり、かつＲｅｌ−１５にある場合、またはＵＥが第１タイプＵＥであり、かつＲｅｌ−１５の後続バージョンにある場合、第５処理モジュール１３０２は、具体的には、
第１タイプＵＥが、多重ＤＣＩがプリセットＲＮＴＩを使用してスクランブルされたことを検出すると、Ｘビットに基づいて対応するＰＤＳＣＨを検出することと、第１タイプＵＥが、多重ＤＣＩがＰ−ＲＮＴＩを使用してスクランブルされ、かつＲビットの状態がプリセット状態であることを検出すると、（Ｘ−Ｒ）ビットまたは（Ｘ−Ｒ）ビットのページング指示ビットフィールド以外のビットに基づいて掃引モードで送信されたページングメッセージを検出することと、第１タイプＵＥが、多重ＤＣＩがＰ−ＲＮＴＩを使用してスクランブルされ、かつＲビットがプリセット状態以外の他の状態であることを検出すると、多重ＤＣＩを廃棄することとにさらに用いられ、Ｒビットの状態はＲビットに対応する状態であり、プリセット状態は、第１タイプＵＥと第２タイプＵＥに掃引モードで送信されたページングメッセージを検出するように指示する状態とするために、事前にＲビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、第５処理モジュール１３０２は、具体的には、
第２タイプＵＥが、多重ＤＣＩがプリセットＲＮＴＩを使用してスクランブルされたことを検出すると、Ｘビットに基づいて対応するＰＤＳＣＨを検出することと、第２タイプＵＥが、多重ＤＣＩがＰ−ＲＮＴＩを使用してスクランブルされ、かつＲビットの状態がプリセット状態であることを検出すると、（Ｘ−Ｒ）ビットまたは（Ｘ−Ｒ）ビットのページング指示ビットフィールド以外のビットに基づいて掃引モードで送信されたページングメッセージを検出することと、第２タイプＵＥが、多重ＤＣＩがＰ−ＲＮＴＩを使用してスクランブルされ、かつＲビットの状態がプリセット状態以外の他の状態であることを検出すると、（Ｘ−Ｒ）ビットまたは（Ｘ−Ｒ）ビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１７２】
好ましくは、ＵＥが第１タイプＵＥであり、かつＲｅｌ−１５にある場合、またはＵＥが第１タイプＵＥであり、かつＲｅｌ−１５の後続バージョンにある場合、第５処理モジュール１３０２は、具体的には、
第１タイプＵＥが、多重ＤＣＩがプリセットＲＮＴＩを使用してスクランブルされたことを検出すると、Ｘビットに基づいて対応するＰＤＳＣＨを検出することと、第１タイプＵＥが、多重ＤＣＩがＰ−ＲＮＴＩを使用してスクランブルされたことを検出すると、（Ｘ−Ｒ）ビットまたは（Ｘ−Ｒ）ビットのページング指示ビットフィールド以外のビットに基づいて掃引モードで送信されたページングメッセージを検出することとにさらに用いられ、Ｒビットの状態はＲビットに対応する状態であり、プリセット状態は、第１タイプＵＥと第２タイプＵＥに掃引モードで送信されたページングメッセージを検出するように指示する状態とするために、事前にＲビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、第５処理モジュール１３０２は、具体的には、
第２タイプＵＥが、多重ＤＣＩがプリセットＲＮＴＩを使用してスクランブルされたことを検出すると、Ｘビットに基づいて対応するＰＤＳＣＨを検出することと、第２タイプＵＥが、多重ＤＣＩがＰ−ＲＮＴＩを使用してスクランブルされたことを検出すると、（Ｘ−Ｒ）ビットまたは（Ｘ−Ｒ）ビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１７３】
好ましくは、ＵＥが第１タイプＵＥであり、かつＲｅｌ−１５にある場合、またはＵＥが第１タイプＵＥであり、かつＲｅｌ−１５の後続バージョンにある場合、第５処理モジュール１３０２は、具体的には、
第１タイプＵＥが、多重ＤＣＩがプリセットＲＮＴＩを使用してスクランブルされたことを検出すると、Ｘビットに基づいて対応するＰＤＳＣＨを検出することと、第１タイプＵＥが、多重ＤＣＩが第１タイプＰ−ＲＮＴＩを使用してスクランブルされたことを検出すると、ＸビットまたはＸビットのページング指示ビットフィールド以外のビットに基づいて掃引モードで送信されたページングメッセージを検出することと、第１タイプＵＥが、多重ＤＣＩが第２タイプＰ−ＲＮＴＩを使用してスクランブルされたことを検出すると、多重ＤＣＩを廃棄し、または、第２タイプＰ−ＲＮＴＩを使用してデスクランブルした後に多重ＤＣＩを廃棄することとにさらに用いられ、
ＵＥが第２タイプＵＥであり、かつＲｅｌ−１５の後続バージョンにある場合、第５処理モジュール１３０２は、具体的には、
第２タイプＵＥが、多重ＤＣＩがプリセットＲＮＴＩを使用してスクランブルされたことを検出すると、Ｘビットに基づいて対応するＰＤＳＣＨを検出することと、第２タイプＵＥが、多重ＤＣＩが第１タイプＰ−ＲＮＴＩを使用してスクランブルされたことを検出すると、ＸビットまたはＸビットのページング指示ビットフィールド以外のビットに基づいて掃引モードで送信されたページングメッセージを検出することと、第２タイプＵＥが、多重ＤＣＩが第２タイプＰ−ＲＮＴＩを使用してスクランブルされたことを検出すると、ＸビットまたはＸビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１７４】
なお、本開示実施例で言及された多重ＤＣＩは、いずれも多重化されたＰＳＣＤＨのＤＣＩを指す。
【０１７５】
本開示実施例に係るＵＥは、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【０１７６】
実際の応用において、第１受信モジュール１３０１および第５処理モジュール１３０２は、いずれもＵＥ  １３内に位置するＣＰＵ、ＭＰＵ、ＤＳＰ、またはＦＰＧＡなどによって実現されてもよい。
【０１７７】
本開示実施例は、ＵＥをさらに提供し、図１６に示すように、該ＵＥ  １４は、
基地局が送信した多重ＤＣＩを受信することに用いられる第２受信モジュール１４０１と、多重ＤＣＩに設定された指示情報に基づいて動作を行うことに用いられる第６処理モジュール１４０２と、を含み、多重ＤＣＩには、異なるタイプのＵＥに動作を行うように指示するための指示情報が設定されており、多重ＤＣＩは、基地局が直接指示のＤＣＩを多重化したＤＣＩであり、その中のプリセットビットが直接指示を示す場合、直接指示のＤＣＩであり、ページングを示す場合、ページングのＤＣＩである。
【０１７８】
好ましくは、第６処理モジュール１４０２は、具体的には、
基地局が多重ＤＣＩにＢビットを追加してＢビットの意味を定義した場合、Ｂビットに基づいて動作を行い、多重ＤＣＩ自体は、Ｙビットを含み、ＵＥは、第１タイプＵＥと第２タイプＵＥとを含み、第１タイプＵＥは、３ＧＰＰのＲｅｌ−１５のＵＥであり、第２タイプＵＥは、Ｒｅｌ−１５の後続バージョンのＵＥであり、
基地局は、多重ＤＣＩからＳビットを選択してＳビットの意味を定義した場合、Ｓビットに基づいて動作を行い、ＳはＹ未満であり、
基地局がＰ−ＲＮＴＩを２つのタイプに分けて２つのタイプのＰ−ＲＮＴＩの意味を定義した場合、第１タイプＰ−ＲＮＴＩの意味と第２タイプＰ−ＲＮＴＩの意味に基づいて動作を行うことに用いられる。
【０１７９】
好ましくは、ＵＥが第１タイプＵＥであり、かつＲｅｌ−１５にある場合、またはＵＥが第１タイプＵＥであり、かつＲｅｌ−１５の後続バージョンにある場合、第６処理モジュール１４０２は、具体的には、
第１タイプＵＥが、多重ＤＣＩのプリセットビットが直接指示を示すことを検出すると、Ｂビットを破棄し、Ｙビットに基づいて対応するＰＤＳＣＨを検出することと、第１タイプＵＥが、多重ＤＣＩのプリセットビットがページングを示し、かつＢビットの状態がプリセット状態であることを検出すると、ＹビットまたはＹビットのページング指示ビットフィールド以外のビットに基づいて掃引モードで送信されたページングメッセージを検出することと、第１タイプＵＥが、多重ＤＣＩのプリセットビットがページングを示し、かつＢビットがプリセット状態以外の他の状態であることを検出すると、多重ＤＣＩを廃棄することとにさらに用いられ、Ｂビットの状態はＢビットに対応する状態であり、プリセット状態は、第１タイプＵＥと第２タイプＵＥに掃引モードで送信されたページングメッセージを検出するように指示する状態とするために、事前にＢビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、第６処理モジュール１４０２は、具体的には、
第２タイプＵＥが、多重ＤＣＩのプリセットビットが直接指示を示すことを検出すると、Ｂビットを破棄し、Ｙビットに基づいて対応するＰＤＳＣＨを検出することと、第２タイプＵＥが、多重ＤＣＩのプリセットビットがページングを示し、かつＢビットの状態がプリセット状態であることを検出すると、ＹビットまたはＹビットのページング指示ビットフィールド以外のビットに基づいて掃引モードで送信されたページングメッセージを検出することと、第２タイプＵＥが、多重ＤＣＩのプリセットビットがページングを示し、かつＢビットの状態がプリセット状態以外の他の状態であることを検出すると、ＹビットまたはＹビットのページング指示ビットフィールド以外のビットに基づき、Ｂビットに対応するページングメカニズムであると認識し、Ｂビットを対応する非掃引モードと、ページング指示と、の少なくとも１つに切り替えることとにさらに用いられ、ページング指示は、単一のページング指示またはページング指示グループである。
【０１８０】
好ましくは、ＵＥが第１タイプＵＥであり、かつＲｅｌ−１５にある場合、またはＵＥが第１タイプＵＥであり、かつＲｅｌ−１５の後続バージョンにある場合、第６処理モジュール１４０２は、具体的には、
第１タイプＵＥが、多重ＤＣＩのプリセットビットが直接指示を示すことを検出すると、Ｂビットを破棄し、Ｙビットに基づいて対応するＰＤＳＣＨを検出することと、第１タイプＵＥが、多重ＤＣＩのプリセットビットがページングを示すことを検出すると、Ｂビットを破棄し、ＹビットまたはＹビットのページング指示ビットフィールド以外のビットに基づいて掃引モードで送信されたページングメッセージを検出することとにさらに用いられ、ページング指示は、単一のページング指示またはページング指示グループであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、第６処理モジュール１４０２は、具体的には、
第２タイプＵＥが、多重ＤＣＩのプリセットビットが直接指示を示すことを検出すると、Ｂビットを破棄し、Ｙビットに基づいて対応するＰＤＳＣＨを検出することと、第２タイプＵＥが、多重ＤＣＩのプリセットビットがページングを示すことを検出すると、ＹビットまたはＹビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１８１】
好ましくは、ＵＥが第１タイプＵＥであり、かつＲｅｌ−１５にある場合、またはＵＥが第１タイプＵＥであり、かつＲｅｌ−１５の後続バージョンにある場合、第６処理モジュール１４０２は、具体的には、
第１タイプＵＥが、多重ＤＣＩのプリセットビットが直接指示を示すことを検出すると、Ｙビットに基づいて対応するＰＤＳＣＨを検出することと、第１タイプＵＥが、多重ＤＣＩのプリセットビットがページングを示し、かつＳビットの状態がプリセット状態であることを検出すると、（Ｙ−Ｓ）ビットまたは（Ｙ−Ｓ）ビットのページング指示ビットフィールド以外のビットに基づいて掃引モードで送信されたページングメッセージを検出することと、第１タイプＵＥが、多重ＤＣＩのプリセットビットがページングを示し、かつＳビットがプリセット状態以外の他の状態であることを検出すると、多重ＤＣＩを廃棄することとにさらに用いられ、Ｓビットの状態はＳビットに対応する状態であり、プリセット状態は、第１タイプＵＥと第２タイプＵＥに掃引モードで送信されたページングメッセージを検出するように指示する状態とするために、事前にＳビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、第６処理モジュール１４０２は、具体的には、
第２タイプＵＥが、多重ＤＣＩのプリセットビットが直接指示を示すことを検出すると、Ｙビットに基づいて対応するＰＤＳＣＨを検出することと、第２タイプＵＥが、多重ＤＣＩのプリセットビットがページングを示し、かつＳビットの状態がプリセット状態であることを検出すると、（Ｙ−Ｓ）ビットまたは（Ｙ−Ｓ）ビットのページング指示ビットフィールド以外のビットに基づいて掃引モードで送信されたページングメッセージを検出することと、第２タイプＵＥが、多重ＤＣＩのプリセットビットがページングを示し、かつＳビットの状態がプリセット状態以外の他の状態であることを検出すると、（Ｙ−Ｓ）ビットまたは（Ｙ−Ｓ）ビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１８２】
好ましくは、ＵＥが第１タイプＵＥであり、かつＲｅｌ−１５にある場合、またはＵＥが第１タイプＵＥであり、かつＲｅｌ−１５の後続バージョンにある場合、第６処理モジュール１４０２は、具体的には、
第１タイプＵＥが、多重ＤＣＩのプリセットビットが直接指示を示すことを検出すると、Ｙビットに基づいて対応するＰＤＳＣＨを検出することと、第１タイプＵＥが、多重ＤＣＩのプリセットビットがページングを示すことを検出すると、（Ｙ−Ｓ）ビットまたは（Ｙ−Ｓ）ビットのページング指示ビットフィールド以外のビットに基づいて掃引モードで送信されたページングメッセージを検出することとにさらに用いられ、Ｓビットの状態はＳビットに対応する状態であり、プリセット状態は、第１タイプＵＥと第２タイプＵＥに掃引モードで送信されたページングメッセージを検出するように指示する状態とするために、事前にＳビットに対応するすべての状態から任意に選択した１つであり、ページング指示ビットフィールドは、ＨＡＲＱプロセス番号のビットフィールドと、下り割り当てインデックスのビットフィールドと、の少なくとも１つを含み、
ＵＥが第２タイプＵＥであり、かつＲｅｌ−１５の後続バージョンにある場合、第６処理モジュール１４０２は、具体的には、
第２タイプＵＥが、多重ＤＣＩのプリセットビットが直接指示を示すことを検出すると、Ｙビットに基づいて対応するＰＤＳＣＨを検出することと、第２タイプＵＥが、多重ＤＣＩのプリセットビットがページングを示すことを検出すると、（Ｙ−Ｓ）ビットまたは（Ｙ−Ｓ）ビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１８３】
好ましくは、ＵＥが第１タイプＵＥであり、かつＲｅｌ−１５にある場合、またはＵＥが第１タイプＵＥであり、かつＲｅｌ−１５の後続バージョンにある場合、第６処理モジュール１４０２は、具体的には、
第１タイプＵＥが、多重ＤＣＩがプリセットＲＮＴＩを使用してスクランブルされたことを検出すると、Ｙビットに基づいて対応するＰＤＳＣＨを検出することと、第１タイプＵＥが、多重ＤＣＩが第１タイプＰ−ＲＮＴＩを使用してスクランブルされたことを検出すると、ＹビットまたはＹビットのページング指示ビットフィールド以外のビットに基づいて掃引モードで送信されたページングメッセージを検出することと、第１タイプＵＥが、多重ＤＣＩが第２タイプＰ−ＲＮＴＩを使用してスクランブルされたことを検出すると、多重ＤＣＩを廃棄し、または、第２タイプＰ−ＲＮＴＩを使用してデスクランブルした後に多重ＤＣＩを廃棄することとにさらに用いられ、
ＵＥが第２タイプＵＥであり、かつＲｅｌ−１５の後続バージョンにある場合、第６処理モジュール１４０２は、具体的には、
第２タイプＵＥが、多重ＤＣＩがプリセットＲＮＴＩを使用してスクランブルされたことを検出すると、Ｙビットに基づいて対応するＰＤＳＣＨを検出することと、第２タイプＵＥが、多重ＤＣＩが第１タイプＰ−ＲＮＴＩを使用してスクランブルされたことを検出すると、ＹビットまたはＹビットのページング指示ビットフィールド以外のビットに基づいて掃引モードで送信されたページングメッセージを検出することと、第２タイプＵＥが、多重ＤＣＩが第２タイプＰ−ＲＮＴＩを使用してスクランブルされたことを検出すると、ＹビットまたはＹビットのページング指示ビットフィールド以外のビットに基づいて対応する非掃引モードと、ページング指示と、の少なくとも１つに切り替えることとにさらに用いられ、ページング指示は、単一のページング指示またはページング指示グループである。
【０１８４】
なお、本開示実施例で言及された多重ＤＣＩは、いずれも多重化された直接指示のＤＣＩを指す。
【０１８５】
本開示実施例に係るＵＥは、異なるタイプのＵＥに動作を行うように指示してページングメカニズムを切り替えるための指示情報が多重ＤＣＩに設定することにより、トラフィックチャネルの大規模な混雑と多すぎる無効な上りアクセスプロセスを回避し、ネットワーク展開とリソーススケジューリングへのニーズを両立させた。
【０１８６】
実際の応用において、第２受信モジュール１４０１および第６処理モジュール１４０２は、いずれもＵＥ  １４内に位置するＣＰＵ、ＭＰＵ、ＤＳＰ、またはＦＰＧＡなどによって実現されてもよい。
【０１８７】
本開示実施例は、ＵＥをさらに提供し、図１７に示すように、該ＵＥ  １５は、
ＵＥのページング時刻を計算することに用いられる第２計算モジュール１５０１と、
取得されたページング時刻に対応するページング制御リソースセットまたはページング検索空間位置で、ページングＤＣＩの位置を決定することに用いられる第７処理モジュール１５０２と、
決定された位置で基地局が送信したページングＤＣＩを受信することに用いられる第３受信モジュール１５０３と、を含む。
【０１８８】
好ましくは、第２計算モジュール１５０１は、具体的には、
ＤＲＸ周期がＰ個の時間領域方向のページング時刻を含む場合、ＵＥ＿ＩＤ  ｍｏｄ  （Ｐ）によって自身のページング時刻を計算することと、ＤＲＸ周期がＮ個のページングフレームを含み、かつ各ページングフレームがＰ個の時間領域方向のページング時刻を含む場合、ｆｌｏｏｒ  （ＵＥ＿ＩＤ／Ｎ）ｍｏｄ  （Ｐ）によって自身のページング時刻を計算することとに用いられ、ＵＥ＿ＩＤは、ページングメッセージ内のＳ−ＴＭＳＩまたはＩＭＳＩであり、時間領域方向のページング時刻に対応する周波数領域方向のページング制御リソースセットまたはページング検索空間の数は、ＢＷＰの数以下である。
【０１８９】
好ましくは、第３受信モジュール１５０３は、具体的には、
時間領域方向のページング時刻に対応する周波数領域方向の各ページング制御リソースセットまたはページング検索空間位置で、時間領域方向のページング時刻に対応するページングＤＣＩを検出することと、
ページングＤＣＩに基づいてページングメッセージのリソース位置でページングメッセージを検出することとに用いられる。
【０１９０】
好ましくは、第３受信モジュール１５０３は、具体的には、
ページングＤＣＩにページングメッセージの時間領域位置の指示フィールドが含まれている場合、時間領域位置の指示フィールドに対応する時間領域リソースでページングメッセージを検出することと、ページングＤＣＩにページングメッセージのＢＷＰインデックスが含まれている場合、ＢＷＰインデックスに対応するＢＷＰリソースでページングメッセージを検出することと、ページングＤＣＩにページングメッセージの時間領域位置の指示フィールドとＢＷＰインデックスが含まれている場合、時間領域位置の指示フィールドに対応する時間領域リソースとＢＷＰインデックスに対応するＢＷＰリソースでページングメッセージを検出することとにさらに用いられる。
【０１９１】
好ましくは、第２計算モジュール１５０１は、具体的には、
ＤＲＸ周期がＰ個の時間領域方向のページング時刻とＱ個の周波数領域方向のページング時刻を含む場合、第１プリセット計算方式によって自身のページング時刻を計算することと、ＤＲＸ周期がＮ個のページングフレームを含み、かつ各ページングフレームがＰ個の時間領域方向のページング時刻とＱ個の周波数領域方向のページング時刻を含む場合、第２プリセット方式によって自身のページング時刻を計算することとにさらに用いられ、第１プリセット計算方式は、ＵＥ＿ＩＤ  ｍｏｄ  （Ｐ＊Ｑ）と、ＵＥ＿ＩＤ  ｍｏｄ  （Ｐ）  ｍｏｄ  （Ｑ）と、ＵＥ＿ＩＤ  ｍｏｄ  （Ｑ）  ｍｏｄ  （Ｐ）と、のいずれか１つの計算方式であり、第２プリセット計算方式は、ｆｌｏｏｒ  （ＵＥ＿ＩＤ／Ｎ）  ｍｏｄ  （Ｐ＊Ｑ）と、ｆｌｏｏｒ  （ＵＥ＿ＩＤ／Ｎ）  ｍｏｄ  （Ｐ）  ｍｏｄ  （Ｑ）と、ｆｌｏｏｒ  （ＵＥ＿ＩＤ／Ｎ）  ｍｏｄ  （Ｑ）  ｍｏｄ（Ｐ）と、のいずれか１つの計算方式であり、ＵＥ＿ＩＤは、ページングメッセージ内のＳ−ＴＭＳＩまたはＩＭＳＩであり、Ｑ個の周波数領域方向のページング時刻は、Ｑ個のページング制御リソースセットまたはページング検索空間に対応し、Ｑは、ＢＷＰの数以下である。
【０１９２】
好ましくは、第３受信モジュール１５０３は、具体的には、
時間領域方向のページング時刻に対応する１つの周波数領域方向のページング時刻のページング制御リソースセットまたはページング検索空間位置で、時間領域方向のページング時刻に対応する周波数領域方向のページング時刻に対応するページングＤＣＩを検出することと、
ページングＤＣＩに基づいてページングメッセージのリソース位置でページングメッセージを検出することとに用いられる。
【０１９３】
好ましくは、第３受信モジュール１５０３は、具体的には、
ページングＤＣＩにページングメッセージの時間領域位置の指示フィールドが含まれている場合、時間領域位置の指示フィールドに対応する時間領域リソースでページングメッセージを検出することと、ページングＤＣＩにページングメッセージのＢＷＰインデックスが含まれている場合、ＢＷＰインデックスに対応するＢＷＰリソースでページングメッセージを検出することと、ページングＤＣＩにページングメッセージの時間領域位置の指示フィールドとＢＷＰインデックスが含まれている場合、時間領域位置の指示フィールドに対応する時間領域リソースとＢＷＰインデックスに対応するＢＷＰリソースでページングメッセージを検出することとにさらに用いられる。
【０１９４】
好ましくは、ＢＷＰインデックスによって示されるＢＷＰには、ページング制御リソースセットとページング検索空間が割り当てられない。
【０１９５】
好ましくは、第７処理モジュール１５０２は、具体的には、
ＢＷＰでＳＳＢが存在せず、かつページング制御リソースセットと、ＯＳＩセットと、ＲＭＳＩセットと、のうちの少なくとも１つが構成されている場合、ＳＳＢが存在する方式に従って構成されたセットに対してリソースマッピングすることにさらに用いられ、セットの時間・周波数リソース構成と、初期アクセスＢＷＰでのＲＭＳＩセットの時間・周波数リソース構成とは、同じであり、ＳＳＢの１つ目のリソースブロックインデックスは、ＵＥによって検出され、または基地局によって構成され、または、セットの時間・周波数リソース構成と、初期アクセスＢＷＰでのＲＭＳＩセットの時間・周波数リソース構成とは、同じであり、セットの１つ目のリソースブロックインデックスは、基地局によって構成される。
【０１９６】
好ましくは、第７処理モジュール１５０２は、具体的には、
ＢＷＰでページング制御リソースセットと、ＯＳＩセットと、ＲＭＳＩセットと、のうちの少なくとも１つが構成されている場合、ＢＷＰでＳＳＢが存在するか否かにかかわらず、ＳＳＢが存在する方式に従って構成されたセットに対してリソースマッピングすることにさらに用いられ、セットの時間・周波数リソース構成と、初期アクセスＢＷＰでのＲＭＳＩセットの時間・周波数リソース構成とは、同じであり、ＳＳＢの１つ目のリソースブロックインデックスは、ＵＥによって検出され、または基地局によって構成され、または、セットの時間・周波数リソース構成と、初期アクセスＢＷＰでのＲＭＳＩセットの時間・周波数リソース構成とは、同じであり、セットの１つ目のリソースブロックインデックスは、基地局によって構成される。
【０１９７】
本開示実施例に係るＵＥは、ページング時刻を計算したため、基地局は、異なるページング時刻にページングＤＣＩを送信することができ、ページングＤＣＩの分散を実現し、時間領域リソースの混雑を回避した。
【０１９８】
実際の応用において、第２計算モジュール１５０１、第７処理モジュール１５０２、および第３受信モジュール１４０２は、いずれもＵＥ  １５内に位置するＣＰＵ、ＭＰＵ、ＤＳＰ、またはＦＰＧＡなどによって実現されてもよい。
【０１９９】
本開示実施例は、ＵＥをさらに提供し、図１８に示すように、該ＵＥ  １６は、
構成されるかまたはプリセットされた方式で、実際に送信するＳＳＢの数Ｅに基づいてＢＷＰで構成されたセットに対してリソースの関連付けを行うことに用いられる第８処理モジュール１６０１を含み、構成されたセットは、ページング制御リソースセットと、ＯＳＩセットと、のうちの少なくとも１つを含む。
【０２００】
好ましくは、第８処理モジュール１６０１は、具体的には、
構成されるかまたはプリセットされた方式で、実際に送信するＳＳＢの数Ｅに基づき、関連するＳＳＢインデックスを調整し、調整後の関連するＳＳＢインデックスｉを取得することと、
ｉに基づいてＢＷＰで構成されたセットの１つ目のスロットインデックスを計算することとに用いられ、ｉ＝ｊ＋ｏｆｆｓｅｔであり、ｊは実際に送信するＳＳＢの論理インデックスを表し、ｊと実際に送信するＳＳＢの実際のインデックスとは昇順で１対１で対応し、ｊの値の範囲は｛０，１，２…Ｅ−１｝であり、ｏｆｆｓｅｔはオフセットである。
【０２０１】
好ましくは、第８処理モジュール１６０１は、具体的には、
ＵＥが、プリセットされた方式で、実際に送信するＳＳＢの数Ｅに基づき、関連するＳＳＢインデックスｉを調整する場合、ｉに基づいてＢＷＰで構成されたセットの１つ目のスロットインデックスを計算することにさらに用いられ、ｉは、ＳＳＢを送信するための１つ目の位置を開始位置とし、実際に送信するＳＳＢの論理インデックスｊに１対１で対応し、または、ｉは、ＳＳＢを実際に送信する１つ目の位置を開始位置とし、実際に送信するＳＳＢの論理インデックスｊに１対１で対応し、または、ｉは、ＳＳＢを送信するための（Ｆ−Ｅ＋１）個目の位置を開始位置とし、実際に送信するＳＳＢの論理インデックスｊに１対１で対応し、ｊの値の範囲は、｛０，１，２…Ｅ−１｝である。
【０２０２】
好ましくは、第８処理モジュール１６０１は、具体的には、構成の方式で、実際に送信するＳＳＢの数Ｅに基づき、関連するＳＳＢインデックスを調整することにさらに用いられる。
【０２０３】
好ましくは、ＳＳＢインデックスに関連する構成されたリソースセットの検索ウィンドウは、ＳＳＢインデックスに関連するＲＭＳＩの検索ウィンドウであり、または実際にＳＳＢインデックスに関連するＲＭＳＩの検索ウィンドウ以外の検索ウィンドウである。
【０２０４】
本開示実施例に係るＵＥは、ページング制御リソースセットとＳＳＢとの間の関連を確立したため、不必要な予約リソースを減少した。
【０２０５】
実際の応用において、第８処理モジュール１６０１は、ＵＥ  １６内に位置するＣＰＵ、ＭＰＵ、ＤＳＰ、またはＦＰＧＡなどによって実現されてもよい。
【０２０６】
本開示に開示された実施形態は以上のとおりであるが、その内容は、本開示の理解を容易にするために採用された実施形態のみであり、本開示を限定するものではない。当業者は、本開示から開示された精神および範囲を逸脱しない前提で、実施の形態および詳細において任意の修正および変更を行うことができるが、本開示の特許保護範囲は、添付の特許請求の範囲によって定義される範囲を基準としなければならない。
【０２０７】
工業実用性
本開示は通信技術分野に適用でき、端末（Ｕｓｅｒ  Ｅｑｕｉｐｍｅｎｔ、ＵＥ）を動作させてページングメカニズムを切り替えることにより、トラフィックチャネルの大規模な混雑と多すぎる無効な上りアクセスプロセスを回避する。
【図１】
2021513240.tif 000003
【図２】
2021513240.tif 000004
【図３】
2021513240.tif 000005
【図４】
2021513240.tif 000006
【図５】
2021513240.tif 000007
【図６】
2021513240.tif 000008
【図７】
2021513240.tif 000009
【図８】
2021513240.tif 000010
【図９】
2021513240.tif 000011
【図１０】
2021513240.tif 000012
【図１１】
2021513240.tif 000013
【図１２】
2021513240.tif 000014
【図１３】
2021513240.tif 000015
【図１４】
2021513240.tif 000016
【図１５】
2021513240.tif 000017
【図１６】
2021513240.tif 000018
【図１７】
2021513240.tif 000019
【図１８】
2021513240.tif 000020
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
基地局は、ＵＥのページング時刻を計算することと、
前記基地局は、取得されたページング時刻に対応するページング制御リソースセットまたはページング検索空間位置で、ページングＤＣＩの位置を決定することと、
前記基地局は、決定された位置で前記ページングＤＣＩを前記ＵＥに送信することと、を含む、情報伝送方法。
【請求項２】
前記基地局がＵＥのページング時刻を計算することは、
非連続受信ＤＲＸ周期がＰ個の時間領域方向のページング時刻を含む場合、前記基地局は、ＵＥ＿ＩＤｍｏｄ  （Ｐ）によって前記ＵＥのページング時刻を計算することと、前記ＤＲＸ周期がＮ個のページングフレームを含み、かつ各ページングフレームがＰ個の時間領域方向のページング時刻を含む場合、前記基地局は、ｆｌｏｏｒ  （ＵＥ＿ＩＤ／Ｎ）ｍｏｄ  （Ｐ）によって前記ＵＥのページング時刻を計算することと、を含み、前記ＵＥ＿ＩＤは、ページングメッセージ内の一時的移動局識別番号Ｓ−ＴＭＳＩまたは国際移動体加入者識別子ＩＭＳＩである、請求項１に記載の情報伝送方法。
【請求項３】
前記基地局が決定された位置でページングＤＣＩをＵＥに送信することは、
前記基地局は、時間領域方向のページング時刻に対応する周波数領域方向の各ページング制御リソースセットまたはページング検索空間位置で、前記時間領域方向のページング時刻のすべてのページングされるＵＥに対応するページングＤＣＩを送信することと、
前記基地局は、ページングＤＣＩに基づいてページングメッセージのリソース位置でページングメッセージを送信することと、を含む、請求項２に記載の情報伝送方法。
【請求項４】
前記基地局がページングＤＣＩに基づいてページングメッセージのリソース位置でページングメッセージを送信することは、
前記ページングＤＣＩにページングメッセージの時間領域位置の指示フィールドが含まれている場合、前記基地局は、前記時間領域位置の指示フィールドに対応する時間領域リソースで前記ページングメッセージを送信することと、ページングＤＣＩにページングメッセージのＢＷＰインデックスが含まれている場合、前記基地局は、ＢＷＰインデックスに対応するＢＷＰリソースで前記ページングメッセージを送信することと、ページングＤＣＩに前記ページングメッセージの時間領域位置の指示フィールドとＢＷＰインデックスが含まれている場合、前記基地局は、前記時間領域位置の指示フィールドに対応する時間領域リソースと前記ＢＷＰインデックスに対応するＢＷＰリソースでページングメッセージを送信することと、を含む、請求項３に記載の情報伝送方法。
【請求項５】
前記ＢＷＰでページング制御リソースセットと、ＯＳＩセットと、ＲＭＳＩセットと、のうちの少なくとも１つが構成されている場合、前記ＢＷＰでＳＳＢが存在するか否かにかかわらず、前記基地局は、前記ＳＳＢが存在する方式に従って構成されたセットに対してリソースマッピングし、前記セットの時間・周波数リソース構成と、初期アクセスＢＷＰでのＲＭＳＩセットの時間・周波数リソース構成とは、同じであり、前記ＳＳＢの１つ目のリソースブロックインデックスは、前記ＵＥによって検出され、または前記基地局によって構成され、または、前記セットの時間・周波数リソース構成と、初期アクセスＢＷＰでのＲＭＳＩセットの時間・周波数リソース構成とは、同じであり、前記セットの１つ目のリソースブロックインデックスは、前記基地局によって構成される、請求項２に記載の情報伝送方法。
【請求項６】
ＵＥは、自身のページング時刻を計算することと、
前記ＵＥは、取得されたページング時刻に対応するページング制御リソースセットまたはページング検索空間位置で、ページングＤＣＩの位置を決定することと、
前記ＵＥは、決定された位置で基地局が送信したページングＤＣＩを受信することと、を含む、情報伝送方法。
【請求項７】
前記ＵＥが自身のページング時刻を計算することは、
ＤＲＸ周期がＰ個の時間領域方向のページング時刻を含む場合、前記ＵＥは、ＵＥ＿ＩＤｍｏｄ  （Ｐ）によって自身のページング時刻を計算することと、前記ＤＲＸ周期がＮ個のページングフレームを含み、かつ各ページングフレームがＰ個の時間領域方向のページング時刻を含む場合、前記ＵＥは、ｆｌｏｏｒ  （ＵＥ＿ＩＤ／Ｎ）ｍｏｄ  （Ｐ）によって自身のページング時刻を計算することと、を含み、前記ＵＥ＿ＩＤは、ページングメッセージ内のＳ−ＴＭＳＩまたはＩＭＳＩである、請求項６に記載の情報伝送方法。
【請求項８】
前記ＵＥが、決定された位置で基地局が送信したページングＤＣＩを受信することは、
前記ＵＥは、時間領域方向のページング時刻に対応する周波数領域方向の各ページング制御リソースセットまたはページング検索空間位置で、前記時間領域方向のページング時刻に対応するページングＤＣＩを検出することと、
前記ＵＥは、ページングＤＣＩに基づいてページングメッセージのリソース位置でページングメッセージを検出することと、を含む、請求項７に記載の情報伝送方法。
【請求項９】
前記ＵＥがページングＤＣＩに基づいてページングメッセージのリソース位置でページングメッセージを検出することは、
前記ページングＤＣＩにページングメッセージの時間領域位置の指示フィールドが含まれている場合、前記ＵＥは、前記時間領域位置の指示フィールドに対応する時間領域リソースで前記ページングメッセージを検出することと、ページングＤＣＩにページングメッセージのＢＷＰインデックスが含まれている場合、前記ＵＥは、ＢＷＰインデックスに対応するＢＷＰリソースで前記ページングメッセージを検出することと、ページングＤＣＩに前記ページングメッセージの時間領域位置の指示フィールドとＢＷＰインデックスが含まれている場合、前記ＵＥは、前記時間領域位置の指示フィールドに対応する時間領域リソースと前記ＢＷＰインデックスに対応するＢＷＰリソースでページングメッセージを送信することと、を含む、請求項８に記載の情報伝送方法。
【請求項１０】
前記ＢＷＰでページング制御リソースセットと、ＯＳＩセットと、ＲＭＳＩセットと、のうちの少なくとも１つが構成されている場合、前記ＢＷＰでＳＳＢが存在するか否かにかかわらず、前記ＵＥは、前記ＳＳＢが存在する方式に従って構成されたセットに対してリソースマッピングし、前記セットの時間・周波数リソース構成と、初期アクセスＢＷＰでのＲＭＳＩセットの時間・周波数リソース構成とは、同じであり、前記ＳＳＢの１つ目のリソースブロックインデックスは、前記ＵＥによって検出され、または前記基地局によって構成され、または、前記セットの時間・周波数リソース構成と、初期アクセスＢＷＰでのＲＭＳＩセットの時間・周波数リソース構成とは、同じであり、前記セットの１つ目のリソースブロックインデックスは、前記基地局によって構成される、請求項７に記載の情報伝送方法。
【請求項１１】
端末のページング時刻を計算するように設定される第２計算モジュールと、
取得されたページング時刻に対応するページング制御リソースセットまたはページング検索空間位置で、ページングＤＣＩの位置を決定するように設定される第２処理モジュールと、
決定された位置で基地局が送信したページングＤＣＩを受信するように設定される第２受信モジュールと、を含む、端末。
【請求項１２】
基地局は、構成またはプリセットの方式で、実際に送信するＳＳＢの数Ｅに基づいてＢＷＰで構成されたセット又は検索空間に対してリソースの関連付けを行うことを含み、前記構成されたセットは、ページング制御リソースセットと、ＯＳＩセットと、のうちの少なくとも１つを含み、前記検索空間は、ページング検索空間又はＯＳＩ検索空間のうちの少なくとも１つを含む、請求項１に記載の情報伝送方法。
【請求項１３】
前記基地局が、構成またはプリセットの方式で、実際に送信するＳＳＢの数Ｅに基づいてＢＷＰで構成されたセットに対してリソースの関連付けを行うことは、
前記基地局は、構成またはプリセットの方式で、実際に送信するＳＳＢの数Ｅに基づき、関連するＳＳＢインデックスを調整し、調整後の関連するＳＳＢインデックスｉを取得することと、
前記基地局は、ｉに基づいてＢＷＰで構成されたセットの１つ目のスロットインデックスを計算することと、を含み、ｉ＝ｊ＋ｏｆｆｓｅｔであり、ｊは実際に送信するＳＳＢの論理インデックスを表し、ｊと実際に送信するＳＳＢの実際のインデックスとは昇順で１対１で対応し、ｊの値の範囲は｛０，１，２…Ｅ−１｝であり、ｏｆｆｓｅｔはオフセットである、請求項１２に記載の情報伝送方法。
【請求項１４】
ＢＷＰインデックスによって示されるＢＷＰには、前記ページング制御リソースセットと前記ページング検索空間が割り当てられない、請求項２に記載の情報伝送方法。
【請求項１５】
ＵＥは、構成されるかまたはプリセットされた方式で、実際に送信するＳＳＢの数Ｅに基づいてＢＷＰで構成されたセット又は検索空間に対してリソースの関連付けを行うことを含み、前記構成されたセットは、ページング制御リソースセットと、ＯＳＩセットと、のうちの少なくとも１つを含み、前記検索空間は、ページング検索空間又はＯＳＩ検索空間のうちの少なくとも１つを含む、請求項６に記載の情報伝送方法。
【請求項１６】
前記ＵＥが、構成されるかまたはプリセットされた方式で、実際に送信するＳＳＢの数Ｅに基づいてＢＷＰで構成されたセットに対してリソースの関連付けを行うことは、
前記ＵＥが、構成されるかまたはプリセットされた方式で、実際に送信するＳＳＢの数Ｅに基づき、関連するＳＳＢインデックスを調整し、調整後の関連するＳＳＢインデックスｉを取得することと、
前記ＵＥは、ｉに基づいてＢＷＰで構成されたセットの１つ目のスロットインデックスを計算することと、を含み、ｉ＝ｊ＋ｏｆｆｓｅｔであり、ｊは実際に送信するＳＳＢの論理インデックスを表し、ｊと実際に送信するＳＳＢの実際のインデックスとは昇順で１対１で対応し、ｊの値の範囲は｛０，１，２…Ｅ−１｝であり、ｏｆｆｓｅｔはオフセットである、請求項１５に記載の情報伝送方法。
【請求項１７】
ＢＷＰインデックスによって示されるＢＷＰには、前記ページング制御リソースセットと前記ページング検索空間が割り当てられない、請求項７に記載の情報伝送方法。
【手続補正２】
【補正対象書類名】明細書
【補正対象項目名】０１９８
【補正方法】変更
【補正の内容】
【０１９８】
実際の応用において、第２計算モジュール１５０１、第７処理モジュール１５０２、および第３受信モジュール１５０３は、いずれもＵＥ  １５内に位置するＣＰＵ、ＭＰＵ、ＤＳＰ、またはＦＰＧＡなどによって実現されてもよい。
【手続補正３】
【補正対象書類名】図面
【補正対象項目名】図２
【補正方法】変更
【補正の内容】
【図２】
2021513240.tif 000021
【国際調査報告】
2021513240.tif 000022
2021513240.tif 000023
2021513240.tif 000024
2021513240.tif 000025